(57)【特許請求の範囲】
【請求項１】
電気部品を搭載してなる遊技ユニットが遊技機本体に支持されており、前記遊技ユニットが前記遊技機本体に対して着脱可能となっている遊技機であって、
前記遊技ユニットに設けられたユニット側コネクタと、
前記遊技機本体に設けられ、当該遊技機本体の装着完了位置へ向けた前記遊技ユニットの変位により前記ユニット側コネクタと接続され、前記装着完了位置から取り外し側へ向けた前記遊技ユニットの変位により前記ユニット側コネクタと分離される本体側コネクタと、
前記遊技ユニット及び前記遊技機本体のうち前記遊技機本体側に設けられ、前記遊技ユニットに供給する電力を生成する電源装置と、
を備え、
前記ユニット側コネクタ及び前記本体側コネクタを通じて前記電源装置から前記遊技ユニットに電力が供給されるようになっており、
前記ユニット側コネクタと前記本体側コネクタとのうち少なくともいずれかは、前記遊技ユニットが前記装着完了位置に対して変位する際の変位方向において取付対象との相対変位が許容されるようにして当該取付対象に取り付けられた可動コネクタであり、
前記可動コネクタの前記相対変位を許可する変位許可状態と前記相対変位を許可しない変位非許可状態とに切替可能であり、前記電源装置から前記遊技ユニット側に電力が供給されていない場合に前記変位非許可状態となる一方、前記電源装置から前記遊技ユニット側に電力が供給されている場合に前記変位許可状態となることにより前記遊技ユニットを前記装着完了位置から取り外し側に変位させる際に前記ユニット側コネクタ及び前記本体側コネクタを接続状態のまま維持する接続状態維持手段を備えていることを特徴とする遊技機。
【発明の詳細な説明】
【技術分野】
【０００１】
本発明は、遊技機に関するものである。
【背景技術】
【０００２】
パチンコ機等の遊技機には、制御装置や表示装置等の電気部品が遊技盤等のユニット本体に搭載されてなる遊技ユニット（例えば遊技盤ユニット）と、遊技ユニットを着脱可能に支持する支持対象とを備えているものがある。支持対象には電源装置が設けられており、遊技ホール等の島設備から供給された電力は電源装置を通じて遊技ユニット（詳しくは上記電気部品）に供給される。
【０００３】
近年では、遊技ユニット側にユニット側コネクタを設けるとともに支持対象側に支持対象側コネクタを設け、遊技ユニットを支持対象における所定の装着完了位置に配置することで両コネクタの接続が完了し、遊技ユニットを装着完了位置から取り外し側へ移動させることで両コネクタが分離されるタイプの遊技機が提案されている。かかる遊技機においては、遊技ユニットを着脱する際の電気的な接続を行うための作業が不要となり、メンテナンス等を行う際の作業性の向上が図られている（例えば特許文献１参照）。
【先行技術文献】
【特許文献】
【０００４】
【特許文献１】特開２００４−２６７６９５号公報
【発明の概要】
【発明が解決しようとする課題】
【０００５】
しかしながら、この種の遊技機においては、電源装置が支持対象側に設けられているため、遊技ユニット電源ＯＮ時に遊技ユニットを取り外そうとした場合には、コネクタ同士が分離されることに伴い、遊技ユニット（上記電気部品）への電力の供給が突如として行われなくなる可能性がある。例えば、電気部品が動作中であった場合には、突如として電力の供給が停止されることにより、誤作動や故障等といった不都合が生じやすくなると懸念される。これは、遊技者や遊技ホールの利益担保を妨げる要因となり得るため好ましくない。
【０００６】
本発明は、上記例示した事情等に鑑みてなされたものであり、遊技ユニットの着脱によって同遊技ユニットと支持対象との電気的な接続／解除が行われる遊技機において、遊技ユニットを動かした際に電力の供給が突如停止して電気部品に不都合が生じることを抑制できる遊技機を提供することを目的とする。
【課題を解決するための手段】
【０００７】
上記課題を解決するため本発明は、
電気部品を搭載してなる遊技ユニットが遊技機本体に支持されており、前記遊技ユニットが前記遊技機本体に対して着脱可能となっている遊技機であって、
前記遊技ユニットに設けられたユニット側コネクタと、
前記遊技機本体に設けられ、当該遊技機本体の装着完了位置へ向けた前記遊技ユニットの変位により前記ユニット側コネクタと接続され、前記装着完了位置から取り外し側へ向けた前記遊技ユニットの変位により前記ユニット側コネクタと分離される本体側コネクタと、
前記遊技ユニット及び前記遊技機本体のうち前記遊技機本体側に設けられ、前記遊技ユニットに供給する電力を生成する電源装置と、
を備え、
前記ユニット側コネクタ及び前記本体側コネクタを通じて前記電源装置から前記遊技ユニットに電力が供給されるようになっており、
前記ユニット側コネクタと前記本体側コネクタとのうち少なくともいずれかは、前記遊技ユニットが前記装着完了位置に対して変位する際の変位方向において取付対象との相対変位が許容されるようにして当該取付対象に取り付けられた可動コネクタであり、
前記可動コネクタの前記相対変位を許可する変位許可状態と前記相対変位を許可しない変位非許可状態とに切替可能であり、前記電源装置から前記遊技ユニット側に電力が供給されていない場合に前記変位非許可状態となる一方、前記電源装置から前記遊技ユニット側に電力が供給されている場合に前記変位許可状態となることにより前記遊技ユニットを前記装着完了位置から取り外し側に変位させる際に前記ユニット側コネクタ及び前記本体側コネクタを接続状態のまま維持する接続状態維持手段を備えていることを特徴とする。
【発明の効果】
【０００８】
遊技ユニットの着脱によって同遊技ユニットと支持対象との電気的な接続／解除が行われる遊技機において、遊技ユニットを動かした際に電力の供給が突如停止して電気部品に不都合が生じることを抑制できる。
【図面の簡単な説明】
【０００９】
【図１】第１の実施の形態におけるパチンコ機を示す正面図である。
【図２】パチンコ機の主要な構成を展開して示す斜視図である。
【図３】前扉枠の構成を示す背面図である。
【図４】内枠の構成を示す正面図である。
【図５】遊技盤ユニットの構成を示す正面図である。
【図６】ロック装置の縦断面図（図４のＡ−Ａ線部分断面図）である。
【図７】内枠の構成を示す背面図である。
【図８】パチンコ機の構成を示す背面図である。
【図９】裏パックユニットの構成を示す正面図である。
【図１０】内枠から遊技盤ユニットを取り外した状態を示す正面斜視図である。
【図１１】図４のＢ−Ｂ線部分断面図である。
【図１２】開放された前扉枠と遊技盤ユニット及び挿入部との位置関係を示す概略図である。
【図１３】遊技盤ユニットの部分拡大図である。
【図１４】接続機構及びそれに関連する構成を示す水平断面図（図４のＣ−Ｃ線部分断面図）である。
【図１５】内枠から接続機構にかかる構成を取り外した状態を示す分解斜視図である。
【図１６】図４のＤ−Ｄ線部分断面図である。
【図１７】各コネクタの接続態様を示す概略図である。
【図１８】遊技盤ユニットの着脱時のコネクタの移動経路を示す概略図である。
【図１９】遊技盤から接続機構にかかる構成を取り外した状態を示す分解斜視図である。
【図２０】（ａ）遊技盤ユニットの背面図、（ｂ）（ａ）のＥ−Ｅ線部分断面図、（ｃ）遊技盤側コネクタの動作を示す概略図である。
【図２１】遊技盤ユニット装着時の様子を示す概略図である。
【図２２】（ａ）第２ロック装置を示す正面図、（ｂ）第２ロック装置を示す断面図（（ａ）のＦ−Ｆ線部分断面図）である。
【図２３】遊技盤ユニットを着脱する際の作業の流れを示す概略図である。
【図２４】第２の実施の形態における第２ロック装置及びそれに付随する構成を示す概略図である。
【図２５】遊技盤ユニットを着脱する際の作業の流れを示す概略図である。
【図２６】パチンコ機の電気的構成を示すブロック図である。
【図２７】当否抽選などに用いられる各種カウンタの内容を説明するための説明図である。
【図２８】主制御装置において実施されるタイマ割込み処理を示すフローチャートである。
【図２９】主制御装置において実施される通常処理を示すフローチャートである。
【図３０】表示制御装置において実施される表示制御処理を示すフローチャートである。
【図３１】第３の実施の形態におけるコネクタの接続構造を示す概略図である。
【図３２】遊技盤ユニットを取り外す際の各コネクタの位置関係を示す概略図である。
【図３３】第４の実施の形態におけるコネクタ接続部の構成を示す図である。
【図３４】遊技盤ユニットを取り外す際の各コネクタの位置関係を示す概略図である。
【図３５】第５の実施の形態におけるコネクタ接続部の構成を示す図である。
【図３６】別の実施の形態における第１ロック装置の構成を示す図である。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１１】
図１に示すように、パチンコ機１０は、当該パチンコ機１０の外殻を形成する外枠１１と、この外枠１１に取り付けられた遊技機主部１２とを有している。
【００１２】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１３】
この外枠１１によって遊技機主部１２が開閉可能な状態で支持されている。具体的には、図１に示すように、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１４】
図２に示すように、遊技機主部１２は、ベース体としての内枠１３と、その内枠１３の前方に配置される前扉枠１４と、内枠１３の後方に配置される裏パックユニット１５（図３参照）とを備えている。なお、遊技機主部１２のうち内枠１３が外枠１１に対して回動可能に支持されている。
【００１５】
前扉枠１４は、パチンコ機１０の正面視で左側を回動基端側、右側を回動先端側として前方へ回動可能となるようにして内枠１３に取り付けられており、裏パックユニット１５は、パチンコ機１０の正面視で左側を回動基端側、右側を回動先端側として後方へ回動可能となるようにして内枠１３に取り付けられている。
【００１６】
ここで、前扉枠１４について説明する。なお、以下の説明では、図１及び図２を参照するとともに、前扉枠１４の背面の構成については図３を参照する。図３は前扉枠１４の背面図である。
【００１７】
図２に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前扉枠１４の背面側から覆われている（図３参照）。
【００１８】
図３に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が形成されている。ガラスユニット３０は、ガラスユニット設置部２２に嵌まることで上下方向及び左右方向への変位が規制されている。
【００１９】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部を有しており、同枠部によって囲まれた領域にガラスパネル３１，３２が収容され、それらガラスパネル３１，３２によって遊技領域ＰＥがパチンコ機１０の正面側から２重に覆われる構成となっている。
【００２０】
枠部には、ガラスパネル３１，３２を収容している側とは反対側に突出するようにして枠体２０に対する取付部が複数形成されている。これら取付部は枠体２０の背面に対向する板状をなしており、枠体２０には、それら取付部を同枠体２０との間に挟んで挟持するレバー部材２３が設けられている。レバー部材２３は、取付部を挟持する挟持位置と挟持しない解除位置とに回動可能な状態で取り付けられている。レバー部材２３において取付部と対向している部分には同取付部側に突出する凸部が形成されており、同凸部が取付部に形成された凹部に嵌まることにより、上記挟持位置から解除位置への移動が規制された状態、すなわち挟持位置にて保持された状態となっている。
【００２１】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２１の左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２２】
前扉枠１４における窓部２１の下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２３】
下側膨出部２９並びとなる位置には、手前側へ突出するようにして遊技球発射ハンドル４１が設けられている。遊技球発射ハンドル４１が操作されることにより、後述する遊技球発射機構から遊技球が発射される。
【００２４】
前扉枠１４の背面には、図２及び図３に示すように、通路形成ユニット５０が取り付けられている。通路形成ユニット５０は、合成樹脂により成形されており、上皿２８ａに通じる前扉側上皿通路５１と、下皿２９ａに通じる前扉側下皿通路５２とが形成されてなる。通路形成ユニット５０において、その上側隅部には後方に突出し上方に開放された受口部５３が形成されており、当該受口部５３を仕切壁５４（図２参照）によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００２５】
次に、図４に基づき内枠１３について詳細に説明する。図４は内枠１３の正面図である。なお、図４においては、図２と同様にパチンコ機１０の遊技領域内の構成を省略している。
【００２６】
内枠１３は、外形が外枠１１とほぼ同一形状をなす樹脂ベース７０を主体に構成されている。樹脂ベース７０の前面における回動基端側（図４の左側）には、その上端部及び下端部に支持金具７１，７２が取り付けられている。また、前扉枠１４の背面における回動基端側（図３の右側）には、それら支持金具７１，７２に対応させて突起軸６１，６２が設けられている。図示は省略するが、支持金具７１，７２には軸孔が形成されており、それら軸孔に前扉枠１４の突起軸６１，６２が挿入されることにより、内枠１３に対して前扉枠１４が回動可能に支持されている。つまり、これら支持金具７１，７２及び突起軸６１，６２は内枠１３に対する組付機構を構成している。
【００２７】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材６３が複数設けられている。前扉用鉤部材７６が鉤受け部材６３に引っ掛かることにより前扉枠１４が閉じた状態で施錠される。また、施錠装置７５は、内枠１３の後方へ延びる内枠用鉤部材７７を有している。これら内枠用鉤部材７７が外枠１１の鉤受け部材１９（図２参照）に引っ掛かることにより遊技機主部１２が外枠１１に対して閉じた状態で施錠される。
【００２８】
樹脂ベース７０の右下隅部には、施錠装置の解錠操作を行うためのシリンダ錠７８が設置されている。シリンダ錠７８は施錠装置に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００２９】
樹脂ベース７０前面の略中央部分には、遊技盤ユニット８０を収容する遊技盤収容部７３が形成されている。遊技盤収容部７３は、パチンコ機１０の後方に凹み、遊技盤ユニット８０を収容する収容空間を区画しており、樹脂ベース７０に取り付けられた遊技盤ユニット８０がその収容空間に嵌まった状態となっている。本実施の形態においては特に、遊技盤ユニット８０が樹脂ベース７０に対して着脱可能に取り付けられており、メンテナンス作業等の容易化が図られている。
【００３０】
遊技盤ユニット８０は、木製の合板と同合板における前側の板面を覆うシート材とによって構成された遊技盤８０ａを有してなり、その前面が遊技盤収容部７３の開放部分を通じて樹脂ベース７０の正面側に露出している。この露出している部位、すなわち遊技盤８０ａの前面には、遊技球が流下する遊技領域ＰＥが形成されている。既に説明したように遊技領域ＰＥはガラスパネル３２によって覆われている。ガラスパネル３２は、遊技盤８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０ａは木製に限定されるものではなく、合成樹脂材料を用いて形成することも可能である。
【００３１】
以下、図５に基づき遊技盤ユニット８０（特に遊技領域ＰＥに配された各種構成）について説明する。図５は遊技盤ユニット８０の正面図である。
【００３２】
遊技盤ユニット８０（詳しくは遊技盤８０ａ）には、ルータ加工が施されることによって自身の厚さ方向（前後方向）に貫通する大小複数の開口が形成されている。各開口には、一般入賞口８１、可変入賞装置８２，８３、作動口８４，８５、スルーゲート８６、主表示ユニット８７及び可変表示ユニット８８等がそれぞれ配設されている。一般入賞口８１、可変入賞装置８２，８３及び作動口８４，８５に遊技球が入ると、それら遊技球が後述する検知センサにより検知され、その検知結果に基づいて所定数の賞球の払い出し等の特典が遊技者に付与される。その他に、遊技盤ユニット８０の最下部にはアウト口８９が設けられており、各種入賞口等に入らなかった遊技球はアウト口８９を通って遊技領域ＰＥから排出される。以下の説明では、アウト口８９への遊技球の入球と明確に区別するために、一般入賞口８１、可変入賞装置８２，８３、作動口８４，８５、スルーゲート８６への遊技球の入球を、入賞とも表現する。
【００３３】
また、遊技盤ユニット８０（詳しくは遊技盤８０ａ）には、遊技球の流下経路を適宜分散，調整等するために多数の釘９０が植設されているとともに、風車等の各種部材（役物）が配設されている。これら釘９０や風車等の各種構成によって、遊技球の流下経路が分化され、上述した一般入賞口８１等への入賞が適度な確率で発生するように調整されている。
【００３４】
上記可変表示ユニット８８は遊技盤ユニット８０の中央に配されており、同可変表示ユニット８８の周辺に作動口８４，８５等が配設されている。作動口８４，８５は、可変表示ユニット８８の下方に配設された下側の作動口８４（以下便宜上、下作動口８４と称する）と、同可変表示ユニット８８の右方に配設された右側の作動口８５（以下便宜上、右作動口８５と称する）とによって構成されており、特に右作動口（抽選契機入球部）８５には、開閉式の入球補助装置（入球補助手段）又は開閉部材（開閉手段）としての電動役物９１が設けられている。電動役物９１は、左右一対の可動片９１ａと同可動片９１ａを駆動させるソレノイド式の駆動部とを有してなり、右作動口８５への入球が可能又は容易となる開状態（補助状態）と、同入球が不可又は困難となる閉状態（非補助状態）とに切替可能となっている。
【００３５】
右作動口８５の上方には、上記スルーゲート８６が配置されており、遊技球のスルーゲート８６の通過をトリガとした抽選にて当選となった場合には、電動役物９１が所定時間だけ開状態となる。
【００３６】
なお、下作動口８４への入球が発生した場合には３個の遊技球の払出が実行され、右作動口８５への入球が発生した場合には４個の遊技球の払出が実行されるが、遊技球の払出個数は上記のものに限定されることはない。但し、下作動口８４に対する右作動口８５の有利性を高める上では、下作動口８４に係る払出個数よりも右作動口８５に係る払出個数を多く設定することが好ましい。
【００３７】
可変入賞装置（特別入球装置又は特別入球手段）８２，８３についても、下作動口８４及び右作動口８５と同様に、可変表示ユニット８８の下方及び右方に個別に配置されている。以下便宜上、可変表示ユニット８８の下方（詳しくは下作動口８４の下方）に配置された可変入賞装置８２を「下側可変入賞装置８２」と称し、可変表示ユニット８８の右方（詳しくは右作動口８５の下方）に配置された可変入賞装置８３を「右側可変入賞装置８３」と称する。
【００３８】
下側可変入賞装置８２は、遊技盤ユニット８０の背面側へと通じる大入賞口８２ａを備えているとともに、当該大入賞口８２ａを開閉する開閉部材（開閉手段）としての開閉扉８２ｂを備えている。開閉扉８２ｂは、遊技球の入球が可能又は容易となる開状態（補助状態）と、同入球が不可又は困難となる閉状態（非補助状態）とに切替可能となっている。また、同開閉扉８２ｂは、遊技盤ユニット８０の背面側に設けられた可変入賞駆動部８２ｃ（詳しくはソレノイド）と連結されており、通常時においては開閉扉８２ｂは閉状態のまま維持され、内部抽選において開閉実行モード（開閉実行状態）への移行に当選した場合に開状態に切り替えられるようになっている。
【００３９】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば１５ラウンド）を上限とした開閉扉８２ｂの開放が繰り返されるように設定されているものがある。
【００４０】
右側可変入賞装置８３は、下側可変入賞装置８２と同様に、遊技盤ユニット８０の背面側へと通じる右側大入賞口８３ａと、当該右側大入賞口８３ａを開閉する開閉部材（開閉手段）としての開閉扉８３ｂとを備えている。開閉扉８３ｂは、遊技球の入球が可能又は容易となる開状態（補助状態）と、同入球が不可又は困難となる閉状態（非補助状態）とに切替可能となっている。また、同開閉扉８３ｂは、遊技盤ユニット８０の背面側に設けられた可変入賞駆動部（詳しくはソレノイド）と連結されており、通常時においては、開閉扉８３ｂは閉状態のまま維持され、右作動口８５への入球に基づく内部抽選において後述する特別当たりに当選した場合に抽選結果確定モードに切り替えられるようになっている。
【００４１】
ここで、抽選結果確定モードとは、右作動口８５における抽選結果（特別当たり）が有効となって下側可変入賞装置８２が開閉実行モードへ移行されるか、つまり開閉実行モードへの移行が確定されるか、それとも抽選結果が無効となり開閉実行モードへの移行が回避されるかを抽選するモードである。抽選結果確定モードにおける右側可変入賞装置８３の開放態様としては、後述する右作動口用表示部に特別当たりを示す絵柄が表示されたタイミングから所定期間（例えば３ｓｅｃ）が経過するまで開閉扉８３ｂが開放されるように設定されている。
【００４２】
ここで、右側可変入賞装置８３及びそれに付随する構成について補足説明する。
【００４３】
遊技盤８０ａにおいて可変表示ユニット８８の右側となる部位には、遊技盤８０ａの厚さ方向に貫通して開口部が形成されており、この開口部に対して遊技機前方から右側可変入賞装置８３が嵌まっている。このようにして右側可変入賞装置８３が配置された状態では、当該右側可変入賞装置８３によって同開口部が覆われている。
【００４４】
右側可変入賞装置８３には上記右側大入賞口８３ａが形成されており、同右側大入賞口８３ａを遊技機前方から覆うようにして上記開閉扉８３ｂが開閉可能な状態で取り付けられている。また、右側可変入賞装置８３には、開閉扉８３ｂを駆動させる動力源としての可変入賞駆動部（詳しくはソレノイド）が搭載されている。
【００４５】
右側大入賞口８３ａは、左右に延びる横長状をなしており、その一端部（詳しくは遊技領域ＰＥの中央側となる端部）の奥側（詳しくは右側大入賞口８３ａの出口部分）には同右側大入賞口８３ａへ流入した遊技球を検知する検知センサ（詳しくは磁気センサ）が配設されている。
【００４６】
検知センサは後述する主制御装置に対して電気的に接続されており、当該検知センサからの検知信号（検知情報）が同主制御装置に出力される。主制御装置においては、その検知信号に基づいて右側大入賞口８３ａへの入賞の有無等を把握可能となっている。
【００４７】
また、右側可変入賞装置８３には、右側大入賞口８３ａへ流入した遊技球であって上記検知センサによる検知領域を通過した遊技球を内枠１３の背面側に設けられた回収通路へと案内する案内通路が設けられている。
【００４８】
案内通路は、上記右側大入賞口８３ａに連通する上流側通路を有している。上流側通路は、横長状をなしており、その一端部には上方に開放された入口部が形成されている。右側大入賞口８３ａを通じて遊技盤ユニット８０の背面側に到達し、同右側大入賞口８３ａの出口部分から流出した遊技球は、上記入口部を通じて案内通路へ流入することとなる。
【００４９】
上流側通路は、当該上流側通路の入口部から反対側の端部へ向けて（詳しくは遊技領域ＰＥの中央側へ向けて）下り傾斜している。同入口部から上流側通路に流入した遊技球は、上流側通路の底部を形成している部位に沿って流下する。
【００５０】
上流側通路における下流側の端部には、遊技球の流下方向を変化させるようにして第１下流側通路が連なっている。第１下流側通路は鉛直方向に延びており、上流側通路を経由して当該第１下流側通路に達した遊技球は、自重により同第１下流側通路に沿って落下することとなる。
【００５１】
第１下流側通路の出口部分には、当該第１下流側通路へ流入した遊技球を検知する（詳しくは同第１下流側通路における第１検知領域を通過する遊技球を検知可能な）第１検知センサが設けられている。第１検知センサには、第１検知領域を遊技球が通過した場合に生じる磁場の変化を把握可能な磁気センサが採用されている。また、第１検知センサは主制御装置に対して電気的に接続されており、当該第１検知センサからの検知信号（検知情報）が主制御装置に入力される。これにより、第１検知領域における遊技球通過の有無、すなわち第１下流側通路への入球の有無を主制御装置にて把握することが可能となっている。
【００５２】
また、案内通路は第１下流側通路の途中位置から分岐する第２下流側通路を有している。つまり、案内通路は、その途中位置にて２条に分岐している。右側大入賞口８３ａへ流入した遊技球はその流入タイミング等に応じてその移動先（振り分け先）が変化する構成となっている。
【００５３】
第１下流側通路を形成する壁部には、第２下流側通路への入口部としての開口が形成されている。この開口は、第１下流側通路及び第２下流側通路の両者に連通しており、同開口を通じた第１下流側通路から第２下流側通路への遊技球の流入が許容されている。
【００５４】
なお、第１下流側通路と分岐部分との関係について補足すれば、第１下流側通路において分岐部分よりも上流側となる部位は鉛直方向に延びており、同上流部位の出口部分が下方に開放されている。当該出口部分の下流側への延長上には一方の分岐通路としての下流部（第１分岐通路）の入口部分が位置しており、同入口部分は上記上流部位の出口部分側（上方）に開放されている。一方、他方の分岐通路としての第２下流側通路（第２分岐通路）の入口部分は、上流部位の延長上から外れた位置に配されているとともにその延長方向とは異なる方向、具体的には両下流側通路の並設方向（詳しくは横方向）に開放されている。このため、上流部位に沿って落下した遊技球は通常、第１下流側通路の下流部へと流入し、第２下流側通路への流入が回避されることとなる。
【００５５】
第２下流側通路の途中位置には、当該第２下流側通路へ流入した遊技球を検知する（詳しくは同第２下流側通路における第２検知領域を通過する遊技球を検知可能な）第２検知センサが設けられている。第２検知センサには、第２検知領域を遊技球が通過した場合に生じる磁場の変化を把握可能な磁気センサが採用されている。また、第２検知センサは、主制御装置に対して電気的に接続されており、当該第２検知センサからの検知信号（検知情報）が主制御装置に入力される。これにより、第２検知領域における遊技球通過の有無、すなわち第２下流側通路への遊技球流入の有無を主制御装置にて把握することが可能となっている。
【００５６】
右側大入賞口８３ａに流入した遊技球は先ず上流側の検知センサによって検知され、その後、下流側の第１検知センサ又は第２検知センサによって検知される。上流側の検知センサによって右側大入賞口８３ａへの入球が検知されると、同入球に応じて予め定められた数の遊技球が払い出される。このように、上流／下流の各検知センサのうち上流側の検知センサによる検知結果にもとづいて遊技球の払出しを行う構成とすることにより、下流側の検知センサによる検知結果に基づいて遊技球の払出しを行う構成と比較して、払出しの迅速化に貢献している。
【００５７】
右側大入賞口８３ａへ流入した遊技球の数は上流側の検知センサ及び下流側の検知センサによって検知され、それら各検知センサによって検知された遊技球の数を比較することにより案内通路内に遊技球が残存しているか否かを確認することが可能となっている。但し、このようにして上流・下流にそれぞれ検知センサを設ける必要は必ずしもなく、上流側の検知センサについては省略することも可能である。
【００５８】
また、上述した分岐位置（第１下流側通路の中間部）には、上流側通路から第１下流側通路に流入した遊技球を第２下流側通路へと誘導する誘導状態と同誘導を行わない非誘導状態とに切替可能な切替部材が設けられている。切替部材は、非誘導状態においては案内通路（詳しくは第１下流側通路）への突出が抑えられており、誘導状態に切り替わることで、同第１下流側通路を塞ぎ上記第１検知領域への遊技球の到達を不可とする位置へと突出する。
【００５９】
右側可変入賞装置に流入した遊技球は、何れかの下流側通路を流下し、上記検知センサによって検知された後は、右側可変入賞装置８３から排出されることとなる。このようにして排出された遊技球は、一般入賞口８１等を通じて遊技領域ＰＥから排出された遊技球と同様に、内枠１３の背面側に設けられた排出通路によって流入した後、遊技ホールの島設備等に返却されることとなる。
【００６０】
次に、可変表示ユニット８８について説明する。可変表示ユニット８８には、作動口８４，８５への入賞をトリガとして図柄を可変表示する図柄表示装置９６が設けられている。また、可変表示ユニット８８には、図柄表示装置９６を囲むようにしてセンターフレーム９７が配設されている。センターフレーム９７の下部には、下作動口８４に対応する下作動口用保留ランプ部９８と、右作動口８５に対応する右作動口用保留ランプ部９９とが設けられている。本実施の形態においては、遊技球が各作動口８４，８５を通過した回数はそれぞれ最大４回まで保留される構成となっているが、保留ランプ部９８，９９の点灯によって各作動口８４，８５に対応する保留個数が個別に表示されるようになっている。
【００６１】
図柄表示装置９６は、液晶ディスプレイを備えた液晶表示装置として構成されており、後述する表示制御装置により表示内容が制御される。図柄表示装置９６には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００６２】
作動口８４，８５は、可変表示ユニット８８寄りとなる位置に配置されている。作動口８４，８５への入賞をトリガとして、大当たりが発生し得るため、遊技者は作動口８４，８５に入賞するか否かに注目するとともに、大当たりが発生するか否かを把握するため図柄表示装置９６に注目するものと考えられる。作動口８４，８５を可変表示ユニット８８寄りに設けたことは、遊技者が注目したい箇所を可変表示ユニット８８周辺に集中させるための工夫である。
【００６３】
可変表示ユニット８８を挟んで右側可変入賞装置８３とは反対側には、上記主表示ユニット８７が配されている。主表示ユニット８７は、遊技領域ＰＥの下部側の外縁に沿って配置されており、遊技盤８０aの前面からパチンコ機１０前方に突出している。主表示ユニット８７の前面は、遊技領域ＰＥをパチンコ機１０前方から視認可能とする上記ガラスユニット３０（詳しくは後側のガラスパネル３２）と対向しており、さらに後側のガラスパネル３２との間の距離は遊技球１個分よりも狭くなっている。これにより、主表示ユニット８７の前面の前方を遊技球が落下することが回避されている。
【００６４】
ここで、主表示ユニット８７について補足説明する。
【００６５】
主表示ユニット８７においてガラスユニット３０と対向している部分には、所定の絵柄等が表示される主表示部Ｄが設けられている。主表示部Ｄは、下作動口８４への入賞に基づいた抽選結果を表示する下作動口用表示部と、右作動口８５への入賞に基づいて行われた抽選結果を表示する右作動口用表示部とを有してなる。
【００６６】
下作動口用表示部では、下作動口８４への入賞をトリガとして絵柄の変動表示が行われ、その変動表示の停止結果として、下作動口８４への入賞に基づいて行われた内部抽選の結果が明示される。下作動口８４への入賞に基づく内部抽選の結果が開閉実行モードへの移行に対応した当選結果であった場合には、下作動口用表示部ＤＬにて変動表示が停止され、停止結果として所定の絵柄が表示された後に、上記開閉実行モードへ移行される。
【００６７】
右作動口用表示部では、右作動口８５への入賞をトリガとして絵柄の変動表示が行われ、その変動表示の停止結果として、右作動口８５への入賞に基づいて行われた内部抽選の結果が明示される。右作動口８５への入賞に基づく内部抽選の結果が大当たり又は特別当たりに対応した当選結果であった場合には、右作動口用表示部にて変動表示が停止され、停止結果として所定の絵柄が表示された後に、その結果に応じて上記開閉実行モード又は抽選結果確定モードに移行される。
【００６８】
ここで、いずれかの作動口８４，８５への入賞に基づいて、対応する表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８４，８５への入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とする。
【００６９】
また、主表示ユニット８７の主表示部Ｄには両表示部以外に、スルーゲート８６への入賞に基づいた抽選結果を表示するスルーゲート用表示部が併設されている。スルーゲート用表示部では、スルーゲート８６への入賞をトリガとして絵柄の変動表示が行われ、その変動表示の停止結果として、スルーゲート８６への入賞に基づいて行われた内部抽選の結果が明示される。スルーゲート８６への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、右作動口８５に設けられた上記電動役物９１が所定の態様で開放される。
【００７０】
更に、本実施の形態においては遊技球がスルーゲート８６を通過した回数は最大４回まで保留される構成が採用されているが、主表示ユニット８７の主表示部Ｄにはその保留個数を表示する保留数用表示部が設けられている。
【００７１】
これら各表示部については、前扉枠１４のガラスユニット３０を通じてパチンコ機１０前方から視認可能となっているとともに、これら表示部の前方を遊技球が移動することが回避されることで視認性が担保されている。
【００７２】
再び図４を用いて説明すれば、樹脂ベース７０における遊技盤収容部７３（遊技盤ユニット８０）の下方には、遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に対してネジ止めされることで内枠１３に対して一体化されている。
【００７３】
発射レール１１２は、遊技盤ユニット８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパ１１５が配されている。球ストッパ１１５よりも更に下流側となる位置に、上記ソレノイド１１１が配置されている。
【００７４】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤ユニット８０側、詳しくは遊技盤ユニット８０に装着された誘導レール１００に向けて打ち出される。
【００７５】
誘導レール１００は、遊技領域区画部材１０８と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤ユニット８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００７６】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００７７】
同図４に示すように、誘導レール１００及び発射レール１１２は、同誘導レール１００の入口部分１０４と発射レール１１２の先端部分とが遊技盤ユニット８０の下端縁を挟んで斜めに対峙するように配置されている。つまり、それら両レール１００，１１２は、同誘導レール１００の入口部分１０４と発射レール１１２の先端部分とが遊技盤ユニット８０の下端縁近傍にて左右にずれるようにして配置されている。これにより両レール１００，１１２を遊技盤ユニット８０の下端縁に近づけつつ、誘導レール１００の入口部分１０４と発射レール１１２との間には所定間隔の隙間を形成している。
【００７８】
このようにして形成された隙間よりも下側にはファール球通路５５（図２参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００７９】
また、樹脂ベース７０には、遊技盤収容部７３からの遊技盤ユニット８０の取り外しを不可とするロック状態と、同遊技盤ユニット８０の取り外しを許容するアンロック状態とに切替可能（手動操作可能）な第１ロック装置７９が複数設けられている。具体的には、第１ロック装置７９は遊技盤ユニット８０の右上部及び右下部に配置されている。
【００８０】
ここで、図６を参照して第１ロック装置７９について説明する。図６はロック装置の縦断面図（図４のＡ−Ａ線断面図）であり、図６（ａ）はロック状態を示し、図６（ｂ）はアンロック状態を示している。
【００８１】
＜第１ロック装置７９＞
第１ロック装置７９は、遊技盤ユニット８０の背面に当接する当接部が形成された受け部材１２１と、当該受け部材１２１と対をなし遊技盤ユニット８０を遊技機前方から押さえる押え部が形成された押え部材１２２と、それら受け部材１２１及び押え部材１２２をそれぞれ動作可能に保持するベース部材１２３とを有し、ベース部材１２３が樹脂ベース７０に固定されることで内枠１３に一体化されている。受け部材１２１及び押え部材１２２によって遊技盤ユニット８０を前後から挟み込むことで、遊技盤ユニット８０の前後位置が既定される構成となっている。
【００８２】
受け部材１２１は回動可能となっており、受け部材１２１に取り付けられたコイルバネ１２４によって遊技盤ユニット８０の背面側（押え部材１２２側）へ付勢されている。本実施の形態においては、受け部材１２１の回動中心が変位する構成となっており、コイルバネ１２４を受け部材１２１に取り付けることにより、回動中心が変位した場合あっても上記付勢力を安定して発揮させることが可能となっている。
【００８３】
また、第１ロック装置７９は、受け部材１２１に連動するロック部材１２５を有している。ロック部材１２５は、受け部材１２１及び押え部材１２２の各動作を規制するロック位置と、当該動作規制を行わないロック解除位置とに移動可能となるようにしてベース部材１２３に取り付けられている。ベース部材１２３には、ロック部材１２５用のコイルバネ１２６が配設されており、このコイルバネ１２６によってロック部材１２５がロック解除位置に向けて付勢されている。
【００８４】
ロック部材１２５は、その上端部１２７がベース部材１２３に固定されたピン部材１２８に下側から当接しており、その当接状態がロック部材１２５の動作範囲全域にて維持される構成となっている。つまり、ピン部材１２８によって、ロック部材１２５の動きが規定されている。
【００８５】
ロック部材１２５（詳しくはその上端部１２７）には、ロック部材１２５がロック解除位置に到達した場合にピン部材１２８と係合する凹状の解除時用係合部１２７ａと、ロック位置に到達した場合にピン部材１２８と係合する凹状のロック時用係合部１２７ｂとが形成されている。解除時用係合部１２７ａとピン部材１２８とが係合することによりロック部材１２５がアンロック状態に維持され、ロック時用係合部１２７ｂとピン部材１２８とが係合することによりロック部材１２５がロック状態に維持されることとなる。
【００８６】
また、上端部１２７には解除時用係合部１２７ａとロック時用係合部１２７ｂとの間でのピン部材１２８の摺動を許容するようして凸部１２７ｃが形成されている。凸部１２７ｃは、上方に滑らかに隆起しており、ピン部材１２８が係合部１２７ａ，１２７ｂから離脱した場合に同ピン部材１２８に対して強干渉する構成となっている。この凸部１２７ｃによって、各係合部１２７ａ，１２７ｂからのピン部材１２８の移動を妨げる抗力が発生する構成となっている。ロック部材１２５の回動時に上端部１２７及びピン部材１２８の間で発生する抗力（ロック部材１２５の回動を妨げる力）は、上記凸部１２７ｃの頂部にピン部材１２８が到達する直前に最大となる。
【００８７】
詳細については後述するが、遊技盤ユニット８０を内枠１３に装着する場合には、遊技盤ユニット８０を装着完了位置へと押し込むことで、遊技盤ユニット８０の背面が受け部材１２１（詳しくは当接部）に当たり、同遊技盤ユニット８０が装着完了位置に向けて更に押し込まれることで、受け部材１２１が回動することとなる。これに連動して押え部材１２２及びロック部材１２５が動作し、第１ロック装置７９がロック状態に切り替わることとなる。この際、ピン部材１２８がロック部材１２５の解除時用係合部１２７ａからロック時用係合部１２７ｂへと移動する過程で凸部１２７ｃを乗り越えるため、遊技盤ユニット８０の装着完了位置への移動に対して抗力が発生することとなる。
【００８８】
ロック部材１２５の前面部分には、指等を引っ掛けることができる指掛け部としての操作部１２９が形成されており、この操作部１２９に指を引っ掛けたり掴んだりしてロック部材１２５を回動させることで、ロック部材１２５がロック位置からロック解除位置へと移動して受け部材１２１及び押え部材１２２の動作規制が解除される。このようにしてロック解除操作が行われることで、遊技盤ユニット８０が受け部材１２１によって後方から押され、遊技機前方へ押し出されることとなる。
【００８９】
再び図４の説明に戻り、樹脂ベース７０において発射レール１１２の左方（詳しくは前扉枠１４を支持している側）には、樹脂ベース７０を前後方向に貫通する貫通孔に通路形成部材１３１が配設されている。通路形成部材１３１は、樹脂ベース７０に対してネジ止めされており、本体側上皿通路１３２と本体側下皿通路１３３とを有している。それら本体側上皿通路１３２及び本体側下皿通路１３３の上流側は、後述する遊技球分配部に通じている。また、通路形成部材１３１の下方には前扉枠１４に取り付けられた通路形成ユニット５０の受口部５３が入り込んでおり、本体側上皿通路１３２の下方には前扉側上皿通路５１が配置され、本体側下皿通路１３３の下方には前扉側上皿通路５１が配置されている（図２参照）。
【００９０】
樹脂ベース７０において通路形成部材１３１の下方には、本体側上皿通路１３２及び本体側下皿通路１３３からの遊技球の流出を規制するシャッタ１３４が設けられている。シャッタ１３４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１３４を阻止位置に向けて付勢する付勢部材が取り付けられており、前扉枠１４を内枠１３に対して開いた状態では付勢部材の付勢力によってシャッタ１３４が阻止位置に留まる構成となっている。これにより、本体側上皿通路１３２又は本体側下皿通路１３３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１３４が許容位置に押し戻される。この状態では、本体側上皿通路１３２及び前扉側上皿通路５１と、本体側下皿通路１３３及び前扉側下皿通路５２とがそれぞれ連通し、遊技球の移動が許容されることとなる。
【００９１】
次に、図７に基づき内枠１３（樹脂ベース７０及び遊技盤ユニット８０）の背面構成について説明する。図７は内枠１３の背面図である。
【００９２】
樹脂ベース７０の背面における回動基端側（図７の右側）には、軸受け金具１３６が取り付けられている。軸受け金具１３６には、上下に離間させて軸受け部１３７が形成されており、これら軸受け部１３７により内枠１３に対して裏パックユニット１５が回動可能に取り付けられている。
【００９３】
樹脂ベース７０における遊技盤収容部７３の底部分（後述する対向板部２５１）には樹脂ベース７０の厚さ方向に貫通し同樹脂ベース７０の背面側に開放された中央開口７４が形成されており、その中央開口７４が遊技盤収容部７３に収容された遊技盤ユニット８０によって内枠１３の正面側から覆われている。遊技盤ユニット８０の背面には制御装置等の各種構成が搭載されており、それら各種構成は中央開口７４を通じて内枠１３の背側に露出した状態となっている。
【００９４】
遊技盤ユニット８０の背面には、可変表示ユニット８８を遊技盤ユニット８０に対して搭載する合成樹脂製の台座部材１４１が固定されている。台座部材１４１は、遊技盤ユニット８０側に開放された略箱状をなしており遊技盤ユニット８０の背面のほぼ全域を覆っている。台座部材１４１の一部は樹脂ベース７０の中央開口７４を通じて同樹脂ベース７０の背面側に突出しており、その突出した部分に対して上述した図柄表示装置９６と、その図柄表示装置９６を駆動するための表示制御装置とが取り付けられている。これら図柄表示装置９６及び表示制御装置は前後方向（樹脂ベース７０の厚さ方向）に図柄表示装置が前側且つ表示制御装置が後側となるように重ねて配置されている。さらに、遊技盤ユニット８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９５】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９６】
音声ランプ制御装置ユニット１４２の下方には、台座部材１４１を後方から覆うようにして主制御装置ユニット１６０が設けられている。主制御装置ユニット１６０は、遊技盤ユニット８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００９７】
主制御装置１６２には、基板ボックス１６３から遊技機背面側に露出するようにして、ＲＡＭ消去スイッチ１６６が設けられており、遊技機主部１２を開放することで、当該ＲＡＭ消去スイッチ１６６へのアクセスが許容される構成となっている。
【００９８】
本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１６６を押しながら電源を投入すると、ＲＡＭデータが初期化されるようになっている。
【００９９】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【０１００】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【０１０１】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【０１０２】
台座部材１４１において遊技盤ユニット８０の背面と対向している部分には、前記一般入賞口８１、可変入賞装置８２，８３、下作動口８４、右作動口８５の遊技盤開口部に対応し且つ下流側で１カ所に集合する回収通路が形成されている。これにより、一般入賞口８１等に入賞した遊技球は何れも回収通路を介して遊技盤ユニット８０の下方に集合する構成となっている。つまり、台座部材１４１には各種入賞口に入賞した遊技球を回収する機能が付与されている。
【０１０３】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路内に導出される。
【０１０４】
また、上記回収通路には、遊技盤ユニット８０表側の一般入賞口８１に入賞した遊技球を検知する入賞口スイッチと、可変入賞装置８２に入賞した遊技球を検知するカウントスイッチと、作動口８４，８５に入った遊技球を検知する作動口スイッチとが装着されており、それら各種スイッチによって入賞検知機構が構成されている。更に、台座部材１４１において可変表示ユニット８８の左右両側には、スルーゲート８６を通過する遊技球を検知するゲートスイッチが設けられている。これら各種スイッチは主制御装置１６２に対して電気的に接続されており、各スイッチによる検知情報が同主制御装置１６２に出力される構成となっている。
【０１０５】
次に、図８及び図９に基づき裏パックユニット１５について説明する。図８はパチンコ機１０の背面図、図９は裏パックユニット１５の正面図である。
【０１０６】
図８に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【０１０７】
裏パック２０１は透明性を有する合成樹脂により成形されており、図９に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８８を囲むのに十分な大きさを有する（図８参照）。
【０１０８】
ベース部２１１には、その右上部に外部端子板が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３７に挿通させることで、裏パックユニット１５が内枠１３に対して回動可能に支持されている。ベース部２１１には、内枠１３に設けられた固定レバーが挿通される複数の挿通部２１５が形成されており、固定レバーが挿通部２１５に挿通された状態にてベース部２１１に後方から当接することにより内枠１３に対して裏パックユニット１５が固定されている。
【０１０９】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に固定された遊技球分配部２２５に供給される。
【０１１０】
遊技球分配部２２５は、払出装置２２４より払い出された遊技球を上皿２８ａ、下皿２９ａの何れかに振り分けるための機能を有している。
【０１１１】
再び図９の説明に戻り、ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【０１１２】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【０１１３】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【０１１４】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３には電源スイッチ２４７が設けられており、この電源スイッチ２４７を手動でＯＮ／ＯＦＦに切り替えることで、電源・発射制御装置２４３から各種制御装置等への電力の供給がまとめて制御されることとなる。なお、例えば遊技ホールの営業終了の場合のように通常手順で電源を遮断すると遮断前の状態が記憶保持されるが、上記ＲＡＭ消去スイッチ１６６を押しながら電源スイッチ２４７をＯＮに切り替えると（電源を投入すると）、ＲＡＭデータが初期化されるようになっている。
【０１１５】
基板ボックス２４４，２４６については、内蔵された各基板を当該基板ボックス２４４，２４６の外部から視認可能となるように透明性を有する合成樹脂によって形成されている。そして、払出制御基板及び電源・発射制御基板は、一方の板面が各種素子等の搭載面となっており、他方の板面が半田面となっている。そして、搭載面が遊技機後方を向くように（半田面が内枠１３側（遊技機前方）を向くように）して配置されることで、メンテナンス等の際に、各制御基板に異常が発生していないか等を目視で容易に確認できる構成となっている。
【０１１６】
＜遊技盤ユニット８０の取付構造＞
ここで、図４、図１０及び図１１に基づき遊技盤ユニット８０の取付構造について説明する。図１０は内枠１３から遊技盤ユニット８０を取り外した状態を示す斜視図、図１１は図４のＢ−Ｂ線部分断面図である。
【０１１７】
遊技盤ユニット８０は、既に説明したように内枠１３の遊技盤収容部７３に対して同内枠１３の正面側から嵌まっている（図４参照）。図１０に示すように、遊技盤収容部７３は、遊技盤ユニット８０の背面に対向する平板状の対向板部２５１と、同対向板部２５１から起立し遊技盤ユニット８０の周縁に沿って延びる周壁部２６１とによって構成されている。対向板部２５１は、その略中央に上述した中央開口７４が形成されており、内枠１３の正面視において略矩形枠状をなしている。周壁部２６１は、遊技盤ユニット８０における上下左右の各端面に対して個々に対向する上側壁部２６２，下側壁部２６３，左側壁部２６４，右側壁部２６５が連なってなり、全体として遊技盤ユニット８０を囲む環状をなしている。なお、周壁部２６１は中央開口７４を囲むようにして形成されているとも言える。
【０１１８】
内枠１３の左側壁部２６４、すなわち前扉枠１４を支持している側の壁部２６４には、遊技盤ユニット８０の前方への変位を抑える複数のストッパ部２７１が設けられている。各ストッパ部２７１は、左側壁部２６４の内壁面から遊技盤収容部７３側へ張り出しており、遊技盤ユニット８０（詳しくは後述する第２レールカバー４００）に対してパチンコ機１０の前方から当接している。また、各ストッパ部２７１は、遊技盤収容部７３内に収められており、前扉枠１４側への突出が抑えられている。
【０１１９】
それらストッパ部２７１は、遊技盤ユニット８０の上端寄り及び下端寄りとなる位置に配置されており、遊技盤ユニット８０の変位をバランスよく抑えることが可能となっている。ストッパ部２７１の配置に関して補足すれば、上端寄りのストッパ部２７１Ｕは、上記誘導レール１００において遊技盤ユニット８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤ユニット８０の前面側にて好適に共存させ、ストッパ部２７１の採用に起因した遊技領域ＰＥの圧迫を抑制している。
【０１２０】
内枠１３には、左側壁部２６４の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前扉枠１４に連結されている部分を補強し、更にはストッパ部２７１の変形を抑制している。
【０１２１】
以上詳述したストッパ部２７１と対向板部２５１とによって、遊技盤ユニット８０の一側部を挿入可能な挿入部２９０が構成されている（図１１参照）。挿入部２９０は、前扉枠１４の回動基端側に位置し、内枠１３において同前扉枠１４を支持している側とは反対側からの遊技盤ユニット８０の挿入を許容すべく同内枠１３の回動先端側（右側壁部２６５側）に開放されている。特にストッパ部２７１と対向板部２５１（詳しくは後述するリブを除いた部分）との隙間寸法は、遊技盤ユニット８０の厚さ寸法よりも大きく設定されている。これにより、遊技盤ユニット８０を挿入部２９０に対して斜め前方から挿入可能とするとともに、同挿入部２９０に挿入された遊技盤ユニット８０を当該挿入部２９０を中心として回動可能としている。また、挿入部２９０の挿入口を斜め前方に向けることにより、遊技盤挿入時に遊技盤ユニット８０が前扉枠１４の後方への張出部分や内枠１３の右側枠部１３ｄ（図１０参照）等に干渉することを抑制している。
【０１２２】
なお、ストッパ部２７１の先端部において遊技盤ユニット８０と対向している部位には面取りが施されており、挿入部２９０の入口部分が拡張されている。これにより、上記隙間寸法を大きくし、遊技盤ユニット８０を斜めに挿入する際のストッパ部２７１と遊技盤ユニット８０との引っ掛かりを抑制している。
【０１２３】
挿入部２９０（ストッパ部２７１群）の下方、詳しくは内枠１３において左側壁部２６４と下側壁部２６３とが交わる位置には（図１０参照）、挿入部２９０に挿入された遊技盤ユニット８０を仮置き可能な仮置き部１３５が設けられている。仮置き部１３５は、上記通路形成部材１３１に形成され、挿入部２９０側（上方）を向く面状をなしている。なお、仮置き部１３５は、必ずしも通路形成部材１３１に形成する必要はなく、樹脂ベース７０に形成することも可能である。
【０１２４】
仮置き部１３５は、遊技盤収容部７３の下側壁部２６３よりも上側に位置しているとともに、遊技盤ユニット８０の下端部に対して対向している。一方、遊技盤ユニット８０における回動基端側の下隅部にはこの仮置き部１３５に対応した切欠き部９５が形成されている（図５参照）。遊技盤ユニット８０を挿入部２９０に挿入し回動させる場合には、この仮置き部１３５に対して遊技盤ユニット８０の切欠き部９５が仮置き（一時的に載置）されることで同遊技盤ユニット８０の重量の少なくとも一部が内枠１３の樹脂ベース７０によって支えられることとなる。これにより、遊技盤ユニット８０を装着する際の作業負担を減らし、遊技盤ユニット８０の回動操作の容易化を図っている。
【０１２５】
また、仮置き部１３５は、挿入部２９０よりも同挿入部２９０の開放先側に延びている。これにより、挿入部２９０に挿入する前に遊技盤ユニット８０を仮置き可能となっており、更なる作業の容易化に貢献している。
【０１２６】
遊技盤ユニット８０を着脱する際には、内枠１３の正面側から作業が行われる。この際、言うまでも無く前扉枠１４が開放された状態で作業が行われる。ここで、開放された前扉枠１４と遊技盤ユニット８０及び挿入部２９０との位置関係について図１２に基づき補足説明する。図１２は、開放された前扉枠１４と遊技盤ユニット８０及び挿入部２９０との位置関係を示す概略図である。
【０１２７】
図１２に示すように、前扉枠１４は内枠１３に設けられた上記支持金具７１，７２によって回動可能に軸支されており、この軸支された部分（回動中心軸線ＣＬ）を中心として開閉される構成となっている。支持金具７２には前扉枠１４の最大開放位置を規定する規定部７２ａが形成されている。前扉枠１４が開放され、規定部７２ａに対して当たった場合には、それ以上の開放が不可となる。本実施の形態においては、前扉枠１４の最大開放量が凡そ１００°に設定されている。これは、パチンコ機１０がホール等の島設備に設置された状態にて前扉枠１４が開放された場合に、隣接して設けられた他の遊技機等に対して同前扉枠１４が干渉しないように、また隣接する遊技機での遊技を妨げないようにするための工夫である。なお、前扉枠１４の最大開放量は１００°に限定されるものではない。少なくとも遊技盤ユニット８０の着脱が許容される範囲であれば任意に設定してよい。
【０１２８】
前扉枠１４の回動中心軸線ＣＬは同前扉枠１４の前面寄りに位置しており、前扉枠１４を閉じた状態にて内枠１３の内側に当該前扉枠１４の回動基端部分が嵌まり込む構成となっている。これにより、前扉枠１４と内枠１３との境界部位（特に前扉枠１４の回動基端側の境界部位）を介して不正具が挿入されるといった不都合を生じにくくし、防犯機能の強化を図っている。
【０１２９】
この回動中心軸線ＣＬの後方に上記挿入部２９０が配置されている。前扉枠１４は所定の厚さを有しているため、上述の如く最大開放位置まで開放された場合であってもその背面の一部が挿入部２９０よりも右側（前扉枠１４を支持している側とは反対側）に張り出した状態となる。挿入部２９０は、その張出部分よりも奥まった位置に存在しているものの、遊技盤ユニット８０を出し入れする際に当該遊技盤ユニット８０の通過する軌道ＰＬと前扉枠１４との干渉が回避されるようにしてその挿入口の向きが定められている。これにより、遊技盤ユニット８０を装着する際の前扉枠１４の張り出し部分と遊技盤ユニット８０との干渉が抑えられている。
【０１３０】
＜遊技盤ユニット８０の支持機構＞
本実施の形態においては特に、遊技盤ユニット８０を着脱する際の同遊技盤ユニット８０の姿勢を安定させて着脱軌道のばらつきを抑える工夫が施されている。以下、図１０及び図１３を参照して、当該工夫にかかる構成について説明する。図１３は遊技盤ユニット８０の部分拡大図である。なお、図１３においては、内枠１３にかかる構成を２点鎖線によって表示している。
【０１３１】
遊技盤８０ａの前面側には、外レール１０２の一部を遊技領域ＰＥとは反対側から覆うようにしてレールカバー３００が設けられている。レールカバー３００は、遊技盤８０ａの前面に面当たりするようにして形成された平板状のベース部３０１と、ベース部３０１から正面側へ起立し外レール１０２に沿って延びる起立部３０２とを有してなり、ベース部３０１が遊技盤８０aにネジ止めされることで、当該遊技盤８０ａと一体化されている。レールカバー３００のベース部３０１については、遊技盤ユニット８０が内枠１３に装着された状態にて、遊技盤８０ａの端部とともに上記挿入部２９０内に入り込んでおり、同ベース部３０１の前面がストッパ部２７１に当接している。
【０１３２】
なお、本実施の形態においては、挿入部２９０の前後幅寸法が、遊技盤８０aにおいて挿入部２９０に挿入されている部分の厚さ寸法とレールカバー３００（詳しくはベース部３０１）の厚さ寸法との和よりも僅かに小さく設定されている。このため、遊技盤ユニット８０が装着完了位置に配置した状態では、遊技盤ユニット８０が挿入部２９０に対して強干渉した状態となる。このように、挿入部２９０に対して遊技盤ユニット８０を強干渉させることにより、回動基端側での遊技盤ユニット８０の前後位置のばらつきを抑えている。
【０１３３】
レールカバー３００（起立部３０２）の上端部は上側のストッパ部２７１Ｕよりも僅かに上方に位置しており、当該上端部には遊技機前方に延びるアーム部３０３が形成されている。アーム部３０３は上記ストッパ部２７１の上面２７２と若干の隙間を挟んで対向しており、その対向している部分にはストッパ部２７１側に凸となる突起３０４が形成されている。この突起３０４に対応させてストッパ部２７１の上面２７２には下方に凹んだ受け部２７５が形成されている。受け部２７５と突起３０４とが係合することで、遊技盤ユニット８０が突起３０４（受け部２７５）を中心として回動可能となる。かかる構成とすることにより、遊技盤ユニット８０を着脱する際の姿勢が安定し、着脱軌道のばらつきが抑えられている。
【０１３４】
なお、突起３０４において挿入部２９０側を向いている部分にはアーム部３０３の先端部分から根元部分に向けて下り傾斜する傾斜面３０５が形成されており、遊技盤ユニット８０を挿入部２９０に挿入する際には傾斜面３０５がストッパ部２７１の上面２７２及び側面２７３の境界部位に当たる。これにより、アーム部３０３がその根元部分（起立部３０２と繋がっている部分）を基端として撓み変形し、突起３０４がストッパ部２７１の上面２７２へと導かれる。この後、アーム部３０３が弾性力によって変形前の状態に復帰することにより、突起３０４が受け部２７５に係合することとなる（引っ掛かることとなる）。このようにして突起３０４が受け部２７５に引っ掛かることにより、挿入部２９０からの遊技盤ユニット８０の脱落が阻止される。
【０１３５】
既に説明したように、突起３０４が受け部２７５に対して引っ掛かっている状態では、遊技盤ユニット８０がそれら突起３０４及び受け部２７５の引っ掛かり位置よりも回動先端側にて仮置き部１３５に載っている。つまり、遊技盤ユニット８０が仮置き部１３５によって支えられた状態にて、遊技盤ユニット８０の脱落が阻止されている。これにより、遊技盤ユニット８０の重さ等による負荷が突起３０４や受け部２７５に集中することを好適に回避している。
【０１３６】
以上詳述したように、遊技盤ユニット８０を遊技機前方から装着可能とすることで、メンテナンス等の際の遊技盤ユニット８０の着脱作業の容易化が図られている。そして、本実施の形態においては、更なる作業性の向上を図るべく遊技盤ユニット８０を内枠１３に対して着脱することで遊技盤ユニット８０と内枠１３とが電気的に接続／分離される構成が採用されている。以下、図１４を参照して、遊技盤ユニット８０と内枠１３とを電気的に接続するための接続機構について説明する。図１４は接続機構及びそれに関連する構成を示す水平断面図（図４のＣ−Ｃ線部分断面図）である。
【０１３７】
＜コネクタ接続機構＞
図１４に示すように、接続機構は、内枠１３側に設けられた内枠側コネクタ４０１，４０２と、遊技盤ユニット８０側に設けられた遊技盤側コネクタ４５１，４５２とを有し、遊技盤ユニット８０が装着完了位置に配置されることで遊技盤側コネクタ４５１，４５２と内枠側コネクタ４０１，４０２とが接続され、遊技盤ユニット８０が取り外されることで遊技盤側コネクタ４５１，４５２と内枠側コネクタ４０１，４０２との接続が解除される構成となっている。
【０１３８】
先ず、図１５及び図１６を参照して、内枠側コネクタ４０１，４０２にかかる構成について説明する。図１５は内枠１３から接続機構にかかる構成を取り外した状態を示す分解斜視図、図１６は図４のＤ−Ｄ線部分断面図である。なお、図１６においては説明の便宜上、遊技盤ユニット８０にかかる構成を省略している。
【０１３９】
図１５に示すように、内枠側コネクタ４０１，４０２は、それら各内枠側コネクタ４０１，４０２に１対１で対応させて設けられたコネクタ用基板４１１，４１２に個別に取り付けられている。コネクタ用基板４１１，４１２は、一方の板面が内枠側コネクタ４０１，４０２の搭載面４１１ａ，４１２ａ、他方の板面が半田面となっており、搭載面４１１ａ，４１２ａが遊技機正面側を向くようにして配設されている。
【０１４０】
コネクタ用基板４１１，４１２の取付構造について説明すると、樹脂ベース７０において遊技盤ユニット８０の回動先端部に対応する部分（詳しくは下側壁部２６３と右側壁部２６５との境界付近）に、コネクタ用基板４１１，４１２を収容可能な基板取付ベース４１５が配設されている。
【０１４１】
基板取付ベース４１５は、遊技機後方に開放された略箱状をなしており、その下側半分が樹脂ベース７０の背面に後方から対向し、上側半分が周壁部２６１を越えて中央開口７４側へ突出するようにして樹脂ベース７０に固定されている。基板取付ベース４１５の前面部（底部４１６）において中央開口７４側に突出している部分には、前後に開放された開放部４１７，４１８が左右横並びとなるようにして形成されている。これら各開放部４１７，４１８は内枠側コネクタ４０１，４０２に１対１で対応しており、コネクタ用基板４１１，４１２が底部４１６に対して遊技機背面側から取り付けられることで、内枠側コネクタ４０１，４０２がそれら開放部４１７，４１８を通じて遊技機前方に露出した状態となっている（図１６参照）。
【０１４２】
より詳しくは、底部４１６にはコネクタ用基板４１１を取り付けるための取付部４２１と、コネクタ用基板４１２を取り付けるための取付部４２２とが夫々設けられており、各コネクタ用基板４１１，４１２を個別に取り付け可能となっている。取付部４２２は、遊技機斜め前方（前扉枠１４の回動先端側）を向くようにして傾斜する面状をなしており、これら取付部４２２に対してコネクタ用基板４１２が面当たりすることで、それら各コネクタ用基板４１１，４１２の向きが僅かに異なる構成となっている。かかる構成についての詳細は後述する。なお、各コネクタ用基板４１２については、遊技機斜め前方を向いているものの、その前後位置（詳しくは内枠側コネクタ４０１，４０２の前後位置）についてはほぼ同じになっている。これにより、遊技機におけるコネクタの占有領域が上下／左右に拡がることを抑制している。
【０１４３】
上述したように、内枠側コネクタ４０１，４０２を斜め前方を向くように傾けつつ前後位置を揃えることで、詳細については後述するがそれら内枠側コネクタ４０１，４０２と対を成す遊技盤側コネクタ４５１，４５２についても同様の配置が実現できる。遊技盤ユニット８０の背面には、遊技盤側コネクタ４５１，４５２以外にも可変表示ユニット８８や制御装置１４３，１６２等の各種構成が搭載される。遊技盤８０ａの左右／上下の大きさに限りがある点を考慮すれば、上述したように遊技盤ユニット８０の背面側にてコネクタの占有領域をできるだけ小さくすることができ、周辺構成とコネクタとを好適に共存させることができる。
【０１４４】
コネクタ用基板４１１，４１２には、内枠側コネクタ４０１，４０２の下方に位置するようにして中継コネクタ４０３，４０４が併設されている。コネクタ用基板４１１，４１２が基板取付ベース４１５に取り付けられた状態では、内枠側コネクタ４０１，４０２が開放部４１７，４１８を通じて遊技機正面側に露出している一方で、中継コネクタ４０３，４０４は基板取付ベース４１５とコネクタ用基板４１１，４１２とによって囲まれることで同基板取付ベース４１５の外部への露出が抑えられている。中継コネクタ４０３，４０４については、遊技球発射機構１１０等から延びる配線に設けられたコネクタ（例えば発射機構側コネクタ）に接続されており、その接続箇所については、外部からのアクセスが妨げられている。これにより、防犯性の向上が図られている。
【０１４５】
ここで、内枠側コネクタ４０１，４０２については、中継コネクタ４０３，４０４と比較して、露出している部分が多い。しかしながら、このような露出については、遊技盤ユニット８０を装着完了位置に配置することで回避されるように工夫が施されている。
具体的には、図１４に示すように、遊技盤ユニット８０が装着完了位置に配置されて内枠側コネクタ４０１，４０２と遊技盤側コネクタ４５１，４５２が接続された状態では、遊技盤ユニット８０（詳しくは後述する台座等）によって内枠側コネクタ４０１，４０２の露出部分が覆われることとなる。つまり、遊技盤ユニット８０を装着することで、コネクタに対する防犯機能が飛躍的に向上することとなる。これにより、内枠側コネクタ４０１，４０２の露出を許容して遊技盤側コネクタ４５１，４５２との接続を許容したとしても、それに起因して防犯機能が低下することを抑制することができる。
【０１４６】
内枠側コネクタ４０１，４０２は、全体として横長となるように形成された合成樹脂製のコネクタ本体４０６，４０７と、コネクタ本体４０６，４０７の長手方向（水平方向）に並べて設けられた複数の接続端子４０８，４０９とによって構成されている。ここで、図１４、図１７及び図１８を参照して、内枠側コネクタ４０１，４０２（接続端子４０８，４０９）の向きについて補足説明する。図１７は各コネクタの接続態様を示す概略図、図１８は遊技盤ユニット８０の着脱時のコネクタの移動経路を示す概略図である。
【０１４７】
なお、以下の説明においては、両内枠側コネクタ４０１，４０２のうち遊技盤ユニット８０が装着された状態にて同遊技盤ユニット８０の回動先端部側（右側）に位置する一方を「第１内枠側コネクタ４０１」、回動基端部側（左側）となる他方を「第２内枠側コネクタ４０２」と称し、上記両遊技盤側コネクタ４５１，４５２のうち第１内枠側コネクタ４０１に対応するものを「第１遊技盤側コネクタ４５１」、第２内枠側コネクタ４０２に対応するものを「第２遊技盤側コネクタ４５２」と称する。
【０１４８】
図１７に示すように、第１内枠側コネクタ４０１は、遊技盤ユニット８０の回動中心部を構成する受け部２７５よりも後方に配置されている。遊技盤ユニット８０の回動中心部（受け部２７５）を中心として第１内枠側コネクタ４０１及び第１遊技盤側コネクタ４５１の接続箇所（以下、第１接続箇所ＣＰ１という）を通過する第１仮想円ＦＣ１を想定した場合には、当該第１接続箇所ＣＰ１の中央部分を通過する第１仮想円ＦＣ１の接線（以下、第１接線ＴＬ１という）が遊技機の斜め前方（右斜め前方）を向いている。これに合せて、コネクタ本体４０６の挿入口４０６ａの向きと、第１内枠側コネクタ４０１の接続端子４０８の向きとが第１接線ＴＬ１と同じ方向となるように上記取付部４２１（図１４等参照）が形成されている。
【０１４９】
このように、第１内枠側コネクタ４０１が斜め前方を向くように配置したことに合せて、第１遊技盤側コネクタ４５１を斜め後方を向くように配置している。具体的には、第１遊技盤側コネクタ４５１のコネクタ本体４５６の挿入部４５６ａの向きと、接続端子４５８の向きとが第１接線ＴＬ１と同じ方向となるようにして第１遊技盤側コネクタ４５１が配置されている。
【０１５０】
第２内枠側コネクタ４０２についても第１内枠側コネクタ４０１と同様に、遊技盤ユニット８０の回動中心部を構成する受け部２７５よりも後方に配置されている。遊技盤ユニット８０の回動中心部（受け部２７５）を中心として第２内枠側コネクタ４０２及び第２遊技盤側コネクタ４５２の接続箇所（以下、第２接続箇所ＣＰ２という）を通過する第２仮想円ＦＣ２を想定した場合には、当該第２接続箇所ＣＰ２の中央部分を通過する第２仮想円ＦＣ２の接線（以下、第２接線ＴＬ２という）が遊技機の斜め前方（右斜め前方）を向いている。これに合せて、コネクタ本体４０７の挿入口４０７ａの向きと、接続端子４０９の向きとが第２接線ＴＬ２と同じ方向となるように上記取付部４２２が形成されている。
【０１５１】
このように、第２内枠側コネクタ４０２を斜め前方を向くように配置したことに合せて、第２遊技盤側コネクタ４５２を斜め後方を向くように配置している。具体的には、第２遊技盤側コネクタ４５２のコネクタ本体４５７の挿入部４５７ａと接続端子４５９の向きとが第２接線ＴＬ２と同じ方向となるように上記取付部４２２（図１４等参照）が形成されている。
【０１５２】
つまり、第１内枠側コネクタ４０１と第１遊技盤側コネクタ４５１とが接続されるとともに、第２内枠側コネクタ４０２と第２遊技盤側コネクタ４５２とが接続された状況下にて、第１内枠側コネクタ４０１のコネクタ本体４０６と第１遊技盤側コネクタ４５１のコネクタ本体４５６との結合面が第１接線ＴＬ１と同じ方向を向き、第２内枠側コネクタ４０２と第２遊技盤側コネクタ４５２との結合面が第２接線ＴＬ２と同じ方向を向くように構成されている。
【０１５３】
本実施の形態においては、遊技盤ユニット８０を回動させて内枠１３に対して着脱する構成となっている。このため、遊技盤ユニット８０の回動時に遊技盤側コネクタ４５１，４５２が通過する軌道は円弧状をなす（図１８参照）。上述したように、内枠側コネクタ４０１，４０２及び遊技盤側コネクタ４５１，４５２の向きを設定することにより、接続の円滑化を実現するだけでなく、接続時及び接続完了状態にて各コネクタ４０１，４０２，４５１，４５２に歪等が生じることを抑制している。
【０１５４】
コネクタを横に並べて配置しているため、遊技盤ユニット８０の回動中心部から各接続箇所ＣＰ１，ＣＰ２までの距離寸法に差が生じている。つまり、第１仮想円ＦＣ１の半径寸法Ｒ１と第２仮想円ＦＣ２の半径寸法Ｒ２とが相違している。このため、第１接線ＴＬ１と、第２接線ＴＬ２とは平行とならず、前後方向に対する傾きは第１接線ＴＬ１よりも第２接線ＴＬ２のほうが大きくなっている。これに合せて、第２内枠側コネクタ４０２の遊技機側方への傾きも第１内枠側コネクタ４０１の遊技機側方への傾きよりも大きくなっている。つまり、遊技盤ユニット８０の回動中心部寄りに配置されている第２内枠側コネクタ４０２のほうが、より遊技機側方へ向いた状態となっている。
【０１５５】
接続にかかる構成（コネクタ）を複数の組合せに分けて、各コネクタの向きを個々に設定することで、コネクタ接続時にコネクタ同士の強干渉が生じて同コネクタに歪等の不都合が生じることを回避している。特に、コネクタがある程度の横幅を有している場合には、接線からコネクタの端部までの距離が大きくなることで、理想的な接線の傾きと現実の接線の傾きとの差が大きくなる。このため、大型のコネクタを採用した場合には、上記干渉の発生を抑えることが困難になると想定される。この点、本実施の形態においては、コネクタを複数に分けてコネクタの大型化を抑えることで、そのような不都合の発生を抑制している。
【０１５６】
また、第２内枠側コネクタ４０２の横幅Ｗ２が第１内枠側コネクタ４０１の横幅Ｗ１よりも小さく設定されている。上述したコネクタ同士の干渉度合いは、回動中心部に近づくにしたがって大きくなりやすい。そして、上述したようなコネクタの向きの調整を行った場合には、コネクタの左右の端部に生じる誤差が大きくなりやすい。そこで、横幅が相対的に小さい一方を回動中心部側、横幅が相対的に大きい他方を回動先端部側となるように配置することで、上記誤差の影響が強くなることを回避している。
【０１５７】
＜遊技盤側コネクタ４５１，４５２の取付構造＞
次に、図１９及び図２０を参照して遊技盤側コネクタ４５１，４５２の取付構造について説明する。図１９は遊技盤ユニット８０から接続機構にかかる構成を取り外した状態を示す分解斜視図、図２０（ａ）は遊技盤ユニット８０の背面図、図２０（ｂ）は図２０（ａ）のＥ−Ｅ線部分断面図、図２０（ｃ）は遊技盤側コネクタの動作を示す概略図である。
【０１５８】
図１９に示すように、遊技盤ユニット８０の背面には、遊技盤側コネクタ４５１，４５２を遊技盤ユニット８０に取り付けるための中間部材として台座４６１が設けられている。台座４６１は、遊技盤ユニット８０の下側隅部、詳しくは遊技盤ユニット８０の回動先端側の端部であって上述した右側可変入賞装置８３の下方に位置し、回収通路１５１が形成された回収板１５０と横並びとなるようにして配設されている。
【０１５９】
台座４６１は、遊技盤ユニット８０の背面に隙間を隔てて対向する対向部４６２を有している。対向部４６２は、遊技盤ユニット８０の幅方向に延びる長板状をなしており、同幅方向における一方の端部（回収板１５０とは反対側の端部）には、遊技盤ユニット８０の背面側に延びる脚部４６３が形成さている。一方、対向部４６２の他方の端部（回収板１５０側の端部）には、回収板１５０から後方に突出した突出部１５２が挿入される挿入部４６４が形成されている。脚部４６３が遊技盤ユニット８０にネジ止めされ、挿入部４６４と突出部１５２とが係合することで、台座４６１が遊技盤ユニット８０に一体化されている。
【０１６０】
対向部４６２には、第１遊技盤側コネクタ４５１が挿通される開口部４６６と、第２遊技盤側コネクタ４５２が挿通される開口部４６７とが夫々形成されており、対向部４６２に対して遊技盤ユニット８０側（遊技機前方）から両遊技盤側コネクタ４５１，４５２が挿通されている。これにより、遊技盤側コネクタ４５１，４５２の接続部分が、遊技盤ユニット８０の後方に露出した状態となっている。
【０１６１】
図２０（ｃ１），（ｃ２）の概略図に示すように、対向部４６２、脚部４６３、突出部１５２は撓み変形（弾性変形）可能に形成されており、それら各部位成が弾性変形することで、遊技盤側コネクタ４５１，４５２の位置や姿勢（向き）を変化させることが可能なっている。
【０１６２】
このため、遊技盤ユニット８０を着脱する際に、遊技盤側コネクタ４５１，４５２と内枠側コネクタ４０１，４０２とが衝突した場合には、同衝突によって発生する衝撃が上記弾性変形によって緩和される。
【０１６３】
また、遊技盤ユニット８０が回動式となっているため、遊技盤側コネクタ４５１，４５２及び内枠側コネクタ４０１，４０２の接続が開始された初期（コネクタ本体同士の結合初期段階）と接続が完了する終期（コネクタ本体同士の結合完了段階）とでは理想となる接続方向と現実の接続方向との間にズレが生じる。より具体的には、上述したように遊技盤側コネクタ４５１，４５２と内枠側コネクタ４０１，４０２との向きを遊技機斜め前方に傾けて、各接線ＴＬ１，ＴＬ２と一致させたとしても、それは接続が完了した状態でのことであり、接続が完了する前は遊技盤側コネクタ４５１，４５２の向きと、内枠側コネクタ４０１，４０２の向きとが完全に一致するものではない。つまり、遊技盤側コネクタ４５１，４５２と内枠側コネクタ４０１，４０２とが接続を開始した初期は、それら各コネクタの向きに若干のズレが生じていることとなる。
【０１６４】
この点、本実施の形態においては、図２０（ｃ３）の概略図に示すように対向部４６２等の弾性変形によって遊技盤側コネクタ４５１，４５２の姿勢（向き）を変化させることができる。故に、接続開始時に遊技盤側コネクタ４５１，４５２や内枠側コネクタ４０１，４０２に歪が発生することを回避可能となっている。これにより、利便性の向上を図りつつ、それに起因してコネクタ本来の接続機能が損なわれることを抑制することができる。
【０１６５】
また、本実施の形態においては、遊技盤側コネクタ４５１，４５２が上述した接続方向と直交する方向、すなわち遊技盤側コネクタ４５１，４５２の接続端子４５８，４５９が向いている方向と直交する方向へ変位可能な状態で保持されている。つまり、遊技盤ユニット８０に対して上下・左右への相対変位が許容された状態で遊技盤側コネクタ４５１，４５２が保持されている。
【０１６６】
更に、遊技盤側コネクタ４５１，４５２において内枠側コネクタ４０１，４０２に挿入される先端部分（挿入部４５６ａ，４５７ａ）及び内枠側コネクタ４０１，４０２の挿入口４０６a，４０７ａには、遊技盤ユニット８０の装着完了位置への移動に伴って遊技盤側コネクタ４５１，４５２を適正な接続位置に向けて誘導する誘導傾斜部が形成されている。遊技盤ユニット８０については回動可能となっているため、その回動先端側では、上下方向や左右方向での位置ばらつきが大きくなると想定される。そこで、遊技盤側コネクタ４５１，４５２を可変式とし、遊技盤ユニット８０の移動に併せてコネクタ同士の位置調整を行う構成とすることで、そのような位置ばらつきを許容しやすくなっている。
【０１６７】
遊技盤ユニット８０が装着完了位置に配置され、遊技盤側コネクタ４５１，４５２と内枠側コネクタ４０１，４０２との接続が完了した後、すなわちコネクタ本体４０６，４０７とコネクタ本体４５６，４５７の結合が完了した後は、各コネクタの向きと接続方向とが一致する。これにより、仮に接続（結合）初期にコネクタ間に歪等が発生している場合であっても接続（結合）完了位置への到達に伴い、両コネクタの向きが一致することで当該歪が解消されることとなる。このような歪を許容すべく上述した台座４６１の変形が生じている場合であっても、当該変形が不要となり、対向部４６２等に蓄えられた弾性力によって台座４６１等が元の状態に復帰することとなる。故に、対向部４６２と遊技盤ユニット８０との隙間が元の大きさに戻ることとなる。
【０１６８】
遊技盤側コネクタ４５１，４５２が可変式であるのに対して、内枠側コネクタ４０１，４０２については固定式となっている。つまり、少なくともコネクタ接続時に内枠側コネクタ４０１，４０２の位置や姿勢が変化することはない。コネクタ接続が完了した場合には、内枠側コネクタ４０１，４０２によって遊技盤側コネクタ４５１，４５２の位置や姿勢が規制されることとなるため、都度の接続時の遊技盤側コネクタ４５１，４５２の姿勢等にばらつきが生じることを抑制することができる。これにより、過度に大きな変形を許容する構造が不要となり、更には台座４６１にかかる負担を軽減することが可能となる。
【０１６９】
本実施の形態においては、遊技盤側コネクタ４５１，４５２の上方には、上述した右側可変入賞装置８３が位置しており、当該右側可変入賞装置８３から排出された遊技球が対向部４６２と遊技盤ユニット８０との間を通るようにして落下する構成となっている。つまり、上記隙間は遊技中には遊技球用の通路として機能し、遊技中以外（詳しくは遊技盤ユニット８０の着脱時）には緩衝用の変形領域として機能する。これのように状況に応じて同じ隙間が異なる機能を発揮する構成とすることで、球通路とコネクタとを遊技盤ユニット８０の背面という限られた領域内にて共存させることが可能となっている。
【０１７０】
特に、上記隙間を過度に大きくして遊技球の通過領域を常に確保する必要がないため、遊技盤側コネクタ４５１，４５２にかかる構成（特に台座４６１）が無駄に大型化することを抑えることができる。
【０１７１】
以上詳述したように、遊技盤ユニット８０を着脱することで遊技盤ユニット８０と内枠１３とが電気的に接続される構成とすれば、作業者が遊技盤ユニット８０を着脱する際に別途コネクタの接続／解除作業を行う必要がなくなる。これにより、作業性の向上が図られている。
【０１７２】
しかしながら、遊技盤ユニット８０の変位に基づいて遊技盤側コネクタ４５１，４５２と内枠側コネクタ４０１，４０２とが接続される構成においては、遊技盤ユニット８０が勢いよく装着完了位置に向けて移動した場合に、コネクタ同士が接触すると、当該コネクタに加わる衝撃が大きくなる想定される。遊技盤ユニット８０がある程度の重量があることを考慮すれば、このような衝撃については、無視できない大きさになり得る。そして、このような衝撃に耐えることができるようにコネクタの構造やその取付構造等を工夫しようとすれば、コネクタの小型化や配置領域の減縮等が難しくなると想定される。
【０１７３】
そして、如何に上述した各種構成により、遊技盤側コネクタ４５１，４５２と内枠側コネクタ４０１，４０２とを円滑に接続させようとしても、コネクタ４０１，４０２，４５１，４５２やそれに付随する構成に変形や破損等が生じることで、当該円滑化機能が上手く発揮されなくなると想定される。そこで、本実施の形態においては、そのような不都合の発生を抑えるために幾つかの工夫が施されている。具体的には、（１）遊技盤ユニット８０の装着時の姿勢を更に安定させることでコネクタ同士の相対位置のずれを抑える構成、（２）コネクタの接続が開始される前に遊技盤ユニット８０の装着完了位置に向けた変位を抑えて遊技盤ユニット８０の勢いを弱める構成が採用されている。以下、これらの構成について説明する。
【０１７４】
＜遊技盤用の姿勢制御＞
先ず、図２１を参照して工夫（１）にかかる構成について説明する。図２１は、遊技盤ユニット８０装着時の様子を示す概略図である。
【０１７５】
樹脂ベース７０において中央開口７４の下端縁に沿う部分には、既に説明したように左右に延びる平面状の下側壁部２６３が形成されている。下側壁部２６３は上方を向いており、遊技盤ユニット８０が装着完了位置に配置された状態では当該下側壁部２６３上に遊技盤ユニット８０が載っている。つまり、下側壁部２６３には遊技盤ユニット８０が載置される載置部としての機能が付与されている。
【０１７６】
遊技盤ユニット８０の一端部を上記挿入部２９０へ挿入した状態では、遊技盤ユニット８０が上記仮置き部１３５に載った状態となっており、下側壁部２６３と遊技盤ユニット８０との接触が回避されている。遊技盤ユニット８０の下面と切欠き部９５の下面との高低差は、仮置き部１３５の上面と下側壁部２６３との高低差よりも大きく設定されている。このため、遊技盤ユニット８０を装着完了位置に向けて回動させると、遊技盤ユニット８０の下端部が下側壁部２６３に乗り上げた状態となり、これに併せて遊技盤ユニット８０が仮置き部１３５から離間することとなる。
【０１７７】
遊技盤ユニット８０の装着完了位置に向けた回動を継続すると、遊技盤ユニット８０の下面と下側壁部２６３との接触範囲が大きくなる。そして、内枠側コネクタ４０１，４０２の前方にて遊技盤ユニット８０の下面と下側壁部２６３との接触が確保された後に遊技盤側コネクタ４５１，４５２と内枠側コネクタ４０１，４０２との接続が開始されることとなる。つまり、コネクタの接続が開始される時点では、少なくとも遊技盤ユニット８０（詳しくは回動先端部）の上下位置のばらつきが抑えられた状態となり、コネクタ同士の接続が円滑に行われやすくなる。
【０１７８】
＜遊技盤用の減勢機構＞
次に、同じく図２１を参照して工夫（２）にかかる構成について説明する。
【０１７９】
既に説明したように、樹脂ベース７０には遊技盤ユニット８０の取り外しを規制する規制手段として第１ロック装置７９が設けられており、第１ロック装置７９は遊技盤ユニット８０の背面に当接する上記受け部材１２１を有している。遊技盤ユニット８０を装着完了位置に向けて移動させる場合には、遊技盤ユニット８０が受け部材１２１に当たる。受け部材１２１はコイルバネ１２４によって遊技機前方に付勢されており、更には当該受け部材１２１に連動するロック部材１２５が解除位置に存在している。このため、受け部材１２１に当たった遊技盤ユニット８０に対してコイルバネ１２４の付勢力及びピン部材１２８と解除側係合部１２７aとの係合力が遊技盤ユニット８０の移動を妨げる抗力として作用することとなる。つまり、遊技盤ユニット８０の勢いが第１ロック装置７９によって低減される。
【０１８０】
特に、同抗力が十分に大きく設定されており、過度に大きな操作力が加わった場合を除き遊技盤ユニット８０を受け部材１２１に当接した位置で一旦停止させることが可能となっている。なお、本実施の形態においては第１ロック装置７９が「減勢機構」に相当する。
【０１８１】
遊技盤ユニット８０の勢いが弱められた後は、再び遊技盤ユニット８０を上記抗力に逆らうようにして装着完了位置に向けて押すことで、徐々に当該抗力が大きくなる。そして、上記ピン部材１２８が凸部１２７ｃの頂部を乗り越える瞬間に抗力が最大となり、頂部を乗り越えることで、ピン部材１２８とロック時用係合部１２７ｂとが係合することとなる。
【０１８２】
ここで、遊技盤側コネクタ４５１，４５２と内枠側コネクタ４０１，４０２とは、遊技盤ユニット８０と受け部材１２１とが当たって遊技盤ユニット８０の勢いが弱められた後に接続を開始することとなる。つまり、遊技盤ユニット８０が装着完了位置へ向けて押し込まれる等した場合には、その勢いを保ったまま遊技盤側コネクタ４５１，４５２と内枠側コネクタ４０１，４０２とが当たることが回避され、少なくとも装着完了位置へ向けた遊技盤ユニット８０の勢いを弱めた状態でコネクタ同士の接続が開始される。これにより、コネクタ同士が勢いよく衝突するといった不都合を生じにくくしている。
【０１８３】
また、第１ロック装置７９は遊技機正面視にてコネクタ４０１，４０２，４５１，４５２を挟んだ上下に配置されている。このため、遊技盤ユニット８０の動きを妨げるたとしても、遊技盤ユニット８０の姿勢が変化することを抑制可能となっている。このため、遊技盤側コネクタ４５１，４５２が上下に傾く等して、コネクタの接続方向にずれが生じることを抑制することができる。故に、減勢機能を発揮させることに起因して、コネクタの接続が難しくなることを抑えることができる。
【０１８４】
＜接続解除時の負荷低減＞
本実施の形態に示した第１ロック装置７９については、遊技盤ユニット８０の取り付け時だけでなく、遊技盤ユニット８０の取り外し時にもコネクタの保護を発揮することができる。具体的には、遊技盤ユニット８０を取り外す際には、第１ロック装置７９をアンロック状態に切り替える必要がある。そして、第１ロック装置７９の操作部１２９を操作して同第１ロック装置７９をアンロック状態に切り替えることにより、遊技盤ユニット８０が遊技機前方に押し出されることとなる。これにより、内枠側コネクタ４０１，４０２と遊技盤側コネクタ４５１，４５２との接続が解除されることとなる。
【０１８５】
このように、作業者が操作すべき箇所を特定しておくことで、遊技盤ユニット８０が取り外される際の姿勢を安定させることができる。特に、第１ロック装置７９の数は２つに限定されており、作業者が２つの第１ロック装置７９を同時に操作できるように設定しているため、当該姿勢安定化機能を発揮させやくなっている。
【０１８６】
ここで、アンロック状態への切替操作を行った場合の第１ロック装置７９の動作及び当該動作にかかる構成について補足説明する。ロック状態への切替操作を行った場合には受け部材１２１と押え部材１２２とが遊技盤８０ａが挿入される隙間を維持しながら一定の位置関係を保ったまま動作する構成であったのに対して、アンロック状態への切替操作を行った場合には受け部材１２１と押え部材１２２とが上記隙間の広がりを許容すべく受け部材１２１の動作を遅延させる遅延構造が採用されている。
【０１８７】
かかる遅延構造を採用することにより、第１ロック装置７９の操作部１２９を素早く操作したとしても、当該操作に追従してロック部材１２５及び押え部材１２２は素早く動作するものの、受け部材１２１についてはコイルバネ１２４の付勢力によってアンロック状態へと復帰しようとする。つまり、遊技盤ユニット８０は作業者が操作を行った際の操作力によって遊技機前方へ引っ張られるのではなく、コイルバネ１２４の付勢力によって遊技機前方へ押し出されることとなる。このため、遊技盤ユニット８０が急に動き出すことが回避される。
【０１８８】
内枠側コネクタ４０１，４０２と遊技盤側コネクタ４５１，４５２との間に生じる負荷については、接続時のみならず分離時においても発生し得る。そこで、上述の如く、遊技盤ユニット８０の動きを規制して、過度に素早い動きを回避することで、上記負荷が大きくなることを抑制することが可能となっている。
【０１８９】
仮に、作業者が遊技盤ユニット８０を把持して遊技機前方に引っ張ることでコネクタの接続を解除しようとした場合には、作業者が遊技盤ユニット８０のどの位置を把持するかによって遊技盤ユニット８０の姿勢が変化し、更にはどのくらいの力で遊技盤ユニット８０を引っ張るかが不確定となる。これらの不確定要素は、コネクタに生じる負荷を低減する上での障害になり得る。
【０１９０】
そこで、上述したように、遊技盤ユニット８０の取り外し時の不確定要素を減らすことで、コネクタの保護機能を好適に発揮させることができる。
【０１９１】
本実施の形態における遊技盤側コネクタ４５１，４５２及び内枠側コネクタ４０１，４０２には、それぞれ複数の配線が取り付けられている。これら各配線のうち遊技盤側コネクタ４５１に取り付けられた配線Ｈ１については主制御装置１６２に、遊技盤側コネクタ４５２に取り付けられた配線Ｈ２については音声ランプ制御装置１４３等にそれぞれ接続されている。また、内枠側コネクタ４０１に接続された配線Ｈ３については電源・発射制御装置２４３に接続され、配線Ｈ４については払出制御装置２４２等に接続されている。これにより、電源・発射制御装置２４３からの遊技盤ユニット８０への電力の供給経路や、樹脂ベース７０側と遊技盤ユニット８０側との間での各種信号の伝達経路が確保されている。
【０１９２】
遊技盤側コネクタ４５１，４５２と内枠側コネクタ４０１，４０２とが結合されることにより、上述した電気的経路がまとめて形成される点に鑑みれば、これら各コネクタ４０１，４０２，４５１，４５２には遊技盤ユニット８０と内枠１３とを電気的に接続する上で作業効率の向上を図るための機能が付与されているといえる。
【０１９３】
特に、上述したように遊技盤ユニット８０を樹脂ベース７０に対する装着完了位置へと配置する場合に、同装着完了位置へ向けた遊技盤ユニット８０の回動（移動）に伴って遊技盤側コネクタ４５１，４５２と内枠側コネクタ４０１，４０２とが自動的に結合され、遊技盤ユニット８０の装着完了位置から取り外し側に向けた回動（移動）に伴って遊技盤側コネクタ４５１，４５２と内枠側コネクタ４０１，４０２とが分離される構成を採用している。これにより、遊技盤ユニット８０の着脱時に同遊技盤ユニット８０と遊技機本体側との電気的な接続／解除のための別途作業を行う必要がなく、遊技盤ユニット８０の着脱を行う際の作業性の向上が実現されている。
【０１９４】
しかしながら、上述したように遊技盤ユニット８０の動きに応じて結合／分離されるタイプのコネクタ４０１，４０２，４５１，４５２を採用し、遊技盤ユニット８０（詳しくは主制御装置１６２，音声ランプ制御装置１４３，表示制御装置６２０，図柄表示装置９６等）に電力の供給を行う構成においては、電力の供給がなされている最中に突如として遊技盤側コネクタ４５１，４５２と内枠側コネクタ４０１，４０２とが分離されることで、遊技盤ユニット８０に搭載された上記各種電気部品に誤作動や故障等といった不都合が生じやすくなると想定される。
【０１９５】
ここで、本実施の形態においては、遊技盤ユニット８０の着脱作業時の作業性の低下を抑えつつ、突然の電力供給の停止に起因して遊技盤ユニット８０側の各種電気部品に上述したような不具合が発生することを回避するための工夫が施されている。以下、図４及び図２２を参照して、当該工夫に掛かる構成について説明する。図２２（ａ）は図４に示す第２ロック装置５００の正面図、図２２（ｂ）は図２２（ａ）のＦ−Ｆ線部分断面図である。
【０１９６】
図４に示したように、樹脂ベース７０における遊技盤収容部７３の隅部（図の右上であって、遊技盤ユニット８０の回動先端部寄りとなる部分）には、樹脂ベース７０（詳しくは装着完了位置）からの遊技盤ユニット８０の取り外しを阻止可能な第１ロック装置７９が配設されている。
【０１９７】
樹脂ベース７０の前面部分において上側の第１ロック装置７９の側方には、当該第１ロック装置７９に隣接するようにして、第２ロック装置５００が並設されている。第２ロック装置５００は、第１ロック装置７９と同様に樹脂ベース７０に固定されており、同樹脂ベース７０からの遊技盤ユニット８０の取り外しを不可とするロック状態と、遊技盤ユニット８０の取り外しを許容するアンロック状態とに切り替え可能となっている。
【０１９８】
但し、上記第１ロック装置７９については、遊技機本体に対する遊技盤ユニット８０の着脱に際して作業者が操作部１２９を操作することで、手動操作によるロック状態／アンロック状態への切り替えが可能となっているのに対し、第２ロック装置５００については、手動操作によるロック状態／アンロック状態への切り替えが実質的に不可となっている。
【０１９９】
以下、図２２を参照して、第２ロック装置５００について詳しく説明する。
【０２００】
＜第２ロック装置５００＞
図２２に示すように、第２ロック装置５００は、遊技盤ユニット８０が内枠１３の樹脂ベース７０に取り付けられた状態にて遊技機前方への移動を妨げるように機能するストッパ片５０１と、当該ストッパ片５０１を保持するホルダ５０２とを有している。
【０２０１】
ホルダ５０２は、ストッパ片５０１を前後及び左右から挟むようにして保持しており、当該ストッパ片５０１の上下方向へのスライド移動を許容している。つまり、ホルダ５０２によってストッパ片５０１の移動方向が規定されている。
【０２０２】
ホルダ５０２における下端部には、ホルダの内外に貫通するようにして開放部５０３が形成されており、この開放部５０３を通じてストッパ片５０１の一部が遊技盤ユニット８０（遊技盤収容部７３）側に突出している。そして、この突出している部分が遊技盤８０ａの前面に遊技機前方から当接することで遊技盤ユニット８０の遊技機前方への移動が阻止されている。
【０２０３】
ホルダ５０２において、ストッパ片５０１が配設されている領域を挟んで遊技盤ユニット８０とは反対側には、ストッパ片５０１を遊技盤８０ａに当接する突出位置（阻止位置）と、遊技盤８０ａとの当接が回避される退避位置（阻止解除位置）とに移動させる駆動部５０５（詳しくはソレノイド）が設けられている。これらストッパ片５０１，ホルダ５０２，駆動部５０５によって第２ロック装置５００が構成されている。
【０２０４】
駆動部５０５は、下方に突出するようにして設けられた出力軸５０７を有しており、その先端端部（詳しくは遊技盤ユニット８０側の端部）には、上記ストッパ片５０１が固定されている。
【０２０５】
駆動部５０５は、電源・発射制御装置２４３に電気的に接続されており、この電源・発射制御装置２４３がＯＮ状態となっている場合には当該電源・発射制御装置２４３から駆動部５０５に駆動用の電力が供給され、駆動部５０５が励磁状態となる。これにより、ストッパ片５０１が突出位置に移動し、遊技盤８０ａの前面に当接することとなる。一方、電源・発射制御装置２４３がＯＦＦ状態となっている場合には、電源・発射制御装置２４３から駆動部５０５への駆動用の電力の供給が停止され、駆動部５０５が非励磁状態となる。
【０２０６】
ここで、第２ロック装置５００には、ストッパ片５０１を退避位置へと付勢する付勢手段としてコイルバネ５０８が内蔵されており、電源・発射制御装置２４３からの電力の供給が停止して駆動部５０５が非励磁状態となると、バネ付勢力によりストッパ片５０１が退避位置へと変位し、当該退避位置にて保持されるようになっている。なお、コイルバネ５０８としては、圧縮コイルバネ、引張コイルバネ等、任意のバネ部材を用いることが可能である。
【０２０７】
ちなみに、駆動部５０５が励磁されることで発生する押出力（ストッパ片５０１を下方に押し出す力）については、作業者がストッパ片５０１を指等で押し上げた際に発生し得る操作力よりも十分に大きく設定されているため、上述したように手動操作によるストッパ片５０１の切替えが実質的に不可能となっている。
【０２０８】
ここで、図２３を参照して、遊技盤ユニット８０を樹脂ベース７０に対して着脱する際の第２ロック装置５００の動作について説明する。図２３は遊技盤ユニット８０を着脱する際の作業の流れを示す概略図である。
【０２０９】
図２３（１）群に示すように、樹脂ベース７０に対して遊技盤ユニット８０が装着されている状態、すなわち上記内枠側コネクタ４０１，４０２と遊技盤側コネクタ４５１，４５２とが接続されている状態にて、電源・発射制御装置２４３がＯＮとなっている場合には、第２ロック装置５００の駆動部５０５が励磁され、ストッパ片５０１が突出位置にて待機したままとなっている。
【０２１０】
ストッパ片５０１が遊技盤ユニット８０に対して取り外し側から当接しているため、遊技盤ユニット８０の装着完了位置からの移動が妨げられ、例えば遊技盤ユニット８０の取り外しが不可となるように規制されたままとなる。
【０２１１】
なお、第２ロック装置５００がロック状態となっている状況下にて第１ロック装置７９をロック状態からアンロック状態に切り替えようとした場合には、遊技盤ユニット８０の遊技機前方への回動が第２ロック装置５００によって妨げられているため、第１ロック装置７９の切り替え操作が第２ロック装置５００によって規制されることとなる。
【０２１２】
因みに、図４に示したように、両ロック装置７９，５００を互いに隣接させて配置したのは、作業者が第２ロック装置５００を操作しようとした場合に、視覚的にそれができない状況であることを示唆するという機能だけでなく、第１ロック装置７９が無理に操作された場合であっても、遊技盤ユニット８０が撓む等して強制的にアンロック状態に切り替えられてしまうことを回避する機能を付与するための工夫である。
【０２１３】
樹脂ベース７０から遊技盤ユニット８０を取り外す場合には、先ず電源・発射制御装置２４３に設けられた電源スイッチ２４７をＯＦＦに切り替える。これにより、パチンコ機１０における各制御装置では、それぞれ終了用の処理が実行されることとなる。本実施の形態においては、電源スイッチ２４７が遊技機の背面側に設けられており、一方、遊技盤ユニット８０は遊技機正面側から取り外す構成となっている。電源スイッチ２４７をＯＦＦに切り替えた後に、遊技盤ユニット８０の取り外しが試みられるタイミングでは、上記終了用の処理が完了するようになっている。
【０２１４】
電源スイッチ２４７がＯＦＦに切り替えられると、第２ロック装置５００の駆動部５０５への電力の供給が停止することとなる。これにより、駆動部５０５が非励磁状態となり、コイルバネ５０８の付勢力によって出力軸５０７が駆動部５０５のケース内に収容される。この結果、ストッパ片５０１が当接位置から退避位置へと移り、第２ロック装置５００のロック状態からアンロック状態への切り替えが完了することとなる(図２３（２）群参照)。
【０２１５】
このように、第２ロック装置５００がアンロック状態となった場合には、遊技盤ユニット８０の取り外しが第１ロック装置７９によってのみ規制されている状態となっており、未だ装着完了位置に留まっている。
【０２１６】
ここで、作業者が第１ロック装置７９をロック状態からアンロック状態に切り替えると、図２３（３）群に示すように、第１ロック装置７９の受け部材１２１によって遊技盤ユニット８０が遊技機前方へ押し出され、装着完了位置から外れる。これにより、内枠側コネクタ４０１，４０２と遊技盤側コネクタ４５１，４５２とが分離され、内枠１３側と遊技盤ユニット８０側との電気的な接続が解除されることとなる。
【０２１７】
以上詳述した第１の実施の形態によれば以下の優れた効果が期待できる。
【０２１８】
遊技盤ユニット８０の着脱に伴って遊技盤側コネクタ４５１，４５２と内枠側コネクタ４０１，４０２が結合／分離されることで、遊技盤ユニット８０と内枠１３との電気的な接続／解除が実現される。かかる構成においては、遊技盤ユニット８０を内枠１３（樹脂ベース７０）における装着完了位置に配置した場合に、電気的な接続を実現するための別途接続作業が不要となり、更には遊技盤ユニット８０を内枠１３（樹脂ベース７０）から取り外す際の別途接続解除作業が不要となる。これにより、メンテナンス作業等に際して遊技盤ユニット８０を着脱する際の作業性の低下を抑えることができる。
【０２１９】
特に、遊技盤ユニット８０を樹脂ベース７０に対して遊技機前方から取り付ける構成においては、電気的な接続にかかる構成が遊技盤８０ａの背面側に集約されているため、遊技盤ユニット８０の装着が完了した後に、コネクタ等の接続部品へアクセスすることが困難になる。この点、上述したようなコネクタ同士の自動接続機構を採用すれば、目視でコネクタ同士の位置関係を気にしながら遊技盤ユニット８０の装着作業を行う必要がなく、作業の容易化に貢献することもできる。
【０２２０】
しかしながら、このように利便性を追求すべくコネクタ同士の自動接続機構を採用した場合には、自動接続機構の一部として電力の供給線が含まれていることで、以下の不都合が生じ得る。すなわち、電源・発射制御装置２４３の電源スイッチ２４７がＯＮとなっており、内枠側コネクタ４０１，４０２、遊技盤側コネクタ４５１，４５２が分離されることで電力の供給が突如として途切れる可能性がある。この場合、主制御装置１６２や表示制御装置６２０等の各種制御装置においては、各種制御処理を実行している最中に電力の供給が停止されることで、制御処理が上手く終了しなくなる可能性がある。これは、制御装置の破損や誤作動等の要因になるため好ましくない。また、図柄表示装置９６（液晶表示装置）においては、電力の供給が急に途絶えることで、画像表示機能に障害が発生する可能性がある。
【０２２１】
ここで、本実施の形態においては、電源・発射制御装置２４３がＯＮ（オン状態）になっている場合に遊技盤ユニット８０の装着完了位置からの変位を阻止する阻止手段（取り外し規制手段）として第２ロック装置５００が設けられている。第２ロック装置５００によって電力供給中の遊技盤ユニット８０の変位を不可とすることで、突如として遊技盤側コネクタ４５１，４５２と内枠側コネクタ４０１，４０２とが分離されることを回避することができる。故に、遊技盤ユニット８０が有する主制御装置１６２等の各種電気部品を保護することができる。
【０２２２】
仮に、第２ロック装置５００をそのままに、第１ロック装置７９をアンロック状態に切り替えようとした場合であっても、第２ロック装置５００のストッパ片５０１が遊技盤８０ａの前面に対して当接したまま維持されており、第１ロック装置７９の受け部材１２１がコイルバネ１２４の付勢力によって遊技盤８０ａを遊技機正面側へ押し出そうとしても、そのような遊技盤８０ａの動きが妨げられることとなる。これにより、操作手順を理解していない作業者が電源スイッチをＯＦＦに切り替えることなく第１ロック装置７９をアンロック状態にきりかえようとしても、遊技盤８０ａが装着完了位置から変位することがなく、電源・発射制御装置２４３からの電力の供給が突然途切れることを回避することができる。
【０２２３】
特に、第１ロック装置７９と第２ロック装置５００とは、横並びとなるようにして並設されており、作業者の目にとまりやすくなっている。これは、遊技者に、両ロック装置７９，５００がアンロック状態に切り変わらなければ遊技盤ユニット８０を動かすことができないことを示唆するための工夫である。
【０２２４】
なお、既に説明したように、本実施の形態における第１ロック装置７９については、ロック解除時の操作部１２９の動きと受け部材１２１の動きとが完全にリンクしているわけではなく、操作部１２９を操作してロック状態からアンロック状態に切り替えた場合であっても、操作部１２９の動きに遅れるようにして受け部材１２１が動作することとなる。より具体的には、受け部材１２１による遊技盤８０ａの押し出しは主にコイルバネ１２６の付勢力に依存している。このため、操作部１２９に対して加えられた操作力が遊技盤８０ａを解して第２ロック装置５００に伝達されることが回避され、第２ロック装置５００が保護されている。
【０２２５】
また、電源・発射制御装置２４３がＯＦＦ（オフ状態）になっていれば、双方のコネクタが接続状態にあっても、遊技盤ユニット８０の装着完了位置からの変位（遊技盤ユニット８０の取り外し）が第２ロック装置５００により規制されることはなく、かかる状態下において遊技盤ユニット８０の取り外しを制限無く実施できる。これにより、メンテナンス等を実施するための遊技盤ユニット８０の取り外しを行う場合において、その作業性が良好なものとなる。
【０２２６】
電源・発射制御装置２４３は、電源スイッチ２４７のオン／オフの切替操作によりオン状態とオフ状態とのいずれかになるものであるため、メンテナンス等に際して遊技盤ユニット８０を取り外す必要があれば、作業者が電源スイッチ２４７をオン→オフに切替操作すればよい。これにより、遊技盤ユニット８０を取り外し可能な状態に移行させることができる。また、遊技盤ユニット８０を再装着した後には、電源スイッチ２４７をオフ→オンに切替操作することにより、遊技盤ユニット８０を取り外し不可な状態に戻すことができる。
【０２２７】
第２ロック装置５００は、電源・発射制御装置２４３がオン状態である場合に、駆動部５０５の駆動によってストッパ片５０１が当接位置に移動し、遊技盤ユニット８０の取り外し規制の状態を維持する一方、電源・発射制御装置２４３がオフ状態である場合に、コイルバネ５０８の付勢力によってストッパ片５０１が非当接位置に移動し、遊技盤ユニット８０の取り外し規制の状態を解除する構成を有する。したがって、電源・発射制御装置２４３がオフ状態になっている場合（電源スイッチ２４７がオフになっている場合）において、電力の供給がなくても、遊技盤ユニット８０を取り外し可能状態に移行させることができる。
【０２２８】
＜第２の実施の形態＞
上記第１の実施の形態においては、パチンコ機１０（詳しくは樹脂ベース７０）から遊技盤ユニット８０を取り外す場合には、先ずパチンコ機１０の背面に設けられた電源・発射制御装置２４３の電源スイッチ２４７をＯＦＦに切り替える必要がある構成とすることにより、遊技盤ユニット８０側に設けられた各種制御装置等の電気部品への電力の供給が突如として遮断されることを回避してそれら電気部品を保護する構成とした。しかしながら、第１の実施の形態に示す構成においては、例えば遊技盤ユニット８０の背後で球詰まりが発生した場合等、少しだけ遊技盤ユニット８０を動かしたい場合であっても、わざわざ遊技機主部１２を開放し、事前に電源スイッチ２４７をＯＦＦに切り替える必要があった。つまり、上述したような作業が行われる機会は、必ずしも遊技ホールの営業終了後に生じるとは限らず、営業中（遊技中）に生じる可能性がある。
【０２２９】
そこで、本実施の形態においては、遊技機背面にある電源スイッチ２４７をＯＦＦに切り替えることなく、遊技盤ユニット８０を取り外したとしても、上記電気部品を保護可能とする構成を採用することにより、遊技盤ユニット８０を取り外す際の作業性の向上と利便性の向上との両立を図っている。
【０２３０】
以下、図２４を参照して、本実施の形態における特徴的な構成を第１の実施の形態との違いを中心に説明する。図２４は第２の実施の形態における第２ロック装置５００Ｂ及びそれに付随する構成を示す概略図である。
【０２３１】
図２４に示すように、本実施の形態における第２ロック装置５００Ｂのストッパ片５０１Ｂについては、その形状が第１の実施の形態と一部相違している。具体的には、ストッパ片５０１Ｂにおいて遊技盤８０ａ側とは反対を向いている部分（遊技機正面側を向いている部分）には、遊技機前方に凸となる操作つまみ５１１Ｂが形成されている。第２ロック装置５００Ｂを構成するホルダ５０２には、操作つまみ５１１Ｂとの干渉を回避するようにして、切欠き部５１２Ｂが形成されており、この切欠き部５１２Ｂを通じた操作つまみ５１１Ｂへのアクセスが許容されている。
【０２３２】
既に説明したように、上記第１の実施の形態においては、駆動部５０５に発生する押出力（ストッパ片５０１を下方に押し出す力）が大きく設定され、当接位置（ロック位置）に待機しているストッパ片５０１を作業者が指等で退避位置（アンロック位置）へ動かすことが実質的に不可能となっていた。本実施の形態における駆動部５０５Ｂについては見かけ上の差はないものの駆動部５０５Ｂに発生する押出力が第１の実施の形態のそれよりも小さく抑えられており、当接位置（ロック位置）に待機しているストッパ片５０１Ｂを、駆動部５０５Ｂの押出力に抗して、作業者が指等で退避位置（アンロック位置）へと動かすこと（手動操作）が実質的に許容されている。
【０２３３】
また、ストッパ片５０１Ｂにおいて正面側を向いている部分には、遊技盤８０ａの背面部分が遊技機前方から当たることで、突出位置から退避位置へと誘導されるようにして誘導傾斜面５１３Ｂが形成されている。このため、仮にストッパ片５０１が突出位置に存在している状態にて遊技盤ユニット８０を開位置から閉位置（装着完了位置）へと配置しようとした場合には、遊技盤８０ａが誘導傾斜面５１３Ｂに当たり、遊技盤ユニット８０の装着完了位置への変位に伴ってストッパ片５０１Ｂが駆動部５０５Ｂによる押出力に抗して退避位置へ移動することとなる。つまり、遊技盤ユニット８０については、電源・発射制御装置２４３がＯＮ／ＯＦＦの何れの状態であっても、装着完了位置へ向けた変位が許容されている。
【０２３４】
樹脂ベース７０には、第２ロック装置５００Ｂのストッパ片５０１Ｂが退避位置へ到達したことを検知する位置検知センサ５２０が設けられている。位置検知センサ５２０は、電源・発射制御装置２４３に対して電気的に接続されており、当該位置検知センサ５２０からの検知情報は、電源・発射制御装置２４３から上記内枠側コネクタ４０１，４０２及び遊技盤側コネクタ４５１，４５２を通じて主制御装置１６２に入力されることとなる。なお、位置検知センサ５２０の検知情報が、直接主制御装置１６２に入力される構成であってもよい。
【０２３５】
主制御装置１６２(詳しくは後述する電源監視基板６０５)では、位置検知センサ５２０からの検知情報に基づいて、第２ロック装置５００Ｂのストッパ片５０１Ｂが退避位置へ到達したか否かを判定する。
【０２３６】
ここで、図２５を参照して、本実施の形態における遊技盤ユニット８０の着脱作業の様子について説明する。
【０２３７】
電源・発射制御装置２４３がＯＮになっている場合には、図２５（１）群に示すように、第２ロック装置５００Ｂが励磁状態となっており、ストッパ片５０１Ｂによって遊技盤ユニット８０の遊技機前方への変位が妨げられた状態となっている。ここで、図２５（ｂ１）→図２５（ｂ２）に示すように、操作つまみ５１１Ｂを遊技機上方へ押し上げることにより、電源・発射制御装置２４３がＯＮとなっている状況下であって駆動部５０５Ｂにて発生する押出力に抗してストッパ片５０１Ｂが退避位置へと移動することとなる。
【０２３８】
図２５（２）群に示すように、ストッパ片５０１Ｂが退避位置に到達すると、上記位置検知センサ５２０からその旨を示す検知情報が出力され、当該検知情報に基づいて、電源・発射制御装置２４３から第２ロック装置５００Ｂへの動作電力の供給が所定期間（例えば３０ｓｅｃ）に亘って停止される。
【０２３９】
第２ロック装置５００Ｂには、ストッパ片５０１Ｂを退避位置へと付勢する付勢手段としてコイルバネ５０８Ｂが内蔵されており、電源・発射制御装置２４３からの電力の供給が停止して駆動部５０５Ｂが非励磁状態となることで、ストッパ片５０１Ｂが退避位置へと変位し、当該退避位置にて保持されることとなる。つまり、第２ロック装置５００Ｂによって樹脂ベース７０からの遊技盤ユニット８０の取り外しが規制されている状態から、遊技盤ユニット８０の取り外しが許容された状態となる。
【０２４０】
第２ロック装置５００Ｂの切替操作が完了し、ストッパ片５０１Ｂが退避位置にて保持されている状態となった後は、第１ロック装置７９(図４等参照)をロック状態からアンロック状態に切り替えることにより、遊技盤ユニット８０が第１ロック装置７９の受け部材１２１（図２１等参照）によって遊技機前方へ押し出されることとなる。これにより、図２５（３）群に示すように遊技盤ユニット８０が装着完了位置から外れる。
【０２４１】
第１の実施の形態にて既に説明したように、第１ロック装置７９をロック状態からアンロック状態に切り替えた場合には、遊技盤ユニット８０が開方向へ変位することで、遊技盤側コネクタ４５１，４５２と内枠側コネクタ４０１，４０２とが分離され、遊技機本体と遊技盤ユニット８０との電気的な接続が解除されることとなる。この場合、電源・発射制御装置２４３から遊技盤ユニット８０への電力の供給が突如として停止することが懸念される。
【０２４２】
本実施の形態では、遊技盤ユニット８０の変位に伴って同遊技盤ユニット８０への電力供給が停止(以下「電断」ともいう)した場合において、遊技盤ユニット８０に搭載された各種電気部品（例えば制御装置）に誤作動や破損等の不都合が生じることを回避し、それら電気部品を保護するべく、上記構成の第２ロック装置５００Ｂを用いた工夫が施されている。以下、先ず図２６を参照して、本実施の形態における電気的構成について説明し、その後、上記工夫について説明する。図２６は、本実施の形態におけるパチンコ機の電気的構成を示すブロック図である。
【０２４３】
遊技盤ユニット８０側に搭載された主制御装置１６２には、主制御基板６０１が設けられている。主制御基板６０１にはＭＰＵ６０２が搭載されており、ＭＰＵ６０２には、当該ＭＰＵ６０２により実行される各種の制御プログラムや固定値データを記憶したＲＯＭ６０３と、そのＲＯＭ６０３内に記憶される制御プログラムの実行に際して各種のデータ等を一時的に記憶するためのメモリであるＲＡＭ６０４と、割込回路、タイマ回路、データ入出力回路、乱数発生器としての各種カウンタ回路などが内蔵されている。
【０２４４】
ＭＰＵ６０２には、入力ポート及び出力ポートがそれぞれ設けられている。ＭＰＵ６０２の入力側には、主制御装置１６２に設けられた電源監視基板６０５、払出制御装置２４２、各種検知センサなどが接続されている。この場合に、電源監視基板６０５には電源・発射制御装置２４３が接続されており、ＭＰＵ６０２には電源監視基板６０５を介して電力が供給される。また、各種検知センサの一部として、一般入賞口８１用の検知センサ、下作動口用の検知センサ、右作動口用の検知センサ、下側可変入賞装置用の検知センサ、右側可変入賞装置用の検知センサ、スルーゲート用の検知センサが接続されており、主制御装置１６２のＭＰＵ６０２において各入球部への入賞判定（入球判定）が行われる。また、ＭＰＵ６０２では、下作動口８４及び右作動口８５への入賞に基づいて大当たり等の発生抽選を実行するとともに、スルーゲート８６への入賞に基づいてサポート発生抽選を実行する。
【０２４５】
ＭＰＵ６０２の出力側には、電源監視基板６０５、払出制御装置２４２及び音声ランプ制御装置１４３が接続されている。払出制御装置２４２には、例えば、上記入賞対応入球部への入賞判定結果に基づいて賞球コマンドが出力される。この場合、賞球コマンドの出力に際しては、ＲＯＭ６０３のコマンド情報記憶エリアが参照される。そして、一般入賞口８１への入賞を特定した場合には１０個の遊技球の払出に対応した賞球コマンドが出力され、可変入賞装置８２，８３への入賞を特定した場合には１５個の遊技球の払出に対応した賞球コマンドが出力され、下作動口８４への入賞を特定した場合には３個の遊技球の払出に対応した賞球コマンドが出力され、右作動口８５への入賞を特定した場合には４個の遊技球の払出に対応した賞球コマンドが出力される。
【０２４６】
音声ランプ制御装置１４３には、変動開始コマンド、種別コマンド、変動終了コマンド、オープニングコマンド及びエンディングコマンドなどの各種コマンドが出力される。この場合、これら各種コマンドの出力に際しては、ＲＯＭ６０３のコマンド情報記憶エリアが参照される。
【０２４７】
また、ＭＰＵ６０２の出力側には、右作動口８５に付随した電動役物９１を駆動させる駆動部、下側可変入賞装置８２の開閉扉８２ｂを駆動させる可変入賞駆動部８２ｃ、右側可変入賞装置８３の開閉扉８３ｂを駆動させる可変入賞駆動部、主表示ユニット８７の保留数用表示部や各種入球部用表示部等が接続されている。主制御基板６０１には各種ドライバ回路が設けられており、当該ドライバ回路を通じてＭＰＵ６０２は各種駆動部等の駆動制御を実行する。
【０２４８】
つまり、開閉実行モードにおいては可変入賞装置８２，８３が開閉されるように、ＭＰＵ６０２において可変入賞装置８２，８３における可変入賞駆動部の駆動制御が実行される。また、右作動口８５の電動役物９１の開放状態当選（サポート当選）となった場合には、電動役物９１が開閉されるように、ＭＰＵ６０２において電動役物用駆動部の駆動制御が実行される。また、各遊技回に際しては、ＭＰＵ６０２において主表示ユニット８７の主表示部Ｄにおける下作動口用表示部又は右作動口用表示部の表示制御が実行される。
【０２４９】
さらに、ＭＰＵ６０２の出力側には、外部端子板が接続されている。外部端子板には、状態移行に際して信号出力するための出力端子として、大当たり信号出力端子等が設けられている。ＭＰＵ６０２は、遊技結果が大当たり結果となった場合には、遊技ホール側の管理制御装置に対して、大当たり信号出力端子を通じて大当たり信号を出力することができる。具体的には、通常時では、大当たり信号出力端子からＬＯＷレベル信号が出力されており、大当たり結果となった場合にはＨＩレベル信号が出力される。なお、この信号の出力態様は逆でもよい。
【０２５０】
電源監視基板６０５は、主制御基板６０１と電源・発射制御装置２４３とを中継し、また電源・発射制御装置２４３から出力される最大電圧である直流安定２４ボルトの電圧を監視する。払出制御装置２４２は、主制御装置１６２から入力した賞球コマンドに基づいて、払出装置２２４により賞球や貸し球の払出制御を行うものである。
【０２５１】
電源・発射制御装置２４３は、例えば、遊技場等における商用電源（外部電源）に接続されている。そして、その商用電源から供給される外部電力に基づいて主制御基板６０１や払出制御装置２４２等に対して各々に必要な動作電力を生成するとともに、その生成した動作電力を二重線矢印で示す経路を通じて供給する。また、電源・発射制御装置２４３は、遊技球発射機構１１０の発射制御を担うものであり、遊技球発射機構１１０は所定の発射条件が整っている場合に駆動される。
【０２５２】
また、電源・発射制御装置２４３には、内枠１３の樹脂ベース７０に取り付けられた前扉用開放検知センサ５２５が接続されている。電源・発射制御装置２４３は、前扉用開放検知センサ５２５から入力された検知情報を、内枠側コネクタ４０１及び遊技盤側コネクタ４５１を通じて主制御装置１６２へと出力する。
【０２５３】
電源・発射制御装置２４３の電源・発射制御基板６３１には、アンロック状態維持部６３２が設けられている。アンロック状態維持部６３２は、電源スイッチ２４７がＯＮとなっている状況下にて、位置検知センサ５２０から所定の検知情報、すなわち第２ロック装置５００Ｂのストッパ片５０１Ｂが退避位置に到達したことに対応する検知情報が入力されることで、第２ロック装置５００Ｂへの駆動電力の供給を所定期間に亘って停止する。これにより、第２ロック装置５００Ｂのストッパ片５０１Ｂが一時的に退避位置にて保持される。そして、所定期間が経過した後は再び第２ロック装置５００Ｂへの電力の供給が開始されることで、ストッパ片５０１Ｂが突出位置へと復帰することとなる。
【０２５４】
既に説明したように、電源・発射制御装置２４３と遊技盤ユニット８０とは遊技盤側コネクタ４５１，４５２と、内枠側コネクタ４０１，４０２とによって電気的に接続されている。上記位置検知センサ５２０からの検知情報は、電源・発射制御装置２４３→内枠側コネクタ４０１，４０２→遊技盤側コネクタ４５１，４５２を通じて、主制御装置１６２の基板ボックス１６３に主制御基板６０１とともに収容されている電源監視基板６０５に入力されることとなる。
【０２５５】
主制御装置１６２にて後述するコネクタ分離時電断用の処理が実行された場合には、両コネクタ４０１，４５１を通じて電源・発射制御装置２４３からの電力の供給が再開された状況下にて、前扉用開放検知センサ５２５からの検知情報に基づいて前扉枠１４が閉位置に配置されたことが主制御装置１６２（詳しくは電源監視基板６０５）にて確認された場合に、電源監視基板６０５から各種処理の復帰コマンドが主制御基板６０１のＭＰＵ６０２に出力され、ＭＰＵ６０２においては当該復帰コマンドを受信したことにもとづいて、後述する通常処理やタイマ割込み処理等の各種処理を再開する。
【０２５６】
なお、本実施の形態に示すパチンコ機１０においては、遊技盤ユニット８０を装着完了位置から動かす場合に前に前扉枠１４を開放させる必要があり、遊技盤ユニット８０が装着完了位置に上手く配置されていない場合（装着完了位置の手前で止まっている場合等）には前扉枠１４を閉じることが出来ないように構成されている。
【０２５７】
音声ランプ制御装置１４３は、主制御装置１６２から入力した各種コマンドに基づいて前扉枠１４に設けられたランプ部２４〜２６やスピーカ部２７を駆動制御するとともに、表示制御装置６２０を制御するものである。
【０２５８】
表示制御装置６２０はＭＰＵ６２２が搭載された表示制御基板６２１を有してなり、ＭＰＵ６２２には各種の制御プログラムや固定値データを記憶したＲＯＭ６２３、そのＲＯＭ６２３内に記憶される制御プログラムの実行に際して各種のデータ等を一時的に記憶するためのメモリであるＲＡＭ６２４、ビデオディスプレイプロセッサ（ＶＤＰ）、画像データが格納されたキャラクタＲＯＭ、キャラクタＲＯＭから読み出した画像データを一時的に記憶するビデオＲＡＭなどが内蔵されている。
【０２５９】
ＭＰＵ６２２では、音声ランプ制御装置１４３から入力したコマンドに基づいて、可変表示ユニット８８（詳しくは液晶表示装置としての図柄表示装置９６）の表示制御を実行する。この場合に、音声ランプ制御装置１４３では、主制御装置１６２から入力した各種コマンドに基づいて、図柄表示装置９６における図柄の変動表示時間及び最終的に停止表示させる図柄の組み合わせの種類を決定するとともに、リーチ発生の有無及びリーチ演出の内容の抽選を実行する。
【０２６０】
ここで、図柄表示装置９６の表示内容について説明する。図柄表示装置９６の表示画面９６ａには、上・中・下の３つの図柄列が設定されている。各図柄列は、主図柄と副図柄が所定の順序で配列されて構成されている。詳細には、上図柄列には、「１」〜「９」の９種類の主図柄が数字の降順に配列されるとともに、各主図柄の間に副図柄が１つずつ配されている。下図柄列には、「１」〜「９」の９種類の主図柄が数字の昇順に配列されるとともに、各主図柄の間に副図柄が１つずつ配されている。つまり、上図柄列と下図柄列は１８個の図柄により構成されている。これに対し、中図柄列には、数字の昇順に「０」〜「９」の１０種類の主図柄が配列された上で「９」の主図柄と「０」の主図柄との間に「４」の主図柄が付加的に配列され、これら各主図柄の間に副図柄が１つずつ配されている。つまり、中図柄列に限っては、１１個の主図柄が配されて２２個の図柄により構成されている。そして、表示画面９６ａでは、これら各図柄列の図柄が周期性をもって所定の向き（左方）にスクロールするように変動表示される。また、表示画面９６ａは、図柄列毎に３個の図柄が停止表示されるようになっており、結果として３×３の計９個の図柄が停止表示されるようになっている。
【０２６１】
また、表示画面９６ａには、５つの有効ライン、すなわち左ライン、中ライン、右ライン、右下がりライン、右上がりラインが設定されている。そして、上図柄列→下図柄列→中図柄列の順に変動表示が停止し、いずれかの有効ラインに同一の数字が付された図柄の組み合わせが形成された状態、又はいずれかの有効ラインに同一の数字が付された上図柄及び下図柄と「０」が付された中図柄との組み合わせが形成された状態で全図柄列の変動表示が終了すれば、後述する大当たり結果の発生として所定の動画等が表示されるようになっている。
【０２６２】
なお、図柄表示装置９６における図柄の変動表示の態様は上記のものに限定されることはなく任意であり、図柄列の数、図柄列における図柄の変動表示の方向、各図柄列の図柄数などは適宜変更可能である。
【０２６３】
＜各種カウンタについて＞
次に、図２７を参照して上述の如く構成されたパチンコ機１０の動作について説明する。図２７は当否抽選などに用いられる各種カウンタの内容を説明するための説明図である。
【０２６４】
ＭＰＵ６０２は遊技に際し各種カウンタ情報を用いて、大当たり発生抽選、主表示部Ｄの表示の設定（すなわち各種発光部ＤＵ，ＤＬ，ＤＳ，ＤＨにおける発光態様の設定）、図柄表示装置９６の図柄表示の設定などを行うこととしており、具体的には、大当たり発生の抽選に使用する大当たり乱数カウンタＣ１と、確変大当たり結果や通常大当たり結果等の大当たり種別を判定する際に使用する大当たり種別カウンタＣ２と、図柄表示装置９６にて外れ変動を実行する際のリーチ抽選に使用するリーチ乱数カウンタＣ３と、大当たり乱数カウンタＣ１の初期値設定に使用する乱数初期値カウンタＣＩＮＩと、主表示ユニット８７の作動口用表示部ＤＬ，ＤＵび図柄表示装置９６における変動表示時間を決定する変動種別カウンタＣＳとを用いることとしている。さらに、下作動口８４の電動役物９１を電役開放状態とするか否かの抽選に使用する電動役物開放カウンタＣ４を用いることとしている。
【０２６５】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ６０４の所定領域に設定された抽選カウンタ用バッファ６０４ａに適宜格納される。ＲＡＭ６０４には、下作動口用保留エリアＲａと、右作動口用保留エリアＲｂと、実行エリアＡＥと、総保留数記憶領域とよりなる保留球格納エリア６０４ｂが設けられている。そして、この保留球格納エリア６０４ｂに、下作動口８４又は右作動口８５への遊技球の入賞履歴に合わせて、大当たり乱数カウンタＣ１、大当たり種別カウンタＣ２及びリーチ乱数カウンタＣ３の各値が時系列的に格納されるようになっている。
【０２６６】
各カウンタについて詳しくは、大当たり乱数カウンタＣ１は、例えば０〜５９９の範囲内で順に１ずつ加算され、最大値（つまり５９９）に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が下作動口８４又は右作動口８５に入賞したタイミングでＲＡＭ６０４の保留球格納エリア６０４ｂに格納される。より詳しくは、下作動口８４に遊技球が入賞したタイミングでＲＡＭ６０４の下作動口用保留エリアＲａに格納され、右作動口８５に遊技球が入賞したタイミングでＲＡＭ６０４の右作動口用保留エリアＲｂに格納される。
【０２６７】
大当たり当選となる乱数の値は、ＲＯＭ６０３における当否情報群記憶手段としての当否テーブル記憶エリアに当否テーブル（当否情報群）として記憶されている。ここで、当否テーブルの内容について説明する。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。
【０２６８】
上記抽選に際して低確率モード用の当否テーブルが参照されることとなる遊技状態下では、大当たり当選となる乱数の値（すなわち、当選情報）は「７」及び「３０７」の２個である。つまり「０〜５９９」の大当たり乱数カウンタＣ１の値のうち「７」及び「３０７」が大当たり結果に対応している。一方、上記抽選に際して高確率モード用の当否テーブルが参照されることとなる遊技状態下では、大当たり当選となる乱数の値（すなわち、当選情報）は「７」，「３６」・・・「５７２」、「５９８」の２１個である。つまり「０〜５９９」の大当たり乱数カウンタＣ１の値のうち「７」，「３６」・・・「５７２」、「５９８」が大当たり結果に対応している。なお、低確率モードよりも高確率モードの方の当選確率が高くなるのであれば、上記当選となる乱数の数及び値は任意である。なお、各抽選モードにおいて、大当たり当選となる乱数の値以外は、外れとなる。
【０２６９】
大当たり種別カウンタＣ２は、０〜２９の範囲内で順に１ずつ加算され、最大値（つまり２９）に達した後０に戻る構成となっている。ここで、本実施の形態では、複数の大当たり結果が設定されている。これら複数の大当たり結果は、（１）開閉実行モードにおける可変入賞装置８２，８３の開閉制御の態様、（２）開閉実行モード終了後の当否抽選手段における抽選モード、（３）開閉実行モード終了後の右作動口８５の電動役物９１におけるサポートモード、という３つの条件に差違が設定されている。これにより、大別して８つの大当たりが設定されている。
【０２７０】
開閉実行モードにおける可変入賞装置の開閉制御の態様としては、開閉実行モードが開始されてから終了するまでの間における可変入賞装置への入賞の発生頻度が相対的に高低となるように高頻度入賞モードと低頻度入賞モードとが設定されている。
【０２７１】
右作動口８５の電動役物９１におけるサポートモードとしては、遊技領域ＰＥに対して同様の態様で遊技球の発射が継続されている状況で比較した場合に、右作動口８５の電動役物９１が単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０２７２】
低頻度サポートモードと高頻度サポートモードとでは、電動役物開放カウンタＣ４を用いた電動役物開放抽選（サポート抽選）における電役開放状態当選（サポート当選）となる確率が異なっている。具体的には、高頻度サポートモードにおいては低頻度サポートモードよりもサポート抽選に当選する確率が高くなるように設定されている。より詳しくは、本実施の形態においては、高頻度サポートモード中にスルーゲート８６への入賞が発生した場合にサポート抽選に当選する確率は１００％となっており、低頻度サポートモード中にスルーゲート８６への入賞が発生した場合にサポート抽選に当選する確率は２０％となっている。
【０２７３】
また、高頻度サポートモード及び低頻度サポートモードにおいては、サポート抽選に当選した場合に電動役物９１が開放状態となる回数が同じ（詳しくは３回）となるように設定されている一方、１回当たりの開放時間に差が設定されている。具体的には、高頻度サポートモードにおいては１回の開放時間が５ｓｅｃとなるように設定されているのに対して低頻度サポートモードにおいては１回の開放時間が０．１５ｓｅｃとなるように設定されている。
【０２７４】
更には、高頻度サポートモードでは１回のサポート抽選が行われてから次のサポート抽選が行われる上で最低限確保される確保時間が２ｓｅｃであるのに対して、低頻度サポートモードでは同確保時間が１２ｓｅｃとなるよう差が設定されている。
【０２７５】
上記のように高頻度サポートモードでは、低頻度サポートモードよりも右作動口８５への入賞が発生する確率が高くなる。換言すれば、低頻度サポートモードでは、右作動口８５よりも下作動口８４への入賞が発生する確率が高くなるが、高頻度サポートモードでは、下作動口８４よりも右作動口８５への入賞が発生する確率が高くなる。そして、右作動口８５への入賞が発生した場合には、所定個数の遊技球の払出が実行されるため、高頻度サポートモードでは、遊技者は持ち球をあまり減らさないようにしながら遊技を行うことができる。
【０２７６】
なお、高頻度サポートモードを低頻度サポートモードよりも単位時間当たりに電役開放状態となる頻度を高くする上での構成は、上記のものに限定されることはなく、例えばサポート抽選に当選した場合の開放回数に差を設定してもよい。さらには、開放回数、開放時間及び当選確率のうち、いずれか１条件又は任意の組み合わせの条件を相違させることで、高頻度サポートモードと低頻度サポートモードとの設定を行う構成としてもよい。
【０２７７】
再び図２６の説明に戻り、既に説明したように主制御装置１６２にはハーネスを介して音声ランプ制御装置１４３が接続されている。音声ランプ制御装置１４３は、主制御装置１６２から入力した各種コマンドに基づいて前扉枠１４に設けられたランプ部２４〜２６やスピーカ部２７等を駆動制御するとともに、表示制御装置６２０を制御するものである。
【０２７８】
音声ランプ制御装置１４３はＭＰＵ６１２が搭載された音声ランプ制御基板６１１を有してなり、ＭＰＵ６１２には各種制御プログラムや固定値データを記憶したＲＯＭ６１３、そのＲＯＭ６１３内に記憶される制御プログラムの実行に際して各種データを一時的に記憶するためのメモリであるＲＡＭ６１４が内蔵されている。
【０２７９】
ＭＰＵ６１２には、入力ポート及び出力ポートがそれぞれ設けられている。ＭＰＵ６１２の出力側には、上記ランプ部２４〜２６やスピーカ部２７、可変表示ユニット８８用の発光基板や上述した表示制御装置６２０等が接続されている。
【０２８０】
ＭＰＵ６１２では主制御装置１６２から入力したコマンドに基づいて、可変表示ユニット８８の表示制御を実行する。具体的には、音声ランプ制御装置１４３では、主制御装置１６２から入力した各種コマンドに基づいて、図柄表示装置９６における図柄の変動表示時間及び最終的に停止表示させる図柄の組み合わせの種類を決定するとともに、リーチ発生の有無及びリーチ演出の内容の詳細を決定し、その内容をコマンドとして表示制御装置６２０に出力する。
【０２８１】
音声ランプ制御装置１４３は、電源・発射制御装置２４３に対して内枠側コネクタ４０２及び遊技盤側コネクタ４５２を通じて電気的に接続されており、電源・発射制御装置２４３から主制御装置１６２（電源監視基板６０５）を経由することなく電源の供給がなされる構成となっている。つまり、電源・発射制御装置２４３がＯＮとなっている状態にて、遊技盤側コネクタ４５２と内枠側コネクタ４０２とが接続されている状態では電源・発射制御装置２４３から音声ランプ制御装置１４３に電力が供給可能となり、遊技盤側コネクタ４５２と内枠側コネクタ４０２とが接続されている状態では電源・発射制御装置２４３から音声ランプ制御装置１４３への電力の供給が不可となるように構成されている。
【０２８２】
表示制御装置６２０はＭＰＵ６１２が搭載された表示制御基板６２１を有してなり、ＭＰＵ６２２には各種の制御プログラムや固定値データを記憶したＲＯＭ６２３、そのＲＯＭ６２３内に記憶される制御プログラムの実行に際して各種のデータ等を一時的に記憶するためのメモリであるＲＡＭ６２４、ビデオディスプレイプロセッサ（ＶＤＰ）、画像データが格納されたキャラクタＲＯＭ、キャラクタＲＯＭから読み出した画像データを一時的に記憶するビデオＲＡＭなどが内蔵されている。
【０２８３】
表示制御装置６２０のＭＰＵ６２２では、音声ランプ制御装置１４３から入力したコマンドに基づいて、可変表示ユニット８８（詳しくは図柄表示装置９６）の表示制御を実行する。具体的には、音声ランプ制御装置１４３にて最終決定された変動表示の内容及び停止表示する図柄の組み合わせの種類に合わせて遊技回毎に変動表示を行う。
【０２８４】
＜主制御装置１６２にて実行される各種処理について＞
次に、主制御装置１６２内のＭＰＵ６０２にて各遊技回での遊技を進行させる上で実行されるタイマ割込み処理及び通常処理を説明する。なお、ＭＰＵ６０２では、上記タイマ割込み処理及び通常処理の他に、電源投入に伴い起動されるメイン処理やＮＭＩ端子（ノンマスカブル端子）への停電信号の入力により起動されるＮＭＩ割込み処理が実行されるが、これらの処理については説明を省略する。
【０２８５】
＜タイマ割込み処理＞
先ず、タイマ割込み処理について、図２８のフローチャートを参照しながら説明する。本処理は主制御装置１６２のＭＰＵ６０２により定期的に（例えば２ｍｓｅｃ周期で）起動される。
【０２８６】
先ず、ステップＳ１０１では各種スイッチや上記各種検知センサ等の読み込み処理を実行する。具体的には、主制御装置１６２に接続されている各種スイッチや各種検知センサ等の状態を読み込むとともに、当該スイッチの状態を判定して検知情報（例えば入賞検知情報）を保存する。
【０２８７】
その後、ステップＳ１０２では、乱数初期値カウンタＣＩＮＩの更新を実行する。具体的には、乱数初期値カウンタＣＩＮＩを１インクリメントするとともに、そのカウンタ値が最大値に達した際０にクリアする。そして、乱数初期値カウンタＣＩＮＩの更新値を、ＲＡＭ６０４の該当するバッファ領域に格納する。
【０２８８】
続くステップＳ１０３では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４をそれぞれ１インクリメントするとともに、それらのカウンタ値が最大値に達した際それぞれ０にクリアする。そして、各カウンタＣ１〜Ｃ４の更新値を、ＲＡＭ６０４の該当するバッファ領域に格納する。その後、ステップＳ１０４にてスルーゲート８６への入賞に伴うスルー用の入賞処理を実行し、さらにステップＳ１０５にて作動口８４，８５への入賞に伴う作動口用の入賞処理を実行した後に本タイマ割込み処理を終了する。
【０２８９】
ステップＳ１０４のスルー用の入賞処理では、ステップＳ１０１にて保存した検知情報に基づいて遊技球がスルーゲート８６に入賞したか否かを判定する。遊技球がスルーゲート８６に入賞したと判定した場合には、役物保留記憶数が上限値（本実施の形態では４）未満であるか否かを判定する。
【０２９０】
遊技球がスルーゲート８６に入賞し、且つ役物保留記憶数＜４であることを条件に役物保留記憶数を１インクリメントする。そして、上記ステップＳ１０３にて更新した電動役物開放カウンタＣ４の値をＲＡＭ６０４の電役保留エリア６０４ｃの空き記憶エリアのうち最初のエリアに格納する。そして、保留記憶数と対応する保留数用表示部ＤＨを点灯させた後、本入賞処理を終了する。
【０２９１】
一方、スルーゲート８６に遊技球が入賞したと判定されなかった場合又は役物保留記憶数の値が上限値以上と判定された場合には電動役物開放カウンタＣ４の値を格納することなく、本入賞処理を終了する。
【０２９２】
ステップＳ１０５の作動口用の入賞処理では、先ず遊技球が下作動口８４に入賞（始動入賞）したか否かを下作動口８４用の検知センサの検知状態、詳しくはステップＳ１０１にて保存した検知情報により判定する。遊技球が右作動口８５に入賞したと判定した場合には、払出制御装置２４２に遊技球を３個払い出させるための賞球コマンドをセットする。
【０２９３】
その後、下作動口８４に遊技球が入賞したことを遊技ホール側の管理制御装置に対して信号出力すべく外部信号設定処理を行い、下作動口用保留エリアＲａの保留数記憶領域に格納された値を読み出して当該下作動口用保留エリアＲａに保留記憶されている始動保留記憶数をセットする（以下、下作動口用保留記憶数ともいう）。
【０２９４】
このように変更となった始動保留記憶数に対応させて下作動口用の保留ランプ部９８の点灯処理を実行する。具体的には、保留ランプ部９８において左右に並べて配置された４つのＬＥＤのうち現時点での入賞数に対応する数のＬＥＤを点灯させる。例えば、今回の入賞によって保留数が「２」→「３」に加算された場合には、点灯済みの左側２つのＬＥＤに追加して左側から３番目のＬＥＤが点灯されることとなる。その後、大当たり乱数カウンタＣ１、大当たり種別カウンタＣ２及びリーチ乱数カウンタＣ３の各値を格納する情報取得処理を行い、本入賞処理を終了する。
【０２９５】
一方、遊技球が右作動口８５に入賞していないと判定した場合には、遊技球が右作動口８５に入賞（始動入賞）したか否かを右作動口８５用の検知センサの検知状態、詳しくはステップＳ１０１にて保存した検知情報により判定する。遊技球が右作動口８５に入賞したと判定した場合には、払出制御装置２４２に遊技球を４個払い出させるための賞球コマンドをセットする。
【０２９６】
その後、右作動口８５に遊技球が入賞したことを遊技ホール側の管理制御装置に対して信号出力すべく外部信号設定処理を行い、右作動口用保留エリアＲｂの保留数記憶領域に格納された値を読み出して当該右作動口用保留エリアＲｂに保留記憶されている始動保留記憶数をセットする（以下、右作動口用保留記憶数ともいう）。
【０２９７】
このように変更となった始動保留記憶数に対応させて右作動口用の保留ランプ部９９の点灯処理を実行する。具体的には、保留ランプ部９９において左右に並べて配置された４つのＬＥＤのうち現時点での入賞数に対応する数のＬＥＤを点灯させる。例えば、今回の入賞によって保留数が「２」→「３」に加算された場合には、点灯済みの左側２つのＬＥＤに追加して左側から３番目のＬＥＤが点灯されることとなる。その後、上述した情報取得処理と同様の処理を行い、本入賞処理を終了する。
【０２９８】
一方、下作動口８４及び右作動口８５のいずれにも遊技球が入賞しなかった場合には、そのまま本入賞処理を終了する。なお、本作動口用の入賞処理にてセットした賞球コマンドは、後述する通常処理の外部出力処理（ステップＳ２０１）にて払出制御装置２４２に対して送信される。
【０２９９】
＜通常処理＞
次に、通常処理の流れを図２９のフローチャートを参照しながら説明する。通常処理は電源投入に伴い起動されるメイン処理が実行された後に開始される処理であり、同通常処理では遊技の主要な処理が実行される。その概要として、ステップＳ２０１〜Ｓ２０７の処理が４ｍｓｅｃ周期の定期処理として実行され、その残余時間でステップＳ２０９，Ｓ２１０のカウンタ更新処理が実行される構成となっている。
【０３００】
通常処理において、ステップＳ２０１では、タイマ割込み処理又は前回の通常処理で設定したコマンド等の出力データをサブ側の各制御装置に送信する。具体的には、賞球コマンドの有無を判定し、賞球コマンドが設定されていればそれを払出制御装置２４２に送信する。また、変動開始コマンド、種別コマンド、変動終了コマンド等の遊技回用の演出に対応したコマンドや開閉実行モード用の演出に対応したコマンドといった演出用のコマンドが設定されている場合にはそれを音声ランプ制御装置１４３に送信する。また、ＲＡＭ６０４の外部出力バッファに設定されている情報に応じて、外部端子板に対する出力設定を行う。
【０３０１】
続くステップＳ２０２では、変動種別カウンタＣＳの更新を実行する。具体的には、変動種別カウンタＣＳを１加算するとともに、カウンタ値が最大値に達した際にはカウンタ値を０にクリアする。そして、変動種別カウンタＣＳの更新値を、ＲＡＭ６０４の該当するバッファ領域に格納する。
【０３０２】
続くステップＳ２０３では、各遊技回の遊技を進行させるための遊技回制御処理を実行する。この遊技回制御処理では、大当たり等の当否判定及び大当たり種別の振分判定を行うとともに、図柄表示装置９６による図柄の変動表示の設定、主表示ユニット８７（主表示部Ｄ）における作動口用表示部ＤＵ，ＤＬなどの表示制御などを行う。遊技回制御処理の詳細は後述する。
【０３０３】
その後、ステップＳ２０４では、遊技状態を移行させるための遊技状態移行処理を実行する。詳細は後述するが、この遊技状態移行処理により、遊技状態が開閉実行モード、高確率モード、高頻度サポートモードなどに移行する。
【０３０４】
ステップＳ２０５では、右作動口８５に設けられた電動役物９１を駆動制御するための電役サポート用処理を実行する。この電役サポート用処理では、ＲＡＭ６０４の電役保留エリア６０４ｃに格納されている電動役物開放カウンタＣ４から取得した数値情報を用いて電動役物９１を開放状態とするか否かの電役開放抽選（サポート抽選）を行うとともに、電役開放状態当選となった場合には電動役物９１の開閉処理を実行する。また、電役開放抽選の抽選結果を教示するように、主表示ユニット８７（主表示部Ｄ）におけるスルーゲート用表示部の表示制御を行う。
【０３０５】
ここで、既に説明したとおり、電動役物９１によるサポートの態様として、低頻度サポートモードと高頻度サポートモードとが設定されており、遊技状態移行処理にていずれかのサポートモードへの移行が行われる。この場合、ＲＡＭ６０４の各種フラグ格納エリア６０４ｅに高頻度サポートフラグがセットされている場合は高頻度サポートモードとなり、当該フラグがセットされていない場合には低頻度サポートモードとなる。
【０３０６】
続くステップＳ２０６では、遊技球発射制御処理を実行する。遊技球発射制御処理では、遊技球発射ハンドル４１に対して発射操作が行われていることに基づき電源・発射制御装置２４３から出力される発射許可信号を入力していることを条件として、所定の発射期間（例えば、０．６ｓｅｃ）に１回、遊技球発射機構１１０のソレノイド１１１を励磁する。これにより、遊技球が遊技領域に向けて打ち出される。
【０３０７】
続くステップＳ２０７では、ＲＡＭ６０４にコネクタ分離時電断用フラグがセットされているか否かを判定する。コネクタ分離時電断用フラグは、電源監視基板６０５において遊技盤側コネクタ４５１，４５２及び内枠側コネクタ４０１，４０が分離され得る状況すなわち、電源・発射制御装置２４３からの電力の供給が停止され得る状況となった場合に主制御基板６０１のＭＰＵ６０２にてセットされるフラグである。
【０３０８】
より詳しくは、電源監視基板６０５では、上記位置検知センサ５２０からの検知信号（実際には電源・発射制御装置２４３を経由して入力されるセンサ検知信号）に基づいて遊技盤ユニット８０と内枠１３との電気的な接続（電力供給）が停止され得る状況となったか否か、すなわち第２ロック装置５００Ｂのストッパ片５０１Ｂが退避位置に変位したか否かを監視しており、当該状況となったと判定した場合に電断判定情報をＭＰＵ６０２に送信する。そして、ＭＰＵ６０２では、電断判定情報に基づいてコネクタ分離時電断用フラグをセットする。なお、このコネクタ分離時電断用フラグは次回のメイン処理にて消去される。
【０３０９】
コネクタ分離時電断用フラグがセットされていない場合は、繰り返し実行される複数の処理の最後の処理が終了したこととなるので、ステップＳ２０８にて次の通常処理の実行タイミングに至ったか否か、すなわち前回の通常処理の開始から所定時間（本実施の形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する。つまり、ステップＳ２０９では、乱数初期値カウンタＣＩＮＩの更新を実行するとともに、ステップＳ２１０では、変動種別カウンタＣＳの更新を実行する。
【０３１０】
ここで、ステップＳ２０１〜Ｓ２０６の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができ、同様に変動種別カウンタＣＳについてもランダムに更新することができる。
【０３１１】
一方、ステップＳ２０７にて、コネクタ分離時電断用フラグがセットされていると判定した場合は、電力の供給が停止し得る状態となっているため、ステップＳ２１１以降の電断処理を実行する。つまり、ステップＳ２１１では、タイマ割込み処理の発生を禁止し、その後、ステップＳ２１２にてＲＡＭ判定値を算出、保存し、ステップＳ２１３にてＲＡＭ６０４のアクセスを禁止した後に、電源が完全に遮断して処理が実行できなくなるまで無限ループを継続する。この際、ステップＳ２１２での各種データの保持には、電源・発射制御装置２４３から都度供給される電力ではなく、電源監視基板６０５に設けられた電断時用電源部６０５ａ（詳しくは大容量コンデンサ）に蓄えられた電力が使用されることとなる。つまり、ステップＳ２１２では、バックアップ用のメモリ（例えば、電断時用電源部６０５ａにより電源バックアップされているＲＡＭ）に各種遊技データが書き込まれる。
【０３１２】
なお、電断時用電源部６０５ａについては、電源・発射制御装置２４３がＯＮとなっている状況下にて、両コネクタ４０１，４５１が接続されている場合に電源・発射制御装置２４３から主制御装置１６２に供給される電力によって充電される。また、その容量については、所定期間（例えば１日）に亘って上記各種データを保持可能となるように設定されている。
【０３１３】
ステップＳ２０７にて、コネクタ分離時電断用フラグがセットされていると判定した場合に、その旨の信号が電源・発射制御装置２４３に出力され、電源・発射制御装置２４３では、第２ロック装置５００Ｂへの電力供給を停止するとよい。これにより、第２ロック装置５００Ｂが非規制状態のまま維持されることとなり、遊技盤ユニット８０を取り外す際に第２ロック装置５００Ｂが作業の邪魔になることを抑制することができる。
【０３１４】
＜表示制御装置６２０による電断処理＞
本実施の形態では、主制御装置１６２だけでなく、表示制御装置６２０においてもコネクタ分離時の電断処理が実施されるようになっており、かかる処理について図３０を用いて説明する。図３０は、表示制御装置６２０のＭＰＵ６２２により実行される表示制御処理を示すフローチャートであり、本処理は例えば所定の時間周期で繰り返し実行される。
【０３１５】
図３０において、まずステップＳ３０１では、主制御装置１６２からコネクタ分離時電断用コマンドが送信されているか否かを判定する。コネクタ分離時電断用コマンドは、電源監視基板６０５において遊技盤側コネクタ４５１，４５２及び内枠側コネクタ４０１，４０が分離され得る状況すなわち、電源・発射制御装置２４３からの電力の供給が停止され得る状況となった場合に主制御装置１６２から送信されるコマンドであり、より具体的には、図２９のステップＳ２０７がＹＥＳとなった場合に送信されるコマンドである。
【０３１６】
コネクタ分離時電断用コマンドが送信されていない場合は、ステップＳ３０２〜Ｓ３１０にて通常時の制御処理を実行する。通常時の制御処理を簡単に説明すると、ステップＳ３０２では、変動用コマンドを受信しているか否かを判定し、変動用コマンドを受信していれば、ステップＳ３０３にて変動開始用処理を実行する。変動開始用処理では、表示継続期間の情報を読み出し、リーチ発生の有無の把握、大当たり結果の有無の把握、大当たり結果の情報が含まれている場合においてその大当たり結果の種別の把握、遊技回用演出態様の設定などに関する処理を実行する。これにより、今回の遊技回における図柄の変動表示が図柄表示装置９６にて開始される。
【０３１７】
また、ステップＳ３０４では、１遊技回の実行中であるか否かを判定し、１遊技回の実行中であれば、ステップＳ３０５にて変動中用処理を実行する。変動中用処理では、都度の描画指示の要求に応じて適宜の描画処理を実行する。
【０３１８】
また、ステップＳ３０６では、オープニングコマンドを受信しているか否かを判定し、オープニングコマンドを受信していれば、ステップＳ３０７にてオープニング設定処理を実行する。当該設定処理では、オープニング演出用の描画指示タイミングにおいてそのタイミングに対応した描画リストの情報を出力し、図柄表示装置９６にオープニング演出の画像を表示させる。
【０３１９】
また、ステップＳ３０８では、デモ画像（開始待ち演出の画像）の開始タイミングであるか否かを判定し、デモ画像の開始タイミングであれば、ステップＳ３０９にて、デモ画像用処理を実行する。デモ画像用処理では、デモ画像用の描画指示タイミングにおいてそのタイミングに対応した描画リストの情報を出力し、図柄表示装置９６にデモ画像を動画として表示させる。
【０３２０】
その後、ステップＳ３１０では、その他の処理を実行する。その他の処理では、例えば各ラウンド演出やエンディング演出についての描画指示タイミングであるか否かを判定し、描画指示タイミングである場合に、当該描画指示タイミングに対応した描画リストの情報を出力する。その他の処理を実行した後、本表示制御処理を終了する。
【０３２１】
一方、コネクタ分離時電断用コマンドが送信されている場合は、ステップＳ３１１に進み、コネクタ分離時の電断処理を実行する。この電断処理では、コネクタ分離に関する報知のメッセージを情報を図柄表示装置９６に表示させる。具体的には、「コネクタ分離のための準備作業をしております。」等のメッセージを表示したり、実際のコネクタ分離作業（ユニット取り外し作業）を遅延させる場合に「しばらくそのまま待ってください。」等のメッセージを表示させたりする。
【０３２２】
かかる電断処理では、その他、各種データ情報（ＲＡＭ値）をバックアップ領域に保存する処理や、図柄表示装置９６においてメッセージを所定時間表示させた後に、その図柄表示装置９６の電源をオフする処理等が実施される。なお、各種データ情報（ＲＡＭ値）をバックアップ領域に保存することを想定すると、表示制御装置６２０に、コンデンサ等からなる電断時用電源部が設けられているとよい。
【０３２３】
以上詳述した第２の実施の形態によれば以下の優れた効果が期待できる。
【０３２４】
樹脂ベース７０側及び遊技盤ユニット８０側の双方のコネクタ（４０１，４０２，４５１，４５２）が、本パチンコ機１０にとって前触れ無くいきなり接続解除（分離）されるのではなく、第２ロック装置５００Ｂについて所定操作（ストッパ片５０１Ｂを退避位置に移動させる操作）が行われることを経由して接続解除されるようにした。つまり、所定操作が行われることで両コネクタの接続が解除され得る状況となり、その状況下で、遊技盤ユニット８０の取り外しに伴い実際に両コネクタの接続解除が行われるようにした。この場合、主制御装置１６２において前記所定操作の有無を判定するようにしたため、メンテナンス作業等に際し、パチンコ機１０への電源供給をオンしたまま遊技盤ユニット８０を装着完了位置から変位させる場合（例えば少しだけ位置をずらしたり支持対象から取り外したりする場合）に、双方のコネクタ同士の接続が解除され得る状況となったことを、実際の接続解除前（装着完了位置からの遊技盤ユニット８０の変位前）に判定することができる。そして、その接続解除前に、主制御装置１６２や表示制御装置６２０等において所定の電断処理を実行することができる。
【０３２５】
この場合、電断処理として、実行中の制御の終了処理や各種情報の保存用処理が実行されるようになっており、その電断処理の実行により、各種遊技データの損失や、各機器の誤作動、破損等の不都合を抑制できる。これにより、遊技者や遊技ホールの利益担保を妨げる要因を排除できる。
【０３２６】
また、第２ロック装置５００Ｂのロック状態からアンロック状態への切替操作を所定操作として検出する構成としている。この場合、実際の遊技盤ユニット８０の取り外し時には、作業者が第２ロック装置５００Ｂについてアンロック操作をし、その後に遊技盤ユニット８０の取り外し作業を開始することを考えると、アンロック操作から次のユニット取り外しに移行する時間が、各制御装置で電断処理が実行される時間として利用できることとなる。したがって、同電断処理を実行する期間を確保することができる。
【０３２７】
第２ロック装置５００Ｂは、電源・発射制御装置２４３のオン状態では、駆動部５０５Ｂによりロック状態となり、かつ当該ロック状態からアンロック状態への手動による切替操作が可能となっており、一方で、電源・発射制御装置２４３のオフ状態では、コイルバネ５０８Ｂによりアンロック状態となるものである。そのため、遊技盤ユニット８０側に電力供給がなされている状態下では、基本的には遊技盤ユニット８０の取り外しが制限されつつも、作業者（ホール従業員等）によりアンロック切替操作が行われることで遊技盤ユニット８０の取り外しが可能となっている。アンロック切替操作が行われた場合には、それに付随して電断処理が実行されるのは既述のとおりである。
【０３２８】
また、電源・発射制御装置２４３のオフ状態では、第２ロック装置５００Ｂがアンロック状態になっていることで、遊技盤ユニット８０の取り外しを制限無く実施できる。
【０３２９】
電断処理として、各制御装置１６２，６２０が有する電断時情報（遊技データ等）をバックアップ用のメモリに記憶する記憶処理（図２９のステップＳ２１２）を実行するようにした。この場合、遊技盤ユニット８０の取り外しが行われる場合には、その前に、電断時情報がバックアップ用のメモリに記憶されることとなる。これにより、遊技盤ユニット８０が再装着されて（すなわち両コネクタが再接続されて）各制御装置の通常動作が再開される場合に、バックアップ用のメモリに記憶されている電断時情報を用いることで通常動作への復帰を適正に実施できる。
【０３３０】
また、遊技盤ユニット８０には、電断状態において各制御装置に電力を供給する電断時用電力供給手段としての電断時用電源部６０５ａが設けられているため、両コネクタの分離に伴い電源・発射制御装置２４３から遊技盤ユニット８０側への電力供給が遮断されても、各制御装置において好適に電断処理を実施できる。
【０３３１】
＜第３の実施の形態＞
本実施の形態では、遊技盤ユニット８０を樹脂ベース７０に対する装着完了位置から取り外し側に変位させる場合に、各コネクタ（コネクタ４０１＆４５１、４０２＆４５２）の接続状態を維持したまま遊技盤ユニット８０の変位が可能となる構成としている。そしてそれにより、遊技盤ユニット８０を取り外しのために変位させる場合に、意図せずコネクタ接続部における電気的な接続が解除されてしまうという不都合を抑制することとしている。
【０３３２】
なお本実施の形態では、遊技盤ユニット８０を装着完了位置から取り外し側に変位させても各コネクタ（コネクタ４０１＆４５１、４０２＆４５２）の接続状態を維持でき、コネクタ接続部の電気的な接続が突如として解除されることはない。そのため、上記第２の実施の形態で説明した、各制御装置（主制御装置１６２、表示制御装置３２０）での電断処理は不要となっている。
【０３３３】
図３１は、本実施の形態におけるコネクタ接続部における構成を示す図であり、（ａ）はコネクタ接続部の横断面、（ｂ）はコネクタ接続部の縦断面を示している。なお、２つのコネクタ接続部（コネクタ４０１＆４５１、４０２＆４５２）はそれぞれ同様の構成を有しているため、図３１には、第１内枠側コネクタ４０１及び第１遊技盤側コネクタ４５１の接続部について示しており（後述の図３２も同様）、ここではコネクタ４０１＆４５１について構成及び作用の説明を行うこととしている。
【０３３４】
図３１に示す構成では、既述した構成との相違点として、コネクタ用基板４１１が取り付けられている基板取付ベース４１５に、その基板取付ベース４１５に対するコネクタ用基板４１１の取付状態を保持及び解除することができるストッパ装置７０１を設けている。具体的には、ストッパ装置７０１は、基板取付ベース４１５の遊技盤８０ａ側においてコネクタ用基板４１１の側方に設けられており、ストッパ片７０２をコネクタ用基板４１１に係合させることで、基板取付ベース４１５に対してコネクタ用基板４１１が取り付けられた状態を保持する一方（図示の状態）、ストッパ片７０２の係合を解除することで、基板取付ベース４１５に対してコネクタ用基板４１１を取り外せるようにしている。
【０３３５】
これにより、ストッパ装置７０１においてストッパ片７０２のコネクタ用基板４１１に対する係合が解除されれば、第１内枠側コネクタ４０１は基板取付ベース４１５（樹脂ベース７０）に対して変位できることとなる。したがって、両コネクタ４０１＆４５１が接続状態にある場合に、遊技盤ユニット８０が取り外し側に変位すると、遊技盤ユニット８０に追従して、その変位方向に第１内枠側コネクタ４０１が変位することとなる。要するに、本実施の形態では、第１内枠側コネクタ４０１が可動コネクタとなっている（第２内枠側コネクタ４０２も同様）。
【０３３６】
ストッパ装置７０１は、ストッパ片７０２を係合位置と非係合位置とで移動させる（図の左右方向に移動させる）ための駆動部を有しており、その駆動部は電源・発射制御装置２４３からの駆動信号に基づいて駆動される。また、ストッパ装置７０１には、ストッパ片７０２を図示の係合位置に保持するべく付勢する付勢手段（バネ等）が設けられている。そのため、ストッパ装置７０１のオフ時（駆動部の非通電時）にはストッパ片７０２が係合位置に保持され、ストッパ装置７０１のオン時（駆動部の通電時）にはストッパ片７０２が非係合位置に移動するようになっている。
【０３３７】
基板取付ベース４１５には開口部４１５ａが設けられており、コネクタ用基板４１１の裏面側から延びる配線Ｈ３は、開口部４１５ａを挿通させて設けられている。配線Ｈ３は、一端がコネクタ用基板４１１、他端が制御装置（ここでは電源・発射制御装置２４３）に各々接続されるものであり、この配線Ｈ３が電源・発射制御装置２４３からの供給電力が流れる電力供給経路となっている。
【０３３８】
ここで、配線Ｈ３は、遊技盤ユニット８０を樹脂ベース７０に対する装着完了位置から取り外し側に変位させた場合に、第１内枠側コネクタ４０１と第１遊技盤側コネクタ４５１とを接続状態のまま維持できるようにするべく、それに必要な十分な長さ（第１内枠側コネクタ４０１の変位を想定した余長分）を有しており、遊技盤ユニット８０を樹脂ベース７０に装着した状態を考えると、電気配線が余剰となる。そのため、基板取付ベース４１５には、配線Ｈ３を巻き取るための配線巻取り装置７０５が設けられている。配線巻取り装置７０５は、配線Ｈ３を巻き取るための巻取り軸７０６と、この巻取り軸７０６に設けられ、配線Ｈ３を巻き取り側に付勢する付勢手段としてのバネ装置（図示略）とを備えている。具体的には、バネ装置は例えばゼンマイバネを有するものであり、そのゼンマイバネの一端に、巻回状態の配線Ｈ３が接続されている。したがって、遊技盤ユニット８０の取り外し時には、ゼンマイバネの引張力に抗して配線Ｈ３が引き出され、遊技盤ユニット８０の装着時には、その引張力により配線Ｈ３が再び巻き取られる。
【０３３９】
なお、バネ装置の巻取りバネ力は、両コネクタ４０１，４５１が結合された状態で、その結合状態を解除する力（一方のコネクタを接続解除方向に引っ張ることで他方のコネクタから引き離す力）よりも小さい力となっている。これにより、第１遊技盤側コネクタ４５１を第１内枠側コネクタ４０１から引き離すべく同コネクタ４５１を引っ張った場合に、両コネクタ４０１，４５１の接続状態が維持されたまま、配線Ｈ３が配線巻取り装置７０５から引き出されるようになっている。
【０３４０】
次に、遊技盤ユニット８０（遊技盤８０ａ）を樹脂ベース７０に対する装着完了位置から取り外し側に変位させる場合におけるコネクタ接続状態について、図３２を用いて説明する。なお、図３２において（ａ１）、（ａ２）は、ストッパ装置７０１を非駆動状態にしたまま（すなわちストッパ片７０２を係合状態にしたまま）遊技盤ユニット８０を取り外す場合を示し、（ｂ１）、（ｂ２）は、ストッパ装置７０１を駆動状態にして（すなわちストッパ片７０２を非係合状態に操作して）遊技盤ユニット８０を取り外す場合を示している。
【０３４１】
ここで、本パチンコ機に対して外部電源が供給されていない場合（電源スイッチ２４７＝オフの場合）には、電源・発射制御装置２４３からストッパ装置７０１に駆動信号が送信されておらず、ストッパ装置７０１は図３２（ａ１）、（ａ２）に示す状態となっている。この（ａ１）、（ａ２）の状態では、ストッパ片７０２によって基板取付ベース４１５に対するコネクタ用基板４１１の分離が規制されているため、すなわち第１内枠側コネクタ４０１が変位非許可状態となっているため、遊技盤ユニット８０を装着完了位置から取り外し側に変位させると、第１内枠側コネクタ４０１が不動のまま、第１遊技盤側コネクタ４５１が第１内枠側コネクタ４０１から外れる。つまり、遊技盤ユニット８０の変位に伴い直ちに両コネクタ４０１，４５１の接続が解除される。この場合、本パチンコ機に対する電源供給自体がオフされている状態なので、両コネクタ４０１，４５１の接続がいきなり解除されても問題は生じない。
【０３４２】
一方、本パチンコ機に対して外部電源が供給されている場合（電源スイッチ２４７＝オンの場合）には、電源・発射制御装置２４３からストッパ装置７０１に駆動信号が送信されており、ストッパ装置７０１は図３２（ｂ１）、（ｂ２）に示す状態となっている。この（ｂ１）、（ｂ２）の状態では、基板取付ベース４１５に対するコネクタ用基板４１１の分離規制が解除されているため、すなわち第１内枠側コネクタ４０１が変位許可状態となっているため、遊技盤ユニット８０を装着完了位置から取り外し側に変位させると、両コネクタ４０１，４５１の接続状態が維持されたまま、遊技盤ユニット８０と一緒に両コネクタ４０１，４５１が変位する。つまり、第１内枠側コネクタ４０１からすると、この第１内枠側コネクタ４０１が、遊技盤ユニット８０の変位に追従させて変位する。この場合、両コネクタ４０１，４５１の接続が解除されないため、遊技盤ユニット８０の取り外し時のコネクタ遮断に起因する問題は生じない。
【０３４３】
以上詳述した第３の実施の形態によれば以下の優れた効果が期待できる。
【０３４４】
電源・発射制御装置２４３から遊技盤ユニット８０側に電力が供給されている場合において、遊技盤ユニット８０を装着完了位置から取り外し側に変位させる際に、ストッパ装置７０１により両コネクタ（コネクタ４０１＆４５１、４０２＆４５２）を接続状態のまま維持するようにしたため、その遊技盤ユニット８０の取り外し側への変位に伴い突如として電力の供給が停止されることを抑制できる。
【０３４５】
また、遊技盤ユニット８０側への電力供給が停止される場合に、その電力供給の停止に対応すべく例えば電気部品（制御装置）にて開始処理や終了処理等を行う構成を想定すると、このような処理が遊技の円滑な進行を妨げる要因となり得る。この点、コネクタ接続を維持したまま遊技盤ユニット８０を変位させることが可能となれば、そのような不都合を生じにくくすることができる。
【０３４６】
ストッパ装置７０１は、電源・発射制御装置２４３がオン状態になっている場合に、内枠側コネクタ４０１，４０２（可動コネクタ）を変位許可状態とし、電源・発射制御装置２４３がオフ状態になっている場合に、内枠側コネクタ４０１，４０２を変位非許可状態とするものである。そのため、電源オン状態では、遊技盤ユニット８０の取り外しに際して、両コネクタ（コネクタ４０１＆４５１、４０２＆４５２）を接続状態のまま維持することができ、電源・発射制御装置２４３から遊技盤ユニット８０側への電力供給を継続できる。また、電源オフ状態では、遊技盤ユニット８０の取り外し時には両コネクタ（コネクタ４０１＆４５１、４０２＆４５２）が互いに分離されることとなる。こうしてコネクタ分離の状況も想定していることから、遊技盤ユニット８０のメンテナンス等に際して、同ユニットの取り外し作業性が低下することが回避される。
【０３４７】
可変コネクタ（内枠側コネクタ４０１，４０２）が設けられる樹脂ベース７０側に、配線Ｈ３の余長分を巻き取る配線巻取り装置７０５を設けたため、遊技盤ユニット８０を装着完了位置に向けて変位させる場合（装着完了位置に復帰させる場合）において配線Ｈ３に生じる弛みが軽減される。したがって、配線Ｈ３の弛み（余り）に起因して配線Ｈ３が遊技盤ユニット８０と樹脂ベース７０との間に挟まる等の不都合の発生を抑えることができる。
【０３４８】
樹脂ベース７０に設けられた第１ロック装置７９によれば、遊技盤ユニット８０が装着完了位置に配置される場合にその移動途中の遊技盤ユニット８０を減勢させることができる（遊技盤ユニット８０の移動の勢いを、受け部材１２１及びコイルバネ１２４により減衰させることができる）。この場合、装着完了位置に向けた遊技盤ユニット８０の移動速度を軽減することで、遊技盤ユニット８０（可動コネクタ）の移動速度と、配線Ｈ３の巻取り速度との差を小さくし、上記弛みの発生を好適に抑えることができる。
【０３４９】
本パチンコ機１０は、遊技盤ユニット８０の遊技盤８０ａの背後に案内通路を有し、案内通路から流出した遊技球が内枠１３の背面側に設けられた回収通路で回収される構成となっており、かかる構成を考えると、遊技中において、それら各通路や、両通路の間にて球詰まりが発生する可能性がある。この点、本実施の形態の構成では、上記のとおりコネクタ接続を維持したまま遊技盤ユニット８０を変位させることができるため、球詰まりの確認作業や解消作業等を行う上で作業の簡易化を実現できる。また、これらの作業を行うにあたり、パチンコ機１０の背面を晒すことも無い。パチンコ機の背面には制御装置等の利益にかかる構成が配置されているので、このような構成が遊技者等の目にとまる機会を減らすことで、防犯機能を好適に向上させることができる。
【０３５０】
＜第４の実施の形態＞
本実施の形態では、第３の実施の形態における構成（図３１の構成）の一部を変更しており、図３３は、本実施の形態におけるコネクタ接続部における構成を示す図である。図３３では、図３１と共通の構成については同じ符号を付しており、以下、図３１との相違点を説明する。図３３には示されていないが、本実施の形態では、第３の実施の形態と同様、図３１（ａ）に示されているストッパ装置７０１を備えている。
【０３５１】
なお、２つのコネクタ接続部（コネクタ４０１＆４５１、４０２＆４５２）はそれぞれ同様の構成を有しているため、図３３には、第１内枠側コネクタ４０１及び第１遊技盤側コネクタ４５１の接続部について示しており（後述の図３４も同様）、ここではコネクタ４０１＆４５１について構成及び作用の説明を行うこととしている。
【０３５２】
図３３に示すように、遊技盤８０ａの背面側には、その遊技盤背面と基板取付ベース４１５との間の隙間部分に台座４６１（第１遊技盤側コネクタ４５１用の台座）に並べて結合装置７１１が設けられている。この結合装置７１１は、例えば本パチンコ機に対する電源供給時において、遊技盤８０ａに対して樹脂ベース７０側のコネクタ用基板４１１を一体的に結合させておく、換言すれば両コネクタ４０１，４５１の接続状態を保持するためのコネクタ結合手段である。結合装置７１１は、遊技盤８０ａの背面側に固定される本体部７１２と、その本体部７１２から遊技機後方に向けて延びる係止部材７１３とを備えており、その係止部材７１３の先端部に形成された爪部７１３ａがコネクタ用基板４１１に係止されることで、遊技盤８０ａに対してコネクタ用基板４１１が一体的に結合されるようになっている。
【０３５３】
係止部材７１３は、本体部７１２に設けた軸部により回動可能となっており、係止部材７１３の回動によってコネクタ用基板４１１に対する係止が解除されるようになっている。
【０３５４】
結合装置７１１は、係止部材７１３の回動位置を変化させるための駆動部を有しており、その駆動部は電源・発射制御装置２４３からの駆動信号に基づいて駆動される。また、結合装置７１１には、係止部材７１３を図示の係止位置に保持するべく付勢する付勢手段（バネ等）が設けられている。そのため、結合装置７１１のオフ時（駆動部の非通電時）には係止部材７１３が非係止位置に保持され、結合装置７１１のオン時（駆動部の通電時）には係止部材７１３が係止位置に回動するようになっている。なお、係止部材７１３が非係止位置にある状態が結合解除状態に相当し、係止部材７１３が係止位置にある状態が結合保持状態に相当する。
【０３５５】
次に、遊技盤ユニット８０（遊技盤８０ａ）を樹脂ベース７０に対する装着完了位置から取り外し側に変位させる場合におけるコネクタ接続状態について、図３４を用いて説明する。なお、図３４において（ａ）は、結合装置７１１を非駆動状態にしたまま（すなわち係止部材７１３を非係止状態にしたまま）遊技盤ユニット８０を取り外す場合を示し、（ｂ）は、結合装置７１１を駆動状態にして（すなわち係止部材７１３を係止状態に操作して）遊技盤ユニット８０を取り外す場合を示している。
【０３５６】
なお、本実施の形態では、コネクタ接続構造として、図３３に示す結合装置７１１に加え、図３１で説明したストッパ装置７０１を備える構成を想定しており、図３４（ａ）の状態では、ストッパ装置７０１及び結合装置７１１が共に非駆動（オフ）の状態となっており、図３４（ｂ）の状態では、ストッパ装置７０１及び結合装置７１１が共に駆動（オン）の状態となっている。
【０３５７】
ここで、本パチンコ機に対して外部電源が供給されていない場合（電源スイッチ２４７＝オフの場合）には、電源・発射制御装置２４３から結合装置７１１に駆動信号が送信されておらず、結合装置７１１は図３４（ａ）に示す状態となっている。この（ａ）の状態では、係止部材７１３がコネクタ用基板４１１に係止されておらず、両コネクタ４０１＆４５１の分離が許容されている。また、ストッパ装置７０１に関して言えば、図３２（ａ１）、（ａ２）に示すように、ストッパ片７０２によって基板取付ベース４１５に対するコネクタ用基板４１１の分離が規制されている。
【０３５８】
そのため、遊技盤ユニット８０を装着完了位置から取り外し側に変位させると、第１内枠側コネクタ４０１が不動のまま、第１遊技盤側コネクタ４５１が第１内枠側コネクタ４０１から外れる。つまり、遊技盤ユニット８０の変位に伴い直ちに両コネクタ４０１，４５１の接続が解除される。この場合、本パチンコ機に対する電源供給自体がオフされている状態なので、両コネクタ４０１，４５１の接続がいきなり解除されても問題は生じない。
【０３５９】
一方、本パチンコ機に対して外部電源が供給されている場合（電源スイッチ２４７＝オンの場合）には、電源・発射制御装置２４３から結合装置７１１に駆動信号が送信されており、結合装置７１１は図３４（ｂ）に示す状態となっている。この（ｂ）の状態では、係止部材７１３がコネクタ用基板４１１に係止されており、両コネクタ４０１＆４５１の分離が阻止されている。また、ストッパ装置７０１に関して言えば、図３２（ｂ１）、（ｂ２）に示すように、基板取付ベース４１５に対するコネクタ用基板４１１の分離規制が解除されている。
【０３６０】
そのため、遊技盤ユニット８０を装着完了位置から取り外し側に変位させると、両コネクタ４０１，４５１の接続状態が維持されたまま、遊技盤ユニット８０と一緒に両コネクタ４０１，４５１が変位する。つまり、第１内枠側コネクタ４０１からすると、この第１内枠側コネクタ４０１が、遊技盤ユニット８０の変位に追従させて変位する。この場合、両コネクタ４０１，４５１の接続が解除されないため、遊技盤ユニット８０の取り外し時のコネクタ遮断に起因する問題は生じない。特に、結合装置７１１（係止部材７１３）によって両コネクタ４０１，４５１の接続状態が維持されるため、意図しないコネクタ遮断を抑制する上で一層好適な構成を実現できる。
【０３６１】
以上詳述した第４の実施の形態によれば以下の優れた効果が期待できる。
【０３６２】
両コネクタ（コネクタ４０１＆４５１、４０２＆４５２）を相互に結合させたままとする結合保持状態と、それら両コネクタの相互の結合を解除する結合解除状態とで切替可能である結合装置７１１を設ける構成とした。そして、その結合装置７１１を、電源オン状態で結合保持状態となり、電源オフ状態で結合解除状態となるようにした。したがって、電源オン状態では、遊技盤ユニット８０の取り外しに際し、両コネクタ同士の接続が意に反して解除されてしまうことを抑制できる。つまり、両コネクタを確実に接続状態（結合状態）のまま維持することができ、電源・発射制御装置２４３から遊技盤ユニット８０側への電力供給を確実に継続できる。
【０３６３】
この場合、接続状態維持手段としてのストッパ装置７０１を併せ備えている構成を考えると、遊技盤ユニット８０の取り外し時において、内枠側コネクタ４０１，４０２（可動コネクタ）が遊技盤ユニット８０の変位方向に変位する際に両コネクタ（コネクタ４０１＆４５１、４０２＆４５２）を確実に接続状態のまま維持できることとなる。
【０３６４】
また、電源オフ状態では、両コネクタ（コネクタ４０１＆４５１、４０２＆４５２）を接続状態（結合状態）にしておく必要がないため、その接続状態を解除することができる。
【０３６５】
ちなみに、配線巻取り装置７０５を備える構成では、その巻き取り力が大きいと、配線Ｈ３の弛みを軽減できる点で望ましいが、その反面、内枠側コネクタ４０１，４０２（可動コネクタ）が配線Ｈ３に過剰に引っ張られてしまい、コネクタ同士の結合が緩んで電気的な接続が切れてしまうこと等が懸念される。この点、上記の結合装置７１１を備える構成との組合せによれば、配線Ｈ３に生じる弛みを軽減しつつコネクタ接続状態を担保することができ、実用上好ましい構成が実現できる。
【０３６６】
＜第５の実施の形態＞
本実施の形態では、遊技盤ユニット８０を樹脂ベース７０に対する装着完了位置から取り外し側に変位させる場合に、その装着完了位置からの変位開始当初の所定区間においては各コネクタ接続部（コネクタ４０１＆４５１、４０２＆４５２）の接続状態を一時的に維持できる構成としている。これにより、各コネクタ接続部における電気的な接続の解除を一時的に遅らせるようにしている。
【０３６７】
また本実施の形態では、上記第２の実施の形態で説明したように、第２ロック装置５００Ｂのロック状態からアンロック状態への切替操作を所定操作として、その所定操作の有無を判定するとともに、その所定操作が行われたと判定された場合に、主制御装置１６２及び表示制御装置６２０において所定の電断処理を実施するようにしている（図２９及び図３０の各フローチャート参照）。
【０３６８】
図３５は、本実施の形態におけるコネクタ接続部における構成を示す図である。図３５では、図３１と共通の構成については同じ符号を付しており、以下、図３１との相違点を説明する。図３５において（ａ）は、遊技盤ユニット８０が装着完了位置にある状態を示し、（ｂ）、（ｃ）は、遊技盤ユニット８０が装着完了位置から取り外し方向に変位した状態を示している。
【０３６９】
なお、２つのコネクタ接続部（コネクタ４０１＆４５１、４０２＆４５２）はそれぞれ同様の構成を有しているため、図３５には、第１内枠側コネクタ４０１及び第１遊技盤側コネクタ４５１の接続部について示しており、ここではコネクタ４０１＆４５１について構成及び作用の説明を行うこととしている。
【０３７０】
図３５に示す構成では、樹脂ベース７０側において、コネクタ用基板４１１が基板取付ベース４１５の背面側（遊技機背面側）から取り付けられており、基板取付ベース４１５に対して第１内枠側コネクタ４０１が遊技機前方に変位することが不可となっている。一方、遊技盤ユニット８０側において、第１遊技盤側コネクタ４５１は、接続状態維持機構Ｘによって遊技機前後方向（遊技盤ユニット８０の変位方向に相当）に変位可能な状態で設けられている。つまり、本実施の形態では、第１遊技盤側コネクタ４５１が可動コネクタとなっている。
【０３７１】
接続状態維持機構Ｘについてより具体的に説明する。遊技盤８０ａの背面側に設けられた台座４６１の内側空間部には、第１遊技盤側コネクタ４５１と、そのコネクタ４５１を遊技機後方側（すなわち、第１内枠側コネクタ４０１に対する接続方向側）に向けて付勢する付勢手段としてのコイルバネ７２１とが設けられている。この場合、（ａ）に示す状態は、樹脂ベース７０に対して遊技盤ユニット８０が最も近づく状態となっており、かかる状態では、第１内枠側コネクタ４０１に対して第１遊技盤側コネクタ４５１が押しつけられることで、両コネクタ４０１，４５１が接続状態となっている。このとき、第１遊技盤側コネクタ４５１は、鍔部４５１ａ（張出部）が台座４６１の対向部４６２（遊技盤８０ａの背面に隙間を隔てて対向する部分）から離間した状態になるとともに、コイルバネ７２１が圧縮状態で保持されている。
【０３７２】
要するに、第１遊技盤側コネクタ４５１は、遊技盤ユニット８０が装着完了位置に装着されている状態で、遊技盤ユニット８０の変位方向において遊技盤８０ａ（本実施の形態ではこれがベース部材に相当）から離れる方向に変位可能な状態で設けられるものとなっている。また、台座４６１は、遊技盤８０ａの背面に対して所定寸法の空間を形成するものであり、台座４６１の脚部４６３の長さにより、第１遊技盤側コネクタ４５１の可動範囲が設定されている。
【０３７３】
そして、遊技盤ユニット８０を装着完了位置から取り外し方向に変位させる場合には、まず装着完了位置からの変位開始当初の所定区間において、図３５（ｂ）に示すように、コイルバネ７２１の付勢力によって両コネクタ４０１，４５１の接続状態が維持されたまま、遊技盤８０ａが遊技機前方に変位する。このとき、遊技盤ユニット８０が、第１遊技盤側コネクタ４５１の鍔部４５１ａが台座４６１の対向部４６２に当接する位置に変位するまでは、遊技盤８０ａからして当該遊技盤８０ａから離れる方向に第１遊技盤側コネクタ４５１が変位し、それにより両コネクタ４０１，４５１の接続状態が維持されることとなる。
【０３７４】
そして、第１遊技盤側コネクタ４５１の鍔部４５１ａが台座４６１の対向部４６２に当接した後、さらに遊技盤ユニット８０を取り外し方向に変位させると、図３５（ｃ）に示すように、両コネクタ４０１，４５１の接続状態が解除される。
【０３７５】
上記一連のコネクタ接続解除の過程を見ると、遊技盤ユニット８０の取り外し方向への変位開始に伴い、直ちに両コネクタ４０１，４５１の接続状態の解除が開始されるのではなく、その接続解除の開始が一時的に遅延されるようになっている。このため、遊技盤ユニット８０の取り外しに際し、当該取り外しの事前操作（第２ロック装置５００Ｂのアンロック状態への切替操作）が行われてから実際にコネクタ接続が解除されるまでにはどうしても時間がかかることになり、各制御装置において電断処理が実施されるとしても、当該処理に要する時間を十分に確保できる。
【０３７６】
ところで、上述したとおり本パチンコ機１０は、遊技盤ユニット８０を装着状態に保持するための第１ロック装置７９を備えており、遊技盤ユニット８０を取り外す際には、作業者は第１ロック装置７９をアンロック状態に切替え操作する必要がある。そして、第１ロック装置７９の操作部１２９を操作して同第１ロック装置７９をアンロック状態に切り替えることにより、遊技盤ユニット８０が受け部材１２１により遊技機前方に押し出されることとなる（図６や図２１参照）。
【０３７７】
かかる構成において、第１ロック装置７９をアンロック状態に切り替えることにより遊技盤ユニット８０が装着完了位置から遊技機前方に押し出される区間を、図３５（ｂ）のように第１遊技盤側コネクタ４５１の変位により両コネクタ４０１，４５１の接続状態が維持される区間とするとよい。この構成によれば、作業者が、遊技盤ユニット８０を樹脂ベース７０から取り外すべく、操作部１２９を手動操作して第１ロック装置７９をアンロック状態に切り替え操作した場合に、その切り替え操作に伴い遊技盤ユニット８０の押し出しが生じる期間ではコネクタ接続状態が維持される。そして、その遊技盤ユニット８０の押し出しに要する所要時間を利用して、主制御装置１６２においてコネクタ分離時電断用の処理が実施される。
【０３７８】
なお、第１ロック装置７９をアンロック状態に切り替えることにより遊技盤ユニット８０が装着完了位置から遊技機前方に押し出される区間よりも長い区間を、第１遊技盤側コネクタ４５１の変位により両コネクタ４０１，４５１の接続状態が維持される区間としてもよい。
【０３７９】
以上詳述した第５の実施の形態によれば以下の優れた効果が期待できる。
【０３８０】
遊技盤ユニット８０を取り外し側に変位させる際において、接続状態維持機構Ｘにより、その装着完了位置から所定の変位位置（第１遊技盤側コネクタ４５１の鍔部４５１ａが台座４６１の対向部４６２に当たる位置）に達するまでは両コネクタ（コネクタ４０１＆４５１、４０２＆４５２）を接続状態のまま維持するようにした。これにより、遊技盤ユニット８０の変位開始後において実際に両コネクタの接続が解除されるタイミングを遅延させることができ、ひいては上述した各電断処理を実行する期間を確保することができる。
【０３８１】
接続状態維持機構Ｘにおいて、遊技盤側コネクタ４５１，４５２（可動コネクタ）の可動範囲が台座４６１により定められる。そのため、可動コネクタの可動範囲を台座４６１の大きさ（高さ寸法）で適宜決定することができ、両コネクタの接続維持期間を所望するとおりに設定できる。例えば、上記電断処理の実行期間として、比較的長めの時間を確保したい場合には、台座４６１の大きさ（高さ寸法）を大きくして可動コネクタの可動範囲を大きめにすればよい。
【０３８２】
接続状態維持機構Ｘは、第１ロック装置７９をアンロック状態に切り替えることにより遊技盤ユニット８０が装着完了位置から遊技機前方に押し出される区間を、遊技盤側コネクタ４５１，４５２の変位により両コネクタ（コネクタ４０１＆４５１、４０２＆４５２）の接続状態が維持される区間とするものである。そのため、遊技盤ユニット８０の取り外しに際し、その変位開始当初においては、遊技盤ユニット８０が所定の押出位置に押し出される期間を利用して、電断処理の実行時間を確保でき、ひいては電断処理の好適なる実行を担保できることとなる。
【０３８３】
＜別の実施の形態＞
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０３８４】
・上記実施の形態では、「遊技ユニット」としての遊技盤ユニット８０を「遊技機本体（支持対象）」としての樹脂ベース７０に対して遊技機前方から取り付ける構成としたが、これを変更し遊技機後方から取り付ける構成とすることも可能である。
【０３８５】
また、遊技盤ユニット８０を樹脂ベース７０に対して回動させることで着脱させる構成としたが、これに限定されるものではない。例えば、遊技盤ユニット８０を遊技機前後方向や、遊技機前後方向に対して斜めになる方向にスライド移動させることで樹脂ベース７０に対して着脱させる構成とすることも可能である。
【０３８６】
これらの変更を行った場合であっても、「ユニット側コネクタ」としての遊技盤側コネクタ４５１，４５２と「支持対象側コネクタ」としての内枠側コネクタ４０１，４０２とを遊技盤ユニット８０の着脱に基づいて接続／分離させる構成とすることが好ましい。
【０３８７】
・上記実施の形態（図１６や図２０に示す構成）では、内枠側コネクタ４０１，４０２を固定式コネクタとするとともに、遊技盤側コネクタ４５１，４５２を、台座４６１等を撓み変形（弾性変形）可能に形成することで可変式コネクタとした（位置や姿勢（向き）を可変とした）が、これを逆にすることも可能である。つまり、遊技盤側コネクタ４５１，４５２を台座４６１に対して相対変位が不可となるように固定する一方で、内枠側コネクタ４０１，４０２（又はコネクタ用基板４１１，４１２）を接続端子４５８，４５９の向きと直交する方向に変位可能となるように構成してもよい。
【０３８８】
但し、可変式のコネクタを採用した場合には、それらコネクタの初期位置のばらつきが生じることで、接続が上手く行われない可能性が生じやすく、このような不都合を解消すべくコネクタの変位範囲を大きくすることはコネクタの占有領域を無駄に拡げる要因となるため好ましくない。上記実施の形態に示すように、回動式の遊技盤ユニット８０の回動先端部においては、遊技盤ユニット８０を回動させた際の遠心力によって、可変式のコネクタの初期位置のばらつきが抑えられやすくなる。故に、上記実施の形態に示したように遊技盤ユニット８０側のコネクタを可変式とすることが望ましい。
【０３８９】
・上記実施の形態では、横長状をなす内枠側コネクタ４０１，４０２を左右に並べて配置したが、これを変更し、それら内枠側コネクタ４０１，４０２を縦に並べて配置してもよい。但し、遊技盤ユニット８０の上下位置が、内枠１３の下側壁部２６３によって規定される構成においては、下側壁部２６３からの距離が離れれば離れるほど、遊技盤ユニット８０の姿勢のばらつきに起因した内枠側コネクタ４０１，４０２と遊技盤側コネクタ４５１，４５２との上下位置のずれが生じやすくなると想定される。この点、上記実施の形態に示したように横長状のコネクタを左右に並べて配置すれば、遊技盤ユニット８０の上下位置を規定する下側壁部２６３と内枠側コネクタ４０１，４０２との離れを小さくすることができ、遊技盤ユニット８０の姿勢のばらつきによる影響をうけにくくすることができる。
【０３９０】
また、例えばコネクタの接続端子の配列方向については水平方向ではなく、鉛直方向となるように構成することも可能である。つまり、縦長状のコネクタを採用することも可能である。
【０３９１】
更には、各コネクタ４０１，４０２，４５１，４５２を遊技盤ユニット８０が内枠１３に装着された状態にて当該遊技盤ユニット８０の回動先端部寄りとなるように配置したが、これに限定されるものではなく、例えば遊技盤ユニット８０の回動基端部寄りに配置することも可能である。
【０３９２】
・上記実施の形態では、「遊技ユニット」として遊技盤ユニット８０を採用し、「遊技機本体（支持対象）」として内枠１３を採用したが、これに限定されるものではない。例えば「遊技ユニット」として裏パックユニット１５を採用し、「遊技機本体（支持対象）」として内枠１３を採用してもよい。かかる構成においては、裏パックユニット１５を着脱することで内枠１３に設けられたコネクタと裏パックユニット１５に設けられたコネクタとが結合し、それら裏パックユニット１５及び内枠１３が電気的に接続される構成とするとよい。
【０３９３】
・上記実施の形態では、遊技盤ユニット８０の回動時の姿勢を安定させる手段として、遊技盤ユニット８０の突起３０４と内枠１３の受け部２７５とを有する構成としたが、これら突起３０４及び受け部２７５に代えて軸部及び軸受け部を採用することも可能である。
【０３９４】
また、上記安定させる手段に相当する構成を省略することも可能である。但し、当該手段を省略した場合には、遊技盤ユニット８０の回動中心部が作業者の操作の仕方によってはばらつきやすくなると想定される。このようなばらつきは内枠側コネクタ４０１，４０２と遊技盤側コネクタ４５１，４５２との接続を難しくする要因になる。故に、上記実施の形態に示したように、突起３０４及び受け部２７５に相当する構成を採用することが好ましい。
【０３９５】
・上記実施の形態（図１６や図２０に示す構成）では、遊技盤側コネクタ４５１，４５２を台座４６１に対して相対変位可能とし、その相対変位方向を各コネクタ４５１，４５２の接続端子４５８，４５９の向きと直交する全方向としたが、これに限定されるものではなく、上下方向又は左右方向の何れかに相対変位可能とすることも可能である。
【０３９６】
ここで、上記実施の形態に示したように、遊技盤ユニット８０が回動可能に設けられている構成においては、遊技盤側コネクタ４５１，４５２の移動経路が円弧状になる。このため上述の如く変位方向を限定する場合には、当該変位方向を左右方向とすることが好ましい。
【０３９７】
・上記実施の形態では、内枠側コネクタ４０１，４０２が挿入口４０６ａ，４０７ａを有し、遊技盤側コネクタ４５１，４５２が挿入部４５６ａ，４５７ａを有する構成としたが、これを逆にすることも可能である。
【０３９８】
また、内枠側コネクタ４０１，４０２及び遊技盤側コネクタ４５１，４５２の両者にコネクタ同士の位置合せ用の誘導部を形成したが、これに限定されるものではない。誘導部については、内枠側コネクタ４０１，４０２及び遊技盤側コネクタ４５１，４５２の少なくとも一方に設けられていればよい。
【０３９９】
・上記実施の形態では、遊技盤ユニット８０が「載置部」としての下側壁部２６３に載って内枠側コネクタ４０１，４０２及び遊技盤側コネクタ４５１，４５２の接続箇所の前方にて遊技盤ユニット８０と下側壁部２６３との当接が担保された状態にて、それら内枠側コネクタ４０１，４０２及び遊技盤側コネクタ４５１，４５２の接続が開始される構成としたが、これに限定されるものではない。下側壁部２６３については省略することも可能である。
【０４００】
・上記実施の形態では、「減勢機構」として第１ロック装置７９を採用したが、これに代えて、コイルバネやゴムクッション等の緩衝材や摩擦等を利用して遊技盤ユニット８０の減勢を行う構成とすることも可能である。
【０４０１】
・上記実施の形態では、遊技盤ユニット８０を内枠１３に装着する際には、遊技盤ユニット８０が装着完了位置に向けて回動する過程で同遊技盤ユニット８０の装着完了位置に向けた勢いを弱める構成としたが、これに限定されるものではない。遊技盤ユニット８０を装着完了位置に向けて回動する過程で必ず一旦停止させる構成としてもよい。
【０４０２】
かかる構成を採用する場合には、例えば遊技盤ユニット８０が所定の回動位置に到達した場合に一旦停止させるストッパ機構と、ストッパ機構による移動規制を解除する解除機構とを採用し、遊技盤ユニット８０がストッパ機構によって一旦停止した後は解除機構を操作して移動規制を解除することで、遊技盤ユニット８０の装着完了位置に向けた更なる移動が許容される構成とすればよい。
【０４０３】
・上記実施の形態では、遊技盤ユニット８０が内枠１３に対する装着完了位置に到達した後は、遊技盤ユニット８０の装着完了位置への移動を妨げる抗力が発生しない構成としたが、これに限定されるものではない。例えば、「減勢機構」としてバネやゴムクッション等を採用している場合には、遊技盤ユニット８０が装着完了位置に到達した後も抗力が作用し続けることとなるが、このような構成であっても、遊技盤ユニット８０を装着完了位置から動かないようにする移動規制手を併用することで「減勢機構」が遊技盤ユニット８０の位置の安定化の妨げになることを回避できる。
【０４０４】
・上記実施の形態では、第１ロック装置７９をロック状態からアンロック状態に切り替えることで、遊技盤ユニット８０が遊技機前方に押し出される構成とし、これにより内枠側コネクタ４０１，４０２と遊技盤側コネクタ４５１，４５２の接続が解除される構成としたが、これに限定されるものではない。
【０４０５】
第１ロック装置７９をアンロック状態に切り替えたとしても遊技盤ユニット８０が遊技機前方に押し出されることなく装着完了位置にて待機する構成としてもよい。また、第１ロック装置７９をアンロック状態に切り替えて遊技盤ユニット８０が遊技機前方に押し出されたとしても内枠側コネクタ４０１，４０２と遊技盤側コネクタ４５１，４５２の接続が維持される構成とすることも可能である。
【０４０６】
・上記実施の形態では、遊技盤側コネクタ４５１，４５２用の台座４６１及び回収板１５０の両者が「脚部」に相当する構成を有していたが、「脚部」については弾性変形可能であって遊技盤側コネクタ４５１，４５２の位置や姿勢を変化させることができれば足り、その配設対象は台座４６１および回収板１５０の何れであってもよい。
【０４０７】
・上記実施の形態では、内枠側コネクタ４０１，４０２と遊技盤側コネクタ４５１，４５２との向きを接続完了状態での接続箇所の中央を通過する接線ＴＬ１，ＴＬ２に合せたが、接線ＴＬ１，ＴＬ２が通過する位置は接続箇所の中央に限定されるものではない。但し、各コネクタ４０１，４０２，４５１，４５２がある程度の横幅を有していることを考慮すれば接線ＴＬ１，ＴＬ２を想定する場合にそれら各接線ＴＬ１，ＴＬ２が通過する位置は接続箇所の中央とすることが好ましい。
【０４０８】
・上記実施の形態（図２９に示す通常処理）では、第２ロック装置５００Ｂのロック状態からアンロック状態への切替操作を「所定操作」として、その所定操作が行われたとの判定結果に基づいて所定の電断処理を実行する構成としたが、これを変更してもよい。例えば、前扉枠１４の開放操作を「所定操作」として、その所定操作が行われたとの判定結果に基づいて所定の電断処理を実行する構成としてもよい。
【０４０９】
・第１ロック装置７９において、押出部としての受け部材１２１を押出位置に移動させる操作を「所定操作」として、その所定操作が行われたとの判定結果に基づいて所定の電断処理を実行する構成としてもよい。
【０４１０】
より具体的には、図３６に示すように、第１ロック装置７９Ｂは、作業者による遊技ユニット取り外しのための手動操作が可能な操作部１２９と、操作部１２９の手動操作が行われる場合に、遊技ユニットを装着完了位置から、その装着完了位置から離れた所定の押出位置に押し出す受け部材１２１（押出部）とを有している。この場合、受け部材１２１が押出位置にない状態（（ａ）に示す状態）がロック状態であり、受け部材１２１が押出位置にある状態（（ｂ）に示す状態）がアンロック状態である。なお、第１ロック装置７９Ｂの構成は、図６等に示す第１ロック装置７９に準ずるものである。
【０４１１】
この第１ロック装置７９Ｂには、受け部材１２１が押出位置に移動されることをアンロック状態への切替操作として検出する位置検知センサ５２１が設けられている。この位置検知センサ５２１の検出結果は電源・発射制御装置２４３に逐次に入力される。位置検知センサ５２１は、例えば、受け部材１２１や操作部１２９の変位を検出する変位検出センサ、又はこれら受け部材１２１や操作部１２９の回動軸に設けられた回動検出センサである。かかる構成において、位置検知センサ５２１の検出結果に基づいて、受け部材１２１を押出位置に移動させる操作の有無を、所定操作の有無として判定し、所定操作が行われたと判定された場合に所定の電断処理を実行するとよい。
【０４１２】
なお、上記のごとく第１ロック装置７９Ｂを用いた構成では、第１ロック装置７９Ｂの操作部１２９の手動操作に伴い遊技ユニットが装着完了位置から押出位置に押し出されるまでは両コネクタ（ユニット側コネクタ及び本体側コネクタ）を接続状態のまま維持する接続状態維持手段（接続状態維持機構Ｘ）を備えているとよい。これにより、遊技ユニットの押出による移動に際し、両コネクタを介しての電源装置から遊技ユニットへの電力供給の状態が維持でき、所定の電断処理を好適に実施できる。接続状態維持機構Ｘの構成については図３５に示す構成等を参照されたい。
【０４１３】
・図３５に示す接続状態維持機構Ｘにおいて、可動コネクタである遊技盤側コネクタ４５１が遊技盤８０ａ（ベース部材）から離れる方向に変位することを検出するコネクタ変位検出手段を設け、その遊技盤側コネクタ４５１の変位が検出された場合に、「所定操作」が行われたと判定する構成としてもよい。この場合、遊技盤側コネクタ４５１の変位検出に基づいて所定の電断処理が実行される。
【０４１４】
コネクタ変位検出手段としては、接続状態維持機構Ｘの台座４６１に、遊技盤側コネクタ４５１の変位を検出する変位検出センサを設けるとよい。この変位検出センサは、遊技盤側コネクタ４５１が図３５（ａ）に示す位置から変位した場合（図３５（ｂ）に示す位置側に変位した場合）にその変位を検出し、検出結果を電源・発射制御装置２４３に逐次に出力する。
【０４１５】
かかる構成では、遊技盤ユニット８０を遊技機本体から取り外す等する場合にその取り外し時において可動コネクタの変位が生じることを利用し、可動コネクタの変位検出によって、両コネクタの接続が解除され得る状況となったことを判定するようにしている。この場合、可動コネクタの変位期間の時間を、電気部品についての電断処理が実行される時間として利用できる。
【０４１６】
・上記実施の形態では、パチンコ機に対する電源供給状態での遊技盤ユニット８０の取り外しを規制する構成として第２ロック装置５００，５００Ｂを用いることとし、その第２ロック装置５００，５００Ｂが、電源・発射制御装置２４３がオン状態（電源オン状態）になっている場合に、遊技機本体からの遊技盤ユニット８０の取り外しを規制する規制状態となり、電源・発射制御装置２４３がオフ状態（電源オフ状態）になっている場合に、遊技機本体からの遊技盤ユニット８０の取り外しを規制しない非規制状態となる構成としたが、これを変更する。
【０４１７】
例えば、取り外し規制手段の構成として、図３６に示す第１ロック装置７９Ｂを用いることとし、その第１ロック装置７９Ｂが、電源・発射制御装置２４３がオン状態（電源オン状態）になっている場合に、遊技機本体からの遊技盤ユニット８０の取り外しを規制する規制状態となり、電源・発射制御装置２４３がオフ状態（電源オフ状態）になっている場合に、遊技機本体からの遊技盤ユニット８０の取り外しを規制しない非規制状態となる構成とする。
【０４１８】
より具体的には、第１ロック装置７９Ｂには、遊技機本体からの遊技盤ユニット８０の取り外しを規制すべく、操作部１２９の回動操作を実施不可とする電気的な規制機構が設けられている。この規制機構は、操作部１２９に係合することでその回動操作を実施不可とする係合部材（図示略）と、その係合部材を動かす駆動部５２２とを有している。そして、第１ロック装置７９Ｂは、電源・発射制御装置２４３からの電力供給に伴う駆動部５２２の駆動により係合部材が係合状態（遊技機本体からの遊技盤ユニット８０の取り外しを規制する規制状態）となり、その電力供給がなくなると、駆動部５２２の駆動が停止され、係合部材の係合が解除される状態（遊技機本体からの遊技盤ユニット８０の取り外しを規制しない非規制状態）に移行する。
【０４１９】
上記構成によれば、両コネクタ（ユニット側コネクタ及び本体側コネクタ）が接続状態にあり、かつ電源・発射制御装置２４３がオン状態になっている場合には、第１ロック装置７９Ｂによって遊技ユニットの取り外し（すなわち、ユニット取り外しに伴うコネクタ接続解除）が規制されているため、突然コネクタが分離されて電力が供給されなくなることを抑制することができる。これにより、突然の電力カットに起因して電気部品に不都合が生じることを回避可能となる。
【０４２０】
また、両コネクタが接続状態にあっても、電源・発射制御装置２４３がオフ状態になっていれば、遊技ユニットの取り外し（すなわち、ユニット取り外しに伴うコネクタ接続解除）が第１ロック装置７９Ｂにより規制されることはなく、かかる状態下において遊技ユニットの取り外しを制限無く実施できる。これにより、メンテナンス等を実施するための遊技ユニットの取り外しを行う場合において、その作業性が良好なものとなる。
【０４２１】
・上記実施の形態（図２２、図２４に示す構成）では、第２ロック装置５００（５００Ｂ）を樹脂ベース７０に設け、ストッパ片５０１（５０１Ｂ）を遊技盤８０ａに当接させることで遊技盤ユニット８０の取り外しを規制する構成としたが、これを変更し、第２ロック装置５００（５００Ｂ）を遊技盤ユニット８０に設け、ストッパ片５０１（５０１Ｂ）を樹脂ベース７０に当接させることで遊技盤ユニット８０の取り外しを規制する構成としてもよい。
【０４２２】
・上記実施の形態では、遊技盤ユニット８０の取り外し規制のための構成として第１ロック装置７９及び第２ロック装置５００（５００Ｂ）を併用する構成を採用したが、これに限らず、これら各ロック装置７９，５００（５００Ｂ）のいずれかを用いる構成であってもよい。この場合、例えば、第１ロック装置７９のみを用いる構成において、第１ロック装置７９の操作を規制する規制機構を手動操作可能な状態で設け、この規制機構を手動操作することで、第１ロック装置７９をロック状態からアンロック状態に切替可能とする構成とし、さらに、規制機構が手動操作されて第１ロック装置７９の切り替え操作が許容された状態となった場合に、その手動操作を検知する検知手段（検知センサ）と、当該検知センサからの検知情報に基づいて遊技盤ユニット８０が有する各種制御装置に電断時用処理を実行させる処理実行手段とを採用することが可能である。
【０４２３】
・上記実施の形態（図３１や図３３に示す構成）では、内枠側コネクタ４０１，４０２と遊技盤側コネクタ４５１，４５２とのうち、内枠側コネクタ４０１，４０２を可動コネクタとする構成としたが、これを逆にし、遊技盤側コネクタ４５１，４５２を可動コネクタとしてもよい。又は、内枠側及び遊技盤側の両コネクタを可動コネクタとすることも可能である。この場合、可動コネクタをどれにするかに応じて、ストッパ装置７０１が適宜設けられる。要は、可動コネクタが設けられる方にストッパ装置７０１が設けられればよい。
【０４２４】
また、樹脂ベース７０と遊技盤ユニット８０とのうちいずれに可動コネクタが設けられるかに応じて、配線巻取り装置７０５を適宜設けるとよい。要は、可動コネクタが設けられる方に配線巻取り装置７０５が設けられればよい。したがって、樹脂ベース７０と遊技盤ユニット８０との両方に可動コネクタが設けられる場合には、樹脂ベース７０と遊技盤ユニット８０との両方に配線巻取り装置７０５が設けられる。
【０４２５】
・上記実施の形態（図３５に示す構成）では、内枠側コネクタ４０１，４０２と遊技盤側コネクタ４５１，４５２とのうち、遊技盤側コネクタ４５１，４５２を可動コネクタとする構成としたが、これを逆にし、内枠側コネクタ４０１，４０２を可動コネクタとしてもよい。又は、内枠側及び遊技盤側の両コネクタを可動コネクタとすることも可能である。この場合、可動コネクタをどれにするかに応じて、接続状態維持機構Ｘが適宜設けられる。
【０４２６】
・上記実施の形態（図３１や図３３に示す構成）では、配線Ｈ３の巻取りを行わせる構成として、配線巻取り装置７０５において、巻取り軸７０６に配線Ｈ３を巻き取り側に付勢する付勢手段（ゼンマイバネ等）を設ける構成としたが、これを以下のように変更してもよい。例えば、配線巻取り装置７０５が、配線Ｈ３を巻き取る巻取り軸（巻取り軸７０６）と、当該巻取り軸を配線巻取り方向に回転駆動させる駆動手段（モータ等）とを有する構成とする。そして、配線巻き取り制御の実施主体としての例えば電源・発射制御装置２４３が、遊技盤ユニット８０が装着完了位置に向けて変位する場合において、駆動手段を駆動状態として所定の巻き取り速度で配線Ｈ３を巻き取らせるよう巻取り制御を実施する。上記構成によれば、遊技ユニットが装着完了位置に向けて変位する場合に、巻き取り制御が実施されることにより確実に配線Ｈ３の弛みが軽減される。
【０４２７】
・上記実施の形態では、図２６に示すように、主制御装置１６２の電源監視基板６０５に電断時用電源部６０５ａを設け、この電断時用電源部６０５ａにより、両コネクタ（ユニット側コネクタ及び本体側コネクタ）が分離されて電源・発射制御装置２４３から遊技ユニットへの電力供給が遮断されている電断状態において当該遊技ユニットに電力を供給する構成としたが、これを変更してもよい。例えば、主制御装置１６２の電源監視基板６０５に電断時用電源部６０５ａを設けない構成とする。この場合、バックアップ用の電源は、遊技盤ユニット８０側ではなく遊技機本体側に設ける構成とする。
【０４２８】
また、遊技盤ユニット８０側にバックアップ用の電源（電断時用電力供給手段）を有していない構成では、パチンコ機への電源オン中に両コネクタが分離されることで遊技盤ユニット８０側への電力供給が遮断されることを想定すると、遊技盤ユニット８０側の制御装置（主制御装置１６２等）において遊技データのバックアップ保存が実施できなくなることが考えられるが、パチンコ機への電源オン中であっても保存すべき遊技データが存在していないことが生じ得ると考えられる。例えば、遊技者による遊技が長時間行われていない場合や、遊技者や遊技ホールに対する利益に関係するデータ（入賞口への遊技球入賞の有無、入賞保留数、抽選結果、払出に関する各データ）はなく、利益に無関係なデータのみが存在している場合がそれである。
【０４２９】
この点を鑑みると、パチンコ機への電源オン中において、メモリ（例えば遊技機本体側のバックアップ用のメモリ）に保存すべきデータの有無を判定する判定手段と、メモリに保存すべきデータが無いと判定された場合に、両コネクタの分離（すなわち遊技盤ユニット８０の取り外し側への変位）を許可する許可手段とを備える構成としてもよい。両コネクタの分離を許可する、とは、上述したロック手段（ロック装置７９，５００等）のロックを解除して遊技盤ユニット８０の取り外しを許容する状態にすることを意味する。この場合、判定手段、許可手段は、例えば主制御装置１６２において通常処理の一部の位置として実施されるとよい。
【０４３０】
・上記実施の形態では、電源スイッチ２４７をパチンコ機の背面側において電源・発射制御装置２４３に設け、遊技機本体（内枠１３、裏パックユニット１５等からなる本体部）を前方に回動させた状態で電源スイッチ２４７のオン／オフ操作を可能としたが、これを変更してもよい。例えば、電源スイッチ２４７を、遊技機本体（内枠１３、裏パックユニット１５等からなる本体部）を前方に回動させなくてもオン／オフ操作が可能となる構成としてもよい。より具体的には、内枠１３の前面側であって、かつ前扉枠１４の背後となる位置に電源スイッチ２４７を設ける構成とする。例えば、内枠１３の前面部において遊技球発射機構１１０の近傍に電源スイッチ２４７を設けるとよい。この場合、前扉枠１４を開放すれば、内枠１３等を回動させなくても、電源スイッチ２４７の操作が可能となる。したがって、遊技盤ユニット８０の取り外しを行うべくパチンコ機の電源オフを行おうとする場合にその電源オフの操作が簡単に実施でき、好適な構成を実現できる。
【０４３１】
・第２の実施の形態において、パチンコ機への電源供給がなされている状態（電源スイッチ２４７＝オンの状態）で、遊技盤ユニット８０の取り外しを行うべく所定の取り外し操作が行われたことに基づいて、電源スイッチ２４７を強制的にオフする構成としてもよい。例えば、所定の取り外し操作の検出後、所定時間が経過した時点で電源スイッチ２４７をオフするようにしてもよい。
【０４３２】
・第２の実施の形態において、主制御装置１６２が、電源・発射制御装置２４３から遊技盤ユニット８０側への電力の供給が実施されている状況下で、ロック手段（例えば第２ロック装置５００Ｂ）がアンロック状態からロック状態に切替操作されたか否か（アンロック操作後、ロック状態に戻されたか否か）を判定するとともに、ロック状態への切替操作有りと判定されたことに基づいて、所定の電断処理が実行される前の状態に復帰させるとよい。かかる構成では、ロック手段がアンロック状態からロック状態に切り替えられることをトリガとして、所定の復帰処理が実施される。これにより、迅速な遊技の再開が可能となる。
【０４３３】
ここで、電源・発射制御装置２４３から遊技盤ユニット８０側に電力供給されている状況下でロック手段（第２ロック装置５００Ｂ）がアンロック状態になっていることは、それ以前に、作業者がロック手段をロック状態からアンロック状態に切替操作した可能性が高いと考えられる。この場合、作業者がロック手段を一旦アンロック状態に切り替えた後、遊技盤ユニット８０の取り外し（すなわち、ユニット取り外しに伴うコネクタ接続解除）を行うことなく再びロック状態に戻したとの事態も考えられるが、かかる場合においても上記のとおり迅速な遊技の再開が可能となる。
【０４３４】
・第２の実施の形態において、主制御装置１６２が、電源・発射制御装置２４３から遊技盤ユニット８０側への電力の供給が継続されている状況下にて所定の電断処理を実行した後に（図２９のステップＳ２１１〜Ｓ２１３の実行後に）、その処理実行から予め設定された待機期間が経過した時点で、電断処理で記憶したバックアップ用ＲＡＭの記憶データ（電断時情報）を参照して電断処理の実行前の状態に復帰する復帰処理を実行するとよい。又は、所定の電断処理を実行した後に、作業者によって所定の操作が行われた時点で、電断処理で記憶したバックアップ用ＲＡＭの記憶データ（電断時情報）を参照して電断処理の実行前の状態に復帰する復帰処理を実行するとよい。なお、作業者による所定の操作としては、例えば、第２ロック装置５００Ｂのストッパ片５０１Ｂをロック位置に戻す操作等が考えられる。
【０４３５】
要するに、作業者が遊技盤ユニット８０を取り外そうと考えた後に、その考えを変えて遊技盤ユニット８０を取り外すことなく作業を終了する可能性がある。かかる場合において、上記のとおり所定の電断処理が実行されてから予め設定された待機期間が経過した場合、又は作業者によって所定の操作が行われた場合に、主制御装置１６２による通常の制御を開始させるこよにより、迅速な遊技の再開が可能となる。
【０４３６】
・第２の実施の形態において、一旦電断処理が実行された後は、両コネクタを通じた電源・発射制御装置２４３から遊技盤ユニット８０側への電力供給が再開されたと判定されたとしても、直ちに各制御装置における各種通常処理を開始させるのではなく、パチンコ機として遊技可能な状態とし得る状況になるまで各種通常処理の開始タイミングを遅延させるようにしてもよい。例えば、遊技盤ユニット８０の再装着以外に、遊技再開可能かどうかの許可条件に絡めて、各種通常処理への復帰条件を設定しておくとよい。
【０４３７】
具体的には、主制御装置１６２において、電断処理が実行された後に、前扉枠１４が開位置から閉位置に復帰したか否かを判定し、前扉枠１４が開位置から閉位置に復帰したと判定された場合に、各種通常処理の開始を許可する構成とする。
【０４３８】
例えば遊技盤ユニット８０について取り外し状態から再装着される場合には、何らかの作業ミスが生じる可能性もあり、その作業ミスに作業者が気付くと、直ぐに遊技盤ユニット８０の再取り外しが行われる。この場合、遊技盤ユニット８０の装着が繰り返される度に無闇に開始処理が実施されてしまう。また、バックアップ電源（例えば図２６に示す電断時用電源部６０５ａ）を備える構成では蓄電が間に合わない可能性が高くなる。
【０４３９】
この点、電源・発射制御装置２４３からの電力供給が開始されたとしても直ちに各種通常処理が開始されるではなく、電力供給の再開以外に、遊技再開許可に絡む別の復帰条件を設定しておくことで、無闇に制御処理の開始終了が繰り返されることを抑制し、上述した不都合の発生を抑えることができる。
【０４４０】
・遊技盤ユニット８０の取り外しが可能である状況であるか否かを報知する報知手段を備える構成としてもよい。例えば、報知手段として、パチンコ機の前面側に、電光による報知を行う報知部を設ける構成とする。より具体的には、「取り外し可能」「取り外し不可」の二択の表示がなされた発光部を設け、いずれかをＬＥＤ等の光源により発光（常時発光、点滅発光を含む）させる。
【０４４１】
・上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０４４２】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０４４３】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０４４４】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０４４５】
＜特徴Ａ群＞
特徴Ａ１．電気部品（図柄表示装置９６や主制御装置１６２）が搭載されてなる遊技ユニット（遊技盤ユニット８０）が支持対象（内枠１３の樹脂ベース７０）によって回動可能に支持されている遊技機であって、
前記遊技ユニットに設けられたユニット側コネクタ（遊技盤側コネクタ４５１，４５２）と、
前記支持対象に設けられ、前記遊技ユニットの閉位置への変位に基づいて前記ユニット側コネクタと接続され、前記遊技ユニットの閉位置から開側への変位に基づいて前記ユニット側コネクタと分離される支持対象側コネクタ（内枠側コネクタ４０１，４０２）と
を備え、
前記ユニット側コネクタ及び前記支持対象側コネクタは、当該ユニット側コネクタの接続端子（接続端子４５８，４５９）及び支持対象側コネクタの接続端子（接続端子４０８，４０９）が、前記遊技ユニットの回動中心部を中心として前記ユニット側コネクタと前記支持対象側コネクタとの接続箇所を通過する仮想円（仮想円ＦＣ１，ＦＣ２）の接線方向に向くようにして構成されていることを特徴とする遊技機。
【０４４６】
特徴Ａ１によれば、遊技ユニットを支持対象に対して開閉させる際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０４４７】
しかしながら、遊技ユニットの開閉操作によってコネクタが自動的に接続される構成においては、上述した作業性の向上等の効果を発揮させることができる反面、遊技ユニットを開閉させる場合にコネクタに操作力等が直接伝わることとなる。特に、遊技ユニットを回動させることで着脱する構成においては、回動中心部からの距離が小さくなればなるほど仮想円の半径が小さくなるためコネクタ同士の干渉度合いが強くなり、開閉操作時にコネクタに対する上記操作力の影響が大きくなる。そして、接続後も歪等が残存することとなる。これらの理由から、回動式の遊技ユニットにコネクタの自動接続にかかる技術的思想を単に適用しただけでは、コネクタ本来の機能に支障をきたしやすくなると懸念される。
【０４４８】
この点、本特徴においては、各コネクタの接続方向が遊技ユニットの回動中心部を中心として両コネクタの接続箇所を通過する仮想円の接線方向を向くように構成されている。これにより、コネクタを接続する際の上記干渉の度合いを小さくすることができ、遊技ユニットを開閉した際にコネクタ同士を円滑に接続／分離させることが可能となっている。故に、コネクタ同士が支える等して接続が上手く行われなくなったり、接続に要する力が大きくなる等してコネクタに生じる負荷が大きくなったりすることを抑えることができ、上述した各種効果を享受しつつそれに起因してコネクタの機能低下を抑制可能となっている。
【０４４９】
なお、コネクタが接続端子と当該接続端子が取り付けられたコネクタ本体とを有する構成においては、「前記ユニット側コネクタ及び前記支持対象側コネクタは、それら各コネクタのコネクタ本体の結合面が前記遊技ユニットの回動中心部を中心として前記ユニット側コネクタと前記支持対象側コネクタとの接続箇所を通過する仮想円の接線方向を向くようにして（接線と直交するようにして）構成」することも可能である。
【０４５０】
特徴Ａ２．前記遊技ユニット及び前記支持対象の一方に設けられた軸部（レールカバー３００の突起３０４）と、
前記遊技ユニット及び前記支持対象の他方に設けられ、前記軸部と係合する軸受け部（ストッパ部２７１の受け部２７５）と
を備え、
前記遊技ユニットは、前記軸部と前記軸受け部とが係合することで、当該係合部分を中心として回動可能となることを特徴とする特徴Ａ１に記載の遊技機。
【０４５１】
特徴Ａ２に示したように遊技ユニットが回動可能に支持されている構成においては、仮にその回動中心部が回動中心と交差する方向に変位してしまうと、コネクタ接続時のユニット側コネクタ（詳しくは接続端子）の向きと支持対象側コネクタ（詳しくは接続端子）の向きとが一致しない可能性が高くなる。これでは特徴Ａ１に示した効果が上手く発揮されなくなると懸念される。そこで、本特徴に示すように軸部と軸受け部とを係合させる構成とすれば、回動中心部のずれを抑えて、特徴Ａ１に示した効果を上手く発揮させることができる。
【０４５２】
なお、「遊技ユニット」としての遊技盤を「軸部」及び「軸受け部」によって回動可能とする構成においては、遊技ユニットの着脱時に、これら軸部及び軸受け部が見えづらくなることで作業性が低下すると懸念される。そこで、軸部及び軸受け部については、遊技盤の前面側に位置するようにして配置することが好ましい。この場合、コネクタの配置と回動中心部とには必然的に遊技盤の厚さ方向（前後方向）でのずれが生じることとなる。このような事情を考慮した場合にも、特徴Ａ２に示したように、コネクタの向きを工夫しておくことが好ましい。かかる工夫によって、遊技盤を回動式とした場合であっても、コネクタの接続／分離を円滑に行うことが可能となる。
【０４５３】
特徴Ａ３．前記支持対象側コネクタは、前記回動中心部からの距離が異なるようにして複数設けられ、それら支持対象側コネクタに各々対応させて複数の前記ユニット側コネクタが設けられており、
前記各支持対象側コネクタは前記支持対象に個別に取り付けられており、前記各ユニット側コネクタは前記遊技ユニットに個別に取り付けられていることを特徴とする特徴Ａ１又は特徴Ａ２に記載の遊技機。
【０４５４】
コネクタがある程度の大きさを有することを考慮すると、コネクタにおける回動中心部に近い側の端部と遠い側の端部とでは、当該回動中心部を中心としてそれら各端部を通過する仮想円での上記接線の向きの違いが大きくなると想定される。
【０４５５】
この点、本特徴に示すように回動中心部からの距離が異なるようにして配置された複数のコネクタを併用して電気的接続を行う構成とすれば、１の大きなコネクタを用いて電気的接続を行う場合と比較して、上記差を低減することができる。
【０４５６】
この場合、各コネクタの向きを個々に設定することが好ましく、それら各コネクタを支持対象に個別に取り付ける構成とすることで、各コネクタの向きを個々に設定することが可能となる。故に、特徴Ａ１に示した効果を好適に発揮させる上で、好ましい構成が実現できる。
【０４５７】
特徴Ａ４．前記ユニット側コネクタと前記支持対象側コネクタとのうち少なくとも一方は、取付対象に前記接線と直交する方向に変位可能となるようにして取り付けられていることを特徴とする特徴Ａ１乃至特徴Ａ３のいずれか１つに記載の遊技機。
【０４５８】
特徴Ａ４によれば、コネクタ同士の位置関係のばらつきを許容しやすくなり、支持対象側コネクタとユニット側コネクタとの位置関係を目視で確認しながら遊技ユニットの取り付けを行う必要がなくなる。このようにして目視確認の必要性を抑えることで、作業性の低下を好適に回避することができる。
【０４５９】
特徴Ａ５．前記ユニット側コネクタと前記支持対象側コネクタとのうち少なくとも一方は、前記遊技ユニットの回動中心部に近づく側と遠ざかる側とに変位可能となっていることを特徴とする特徴Ａ４に記載の遊技機。
【０４６０】
ユニット側コネクタと支持対象側コネクタとを接続させる場合には、接続開始から接続完了まである程度のストロークが必要になる。このため、接続初期と接続完了時とでは、コネクタの向きが相違し、コネクタが直線移動する場合と比較して上記回動中心部の放射方向へ着脱軌道の拡がりが生じる。ここで、本特徴に示すように、ユニット側コネクタと支持対象側コネクタとのうち少なくとも一方を回動中心部に近づく側と遠ざかる側とに変位可能とすれば、そのような着脱軌道の拡がりを許容することができる。
【０４６１】
特徴Ａ６．前記ユニット側コネクタと前記支持対象側コネクタとのうち少なくとも前記ユニット側コネクタが変位可能となっていることを特徴とする特徴Ａ４又は特徴Ａ５に記載の技機。
【０４６２】
遊技ユニットを回動式とした場合には、ユニット側コネクタは遊技ユニットを回動させた際の遠心力で所定の位置に留まりやすくなる。これにより、支持対象側コネクタとのコンタクトを円滑なものとすることができる。
【０４６３】
特徴Ａ７．前面に遊技領域（遊技領域ＰＥ）が形成され、電気部品（図柄表示装置９６や主制御装置１６２）が搭載されてなる遊技盤（遊技盤ユニット８０）と、
前記遊技盤を着脱可能に支持する支持枠（内枠１３の樹脂ベース７０）と
を備え、
前記支持枠に対して前記遊技盤が遊技機前方から回動可能となるようにして取り付けられている遊技機において、
前記遊技盤の背面に設けられた遊技盤側コネクタ（遊技盤側コネクタ４５１，４５２）と、
前記支持枠に設けられ、前記遊技盤の取り付けに伴う当該遊技盤の変位により前記遊技盤側コネクタと接続され、前記遊技盤の取り外しに伴う当該遊技盤の変位により前記遊技盤側コネクタと分離される支持枠側コネクタ（内枠側コネクタ４０１，４０２）と
を備え、
前記遊技盤側コネクタ及び前記支持枠側コネクタは、前記遊技盤の回動中心部よりも遊技機後側に位置し、前記遊技盤の回動中心軸部を中心として前記支持枠側コネクタ及び前記支持枠側コネクタの接続箇所を通過する仮想円の接線方向に接続端子が向くようにして配置されていることを特徴とする遊技機。
【０４６４】
特徴Ａ７によれば、特徴Ａ１と同様の効果に加え以下の効果が期待できる。すなわち、遊技盤が支持枠によって回動可能に支持されており、各コネクタの接続方向が接続箇所を通過する仮想円の接線方向を向くように構成されている。これにより、遊技盤を開閉した際に、コネクタ同士を円滑に接続／分離させることが可能となっている。故に、コネクタ同士が支える等して接続が上手く行われなくなったり、接続に要する力が大きくなる等してコネクタに生じる負荷が大きくなったりすることを抑えることができ、上述した各種効果を享受しつつそれに起因してコネクタの機能低下を抑制可能となっている。
【０４６５】
また、遊技機においては左右の幅にかかる制約が大きい構成となっている。ここで、コネクタを斜めに傾けて配置することにより、左右方向でのコネクタの占有領域を小さくすることができる。これにより、遊技機の設計自由度の向上に貢献することができる。
【０４６６】
特徴Ａ８．前記遊技盤及び前記支持枠の一方に設けられた軸部（レールカバー３００の突起３０４）と、
前記遊技盤及び前記支持枠の他方に設けられ、前記軸部と係合する軸受け部（ストッパ部２７１の受け部２７５）と
を備え、
前記遊技盤は、前記軸部と前記軸受け部とが係合することで、当該係合部分を中心として回動可能となることを特徴とする特徴Ａ７に記載の遊技機。
【０４６７】
特徴Ａ７に示したように、遊技盤が回動可能に支持されている構成においては、仮にその回動中心部がぶれてしまうと、遊技盤側コネクタの向きと支持枠側コネクタの向きとが相違することになる。これでは特徴Ａ２に示した効果が上手く発揮されなくなると懸念される。そこで、本特徴に示すように軸部と軸受け部とを係合させる構成とすれば、回動中心部のぶれを抑えて、特徴Ａ２に示した効果を上手く発揮させることができる。
【０４６８】
なお、遊技盤を軸部及び軸受け部によって回動可能とする構成においては、遊技盤の着脱時に、これら軸部及び軸受け部が見えづらくなることで作業性が低下すると懸念される。そこで、軸部及び軸受け部については、遊技盤の前面側に位置するようにして配置することが好ましい。この場合、コネクタの配置と回動中心部とには必然的に遊技盤の厚さ方向（前後方向）でのずれが生じることとなる。このような事情を鑑みた場合にも、特徴Ａ２に示したように、コネクタの向きを工夫しておくことで、回動式の遊技盤であっても、コネクタの接続／分離を円滑に行うことができる。
【０４６９】
特徴Ａ９．前記支持枠側コネクタは、前記回動中心部からの距離が異なるようにして複数設けられ、それら支持枠側コネクタに各々対応させて複数の前記遊技盤側コネクタが設けられており、
前記各支持枠側コネクタは前記支持枠に個別に取り付けられており、前記各遊技盤側コネクタは前記遊技盤に個別に取り付けられていることを特徴とする特徴Ａ７又は特徴Ａ８に記載の遊技機。
【０４７０】
コネクタにもある程度の大きさがあることを考慮すると、回動中心ぶに近い側の端部と遠い側の端部とでは、各端部を通過する上記仮想円での上記接線の向きの差が大きくなると想定される。
【０４７１】
この点、本特徴に示すように回動中心部からの距離が異なるようにして配置された複数のコネクタを併用すれば、１の大きなコネクタを用いる場合と比較して、上記差の低減を実現することができる。この場合、各コネクタの向きを個々に設定することが好ましく、それら各コネクタを支持枠に個別に取り付ける構成とすることで、各コネクタの向きを個々に設定することが可能となる。故に、特徴Ａ２に示した効果を好適に発揮させる上で、好ましい構成が実現できる。
【０４７２】
特徴Ａ１０．前記遊技盤側コネクタと前記支持枠側コネクタとのうち少なくとも一方は、取付対象に前記接線と直交する方向に移動可能となるようにして取り付けられていることを特徴とする特徴Ａ７乃至特徴Ａ９のいずれか１つに記載の遊技機。
【０４７３】
特徴Ａ１０によれば、コネクタ同士の位置関係のばらつきを許容しやすくなり、支持枠側コネクタと遊技盤側子ネクタイとの位置関係を目視で確認しながら遊技盤の取り付けを行う必要がなくなる。これにより、作業性の低下を好適に回避することができる。
【０４７４】
特徴Ａ１１．前記遊技盤側コネクタと前記支持枠側コネクタとのうち少なくとも一方は、前記遊技盤の回動中心部に近づく側と遠ざかる側とに変位可能となっていることを特徴とする特徴Ａ９に記載の遊技機。
【０４７５】
遊技盤側コネクタと支持枠側コネクタとを接続させる場合には、接続開始から接続完了まである程度のストロークが必要になる。このため、接続初期と接続完了時とでは、コネクタの向きが相違し、着脱軌道の拡がりが生じる。ここで、本特徴に示すように、遊技盤側コネクタと支持枠側コネクタとのうち少なくとも一方を回動中心部に近づく側と遠ざかる側とに変位可能とすれば、そのような着脱軌道の拡がりを許容することができる。
【０４７６】
特徴Ａ１２．前記遊技盤側コネクタが可動式であることを特徴とする特徴Ａ１０又は特徴Ａ１１に記載の技機。
【０４７７】
遊技盤を回動式とした場合には、遊技盤側コネクタは遊技盤を回動させた際の遠心力で所定の位置に留まりやすくなる。これにより、支持枠側コネクタとのコンタクトを円滑なものとすることができる。
【０４７８】
特徴Ａ１３．前記遊技盤は、前記支持枠に対して前方から取り付けられており、
前記支持枠側コネクタは、前記遊技盤が閉位置に配置されている状態にて、前記遊技盤の正面側且つ、当該遊技盤の回動先端側を向くようにして配置されていることを特徴とする特徴A７乃至特徴A１２のいずれか１つに記載の遊技機。
【０４７９】
特徴A１３によれば、遊技盤を回動させた場合に、当該遊技盤を大きく開放しなくても支持枠側コネクタ（詳しくは接続端子等）の目視での確認作業が可能となる。これにより、確認作業の容易化を図ることができ、更には確認作業時に遊技盤を大きく開放させる必要がなくなることで遊技盤の背面側が露出する機会を減らして防犯性の向上に貢献することができる。
【０４８０】
特徴Ａ１４．前記支持枠には、前記遊技盤の下端部と対向して設けられ、前記遊技盤が載置されることにより同遊技盤の上下位置を規定する載置部（下側壁部２６３）が形成されており、
前記支持枠側コネクタ及び前記遊技盤側コネクタは、少なくともそれらコネクタの前方にて前記載置部に前記遊技盤が載った状態にて接続又は分離されるように構成されていることを特徴とする特徴Ａ７乃至特徴Ａ１３のいずれか1つに記載の遊技機。
【０４８１】
特徴Ａ１３によれば、遊技盤の姿勢が安定した状態にてコネクタ同士を接続／解除させることができる。これにより、コネクタ同士が衝突する等してコネクタに大きな負荷が加わることを抑制することができる。
【０４８２】
上記特徴Ａ群は以下の課題に対して適用すると効果的である。
【０４８３】
パチンコ機等の遊技機には、電気部品が搭載されてなる遊技盤等の遊技ユニットと、その遊技ユニットを着脱可能に支持する支持枠等の支持対象とを備えているものがある。遊技ユニットには電気部品に接続されたコネクタが取り付けられており、このコネクタを支持対象側のコネクタと接続することで、遊技ユニットと支持対象とが電気的に接続された状態となる。
【０４８４】
近年では、遊技ユニットを支持対象に着脱する際の遊技ユニットの変位によって両コネクタが電気的に接続／分離されるものが提案されている（例えば特許文献１：特開２００４−２６７６９５号公報参照）。かかる遊技機においては、例えば遊技ユニット装着後に手作業でコネクタの接続作業を行う必要が無く、作業性の向上等が実現される。
【０４８５】
ここで、上述したタイプの遊技機においては、遊技ユニットの取り付けに伴ってコネクタ同士が当たる可能性がある。このようにコネクタ同士が当たった際に、遊技ユニットの自重や取り付け操作の勢いがコネクタへと伝わると、同コネクタに大きな衝撃（負荷）が発生すると懸念される。また、コネクタが移動する経路と予め設定された接続経路とがずれることにより、コネクタ接続時の負荷が大きくなったり、従来のように手動で接続していた場合には生じない応力等が発生したりすると想定される。これは、コネクタ本来の接続機能を低下させる要因となり得るため好ましくない。
【０４８６】
本発明は、上記例示した事情等に鑑みてなされたものであり、接続作業の容易化を図りつつコネクタ本来の接続機能の低下を抑えることができる遊技機を提供することを目的とする。
【０４８７】
＜特徴Ｂ群＞
特徴Ｂ１．電気部品（図柄表示装置９６や主制御装置１６２）が搭載されてなる遊技ユニット（遊技盤ユニット８０）が支持対象（内枠１３の樹脂ベース７０）によって支持されている遊技機であって、
前記遊技ユニットに設けられたユニット側コネクタ（遊技盤側コネクタ４５１，４５２）と、
前記支持対象に設けられ、当該支持対象への前記遊技ユニットの取り付けに伴う当該遊技ユニットの変位により前記ユニット側コネクタと接続され、前記遊技ユニットの取り外し操作に伴う当該遊技ユニットの変位により前記ユニット側コネクタと分離される支持対象側コネクタ（内枠側コネクタ４０１，４０２）と、
前記遊技ユニットが前記支持対象への取付完了位置へ配置されて前記ユニット側コネクタと前記支持対象側コネクタとが接続される場合に、それら両コネクタの結合が開始される前に回動動作中の前記遊技ユニットを減勢させる減勢機構（第１ロック装置７９）と
を備えていることを特徴とする遊技機。
【０４８８】
特徴Ｂ１によれば、遊技ユニットを支持対象へ取り付けることにより（詳しくは取付完了位置へ配置することにより）、ユニット側コネクタと支持対象側コネクタとが接続される。遊技ユニットの取付完了後に両コネクタを結合するための別途作業が必要なくなることで、作業性の向上に貢献することができる。
【０４８９】
しかしながら、支持対象に遊技ユニットを取り付けることにより両コネクタが結合される構成においては、上述した作業性の向上等の効果を発揮させることができる反面、コネクタ同士が接触等した際に、遊技ユニットの重量や勢いがコネクタに伝わりやすくなると想定される。コネクタに衝突等に起因した大きな応力が発生することは、コネクタの変形や破損等を招いてコネクタ本来の機能に支障をきたす要因となり得る。
【０４９０】
この点、本特徴においては、両コネクタの結合が開始される前に遊技ユニットの勢いを弱めることで、コネクタ同士が接触した場合に生じる応力を軽減することができる。これにより、勢いよく遊技ユニットが取付完了位置へ向けて押し込まれる等した場合であっても、それにより、コネクタに大きな負荷が加わるといった不都合を生じにくくすることができる。
【０４９１】
なお、例えば遊技ユニットが取付完了位置へ配置される際に当該遊技ユニットが通過する全区間に、遊技ユニットの変位が容易な第１区間と、第１区間よりも変位が難しい第２区間（減勢区間）とを設け、遊技ユニットが第２区間に到達した後にユニット側コネクタと支持対象側コネクタとが結合される構成とするとよい。
【０４９２】
特徴Ｂ２．前記減勢機構は、前記遊技ユニットが前記取付完了位置に配置される場合に、当該遊技ユニットの取付方向における先側から当該遊技ユニットにおいて前記ユニット側コネクタ以外の部分に当接することで同遊技ユニットの変位を妨げるものであることを特徴とする特徴Ｂ１に記載の遊技機。
【０４９３】
特徴Ｂ２によれば、遊技ユニットが取付完了位置に配置される場合に、ユニット側コネクタに対して遊技ユニットの自重や取付完了位置へ向けた勢い等が伝わることを回避することができ、特徴Ｂ１に示し効果を好適に発揮させることができる。
【０４９４】
特徴Ｂ３．前記減勢機構は、前記支持対象側コネクタを挟んだ両側にて前記減勢を行うものであることを特徴とする特徴Ｂ１又は特徴Ｂ２に記載の遊技機。
【０４９５】
特徴Ｂ１に示したように、遊技ユニットの減勢を行う構成においては、減勢時に遊技ユニットの姿勢が乱れることで、コネクタ同士が上手く結合されなくなるといった不都合が生じると想定される。つまり、減勢の態様には工夫の余地がある。
【０４９６】
ここで、本特徴においては、支持対象側コネクタを挟んだ両側にて減勢を行うことで、少なくとも減勢時に支持対象側コネクタ付近での姿勢の乱れ等を抑えることができる。これにより、コネクタの結合が上手く行われなくなるといった不都合を生じにくくすることができる。
【０４９７】
また、減勢後に遊技ユニットを取付完了位置へと押し込まれる等した場合であっても、当該操作によって遊技ユニットの姿勢が乱れることを抑制することができる。これにより、コネクタの結合に際して、過度に大きな負荷が生じることを抑制することができる。
【０４９８】
なお、例えば減勢機構を構成する減勢部を上記支持対象側コネクタを挟んだ両側に配置するとよい。
【０４９９】
特徴Ｂ４．前記減勢機構は、前記支持対象に設けられていることを特徴とする特徴Ｂ１乃至特徴Ｂ３のいずれか１つに記載の遊技機。
【０５００】
本特徴に示す減勢機構を遊技ユニット側に設けた場合には、遊技ユニットの重量が嵩む等して遊技ユニットの持ち運びが難しくなると懸念される。そこで、本特徴に示すように減勢機構を支持対象に設ける構成とすれば、上記不都合の発生を回避し、作業性の向上等に貢献することができる。
【０５０１】
特徴Ｂ５．前記減勢機構は、前記コネクタ同士が接続される前に前記遊技ユニットの変位を規制することで同遊技ユニットの取付完了位置への変位を一旦停止させるものであることを特徴とする特徴Ｂ１乃至特徴Ｂ４のいずれか１つに記載の遊技機。
【０５０２】
特徴Ｂ５によれば、遊技ユニットを一旦停止させることで、勢いよく押されてもその衝撃がコネクタに伝わることを抑制できる。一旦停止された位置から新たに押し込みを行う場合であっても、操作ストロークの残り代が小さくなっているため、遊技ユニットが過度に勢いよく押し込まれることを回避し、上記コネクタの保護機能を好適に発揮させることができる。
【０５０３】
特徴Ｂ６．前記遊技ユニットを前記支持対象から取外可能とするアンロック状態と、当該遊技ユニットを当該支持対象から取外不可とするロック状態とに切替可能に設けられたロック装置（第１ロック装置７９）を備え、
前記ロック装置は、前記遊技ユニットが前記取付完了位置へ向けて変位することにより前記アンロック状態から前記ロック状態に切り替わり、
前記減勢機構は、前記ロック装置の前記アンロック状態から前記ロック状態への切り替えを妨げる抗力を発生させることにより、上記減勢を行うものであることを特徴とする特徴Ｂ１乃至特徴Ｂ５のいずれか１つに記載の遊技機。
【０５０４】
特徴Ｂ６によれば、遊技ユニットを取り付ける場合には、当該遊技ユニットの取付位置へ向けた変位によりロック装置がアンロック状態からロック状態に切り替わる。この際、ロック装置のロック状態への切替えが減勢機構によって妨げられるため、作業者は、勢いよく又は勢いを保ったまま遊技ユニットを取付位置へと変位させることが困難になる。そもそも、ロック装置については、遊技ユニットの取り外しを妨げるものであり、ある程度の強度が要求される。このように、強度が担保されやすい構成によって、遊技ユニットの勢いを弱めることで、上述したコネクタの保護機能を好適に発揮させることができる。
【０５０５】
なお、例えば「前記ロック装置は、前記遊技ユニットが取付方向とは反対側から当接する受け部(受け部材１２１)を有してなり、前記受け部が前記遊技ユニットによって押されることで前記ロック装置が前記アンロック状態からロック状態に切り替わる」構成とするとよい。
【０５０６】
特徴Ｂ７．前記ロック装置は、
ロック解除操作に際して作業者により操作される操作部（操作部１２９）と、
前記操作部が操作されることで、前記遊技ユニットを取り外し方向へと変位させる作用部（受け部材１２１）と
を有し、
前記遊技ユニットが前記作用部によって取り外し方向へと押されることで、前記ユニット側コネクタと前記支持対象側コネクタとの接続が解除されることを特徴とする特徴Ｂ６に記載の遊技機。
【０５０７】
特徴Ｂ６に示したように、抗力によって減勢を行う構成においては、遊技ユニットを取り外す際に必要となる操作力が大きくなる可能性がある。仮に、遊技ユニットの何れかの箇所を持って遊技ユニットを取り外し方向へと引っ張る等した場合には、遊技ユニットが傾く等して、コネクタに過剰な応力が生じる可能性がある。
【０５０８】
ここで、本特徴においては、ロック装置の解除操作を行うことで、コネクタの結合が解除される構成とすることで、作業者が任意で遊技ユニットを引っ張る箇所を選ぶ機会を減らすことができ、上記不都合の発生を抑えることができる。
【０５０９】
特徴Ｂ８．前記ユニット側コネクタと前記支持対象側コネクタとのうち一方は、それら両コネクタの接続方向と直交する方向に変位可能となるようにして取り付けられ、前記ユニット側コネクタ及び前記支持対象側コネクタの他方に当接することで、前記遊技ユニットの前記取付完了位置へ向けた変位に伴って所定の接続位置へと誘導される構成となっており、
前記減勢機構は、前記ユニット側コネクタ及び前記支持対象側コネクタのうち一方が他方に誘導されている期間中は、前記遊技ユニットの前記取付完了位置への移動を妨げる抗力を発生する抗力発生状態に維持することを特徴とする特徴Ｂ１乃至特徴Ｂ７のいずれか１つに記載の遊技機。
【０５１０】
特徴Ｂ８によれば、ユニット側コネクタ及び支持対象側コネクタのうち一方を可変式とすることで、両コネクタの位置ばらつきを許容することが可能となっている。しかしながら、このような構成においては作業性や利便性の向上を図ることができる反面、コネクタの耐久性が低下しやすい。
【０５１１】
この点、本特徴によれば、コネクタの誘導期間中は負荷が増大したままとなるように構成することで、勢いよくコネクタ同士がぶつかったり押し付けられたりすることを回避し、コネクタの保護を図ることができる。
【０５１２】
特徴Ｂ９．前記減勢機構は、少なくとも前記遊技ユニットの前記取付完了位置への移動を妨げる抗力を発生する抗力発生状態となった後は、その状態が前記遊技ユニットが取付完了位置に到達するまで維持されるように構成されていることを特徴とする特徴Ｂ１乃至特徴Ｂ８のいずれか１つに記載の遊技機。
【０５１３】
減勢機構が抗力を生じさせた場合には、作業者は増大した負荷を考慮して遊技ユニットに加える力（操作力）を大きくすると想定される。この際、コネクタの接続が完了する前に、増大状態が解除されてしまうと、遊技ユニットが急に加速するようにして取付完了位置に到達することとなり、コネクタに大きな力が加わりやすくなると想定される。
【０５１４】
この点、本特徴においては、少なくとも負荷増大状態となった後は遊技ユニットが取付完了位置に到達するまでその状態で維持されるため、上記不都合の発生を抑制することができる。これにより、コネクタの保護機能を一層好適に発揮させることができる。
【０５１５】
上記特徴Ｂ群は以下の課題に対して適用すると効果的である。
【０５１６】
パチンコ機等の遊技機には、電気部品が搭載されてなる遊技盤等の遊技ユニットと、その遊技ユニットを着脱可能に支持する支持枠等の支持対象とを備えているものがある。遊技ユニットには電気部品に接続されたコネクタが取り付けられており、このコネクタを支持対象側のコネクタと接続することで、遊技ユニットと支持対象とが電気的に接続された状態となる。
【０５１７】
近年では、遊技ユニットを支持対象に着脱する際の遊技ユニットの変位によって両コネクタが電気的に接続／分離されるものが提案されている（例えば特許文献１：特開２００４−２６７６９５号公報参照）。かかる遊技機においては、例えば遊技ユニット装着後に手作業でコネクタの接続を行う必要が無く、作業性の向上等が実現される。
【０５１８】
ここで、上述したタイプの遊技機においては、遊技ユニットの取り付けに伴ってコネクタ同士が当たる可能性がある。このようにコネクタ同士が当たった際に、遊技ユニットの自重や取り付け操作の勢いがコネクタへと伝わると、同コネクタに大きな衝撃（負荷）が発生すると懸念される。また、コネクタが移動する経路と予め設定された接続経路とがずれることにより、コネクタ接続時の負荷が大きくなる等して、従来のように手動で接続していた場合には生じない応力等が発生したりすると想定される。これは、コネクタ本来の接続機能を低下させる要因となり得るため好ましくない。
【０５１９】
本発明は、上記例示した事情等に鑑みてなされたものであり、接続作業の容易化を図りつつコネクタ本来の接続機能の低下を抑えることができる遊技機を提供することを目的とする。
【０５２０】
＜特徴Ｃ群＞
特徴Ｃ１．電気部品（図柄表示装置９６や主制御装置１６２）がユニット本体（遊技盤８０ａ）に搭載されてなる遊技ユニット（遊技盤ユニット８０）を備え、当該遊技ユニットが支持対象（内枠１３の樹脂ベース７０）によって支持されている遊技機であって、
前記遊技ユニットにおいて前記支持対象と対峙している部分に設けられ、台座（台座４６１）を介して前記遊技ユニットに取り付けられたユニット側コネクタ（遊技盤側コネクタ４５１，４５２）と、
前記支持対象に設けられ、当該支持対象における取付完了位置への前記遊技ユニットの変位により前記ユニット側コネクタと接続され、前記取付完了位置からの前記遊技ユニットの変位により前記ユニット側コネクタとの接続が解除される支持対象側コネクタ（内枠側コネクタ４０１，４０２）と
を備え、
前記台座は、前記ユニット本体と前記ユニット側コネクタとの間に遊技球の通過が可能となる隙間（球通路ＦＳ）が生じるようにして形成されており、少なくとも当該隙間が小さくなる側へ変形可能となるように構成されていることを特徴とする遊技機。
【０５２１】
特徴Ｃ１によれば、遊技ユニットを支持対象への取付完了位置へ配置することにより、ユニット側コネクタと支持対象側コネクタとが接続される。遊技ユニットの取付完了後に両コネクタを結合するといった別途作業が必要なくなることで、作業性の向上に貢献することができる。
【０５２２】
しかしながら、支持対象に遊技ユニットを取り付けることにより両コネクタが結合される構成においては、上述した作業性の向上等の効果を発揮させることができる反面、コネクタ同士が接触等した際に、遊技ユニットの重量や勢いがコネクタに伝わりやすくなると想定される。コネクタに衝突等に起因した大きな応力が発生することは、コネクタの変形や破損等を招いてコネクタ本来の機能に支障をきたす要因となり得る。
【０５２３】
この点、本特徴によれば、ユニット本体とユニット側コネクタとの間に遊技球の通過が可能となる隙間が形成されており、この隙間を利用して台座が変形可能となっている。このため、例えば遊技ユニット取付時にコネクタ同士の位置が上手く合わない等して衝突したとしても、台座が変形することにより衝突に起因する衝撃を吸収したりコネクタ同士の位置ばらつきを吸収したりすることができる。これにより、コネクタの保護を図ることができる。
【０５２４】
つまり、遊技球用の通り道を確保しつつ、当該通り道を利用してコネクタの保護を実現することが可能となっている。これにより、限られた領域にて、各種通路部やコネクタを配置する上での制約を抑えることができる。
【０５２５】
特徴Ｃ２．前記遊技ユニットは、前記支持対象に対する取付完了位置に配置されることで位置決めがなされる構成となっており、
前記台座は、前記遊技ユニットの位置決めがなされた場合には、蓄えられた弾性力により変形が発生していない初期の状態に復帰するように構成されていることを特徴とする特徴Ｃ１に記載の遊技機。
【０５２６】
特徴Ｃ２によれば、遊技ユニットの位置決めがなされることで、仮に台座に弾性変形が生じている場合であっても、当該台座は変形前の状態（初期状態）に復帰することとなる。かかる構成によれば、上記隙間を過度に大きくしなくても遊技球用の通路としての機能を担保することができる。
【０５２７】
特徴Ｃ３．前記遊技ユニットは、前記支持対象に対する取付完了位置に配置されることで位置決めがなされる構成となっており、
前記ユニット側コネクタ及び前記支持対象側コネクタの少なくとも一方は、少なくとも前記遊技ユニットの位置決めがなされた状態では接続方向と交差する方向への変位が許容されており、
前記台座は、前記一方の前記交差する方向への変位が許容された場合に、前記遊技ユニットを前記取付完了位置に配置される過程で蓄えられた弾性力によって変形が発生していない初期の状態に復帰するように構成されていることを特徴Ｃ１に記載の遊技機。
【０５２８】
特徴Ｃ３によれば、遊技ユニットが取付完了位置に配置されることで、ユニット側コネクタ及び支持対象側コネクタの少なくとも一方の上記交差する方向への変位が許容される。この際、台座が遊技ユニットを取付完了位置に配置される過程で蓄えられた弾性力によって変形が発生していない初期の状態に復帰する。仮に遊技ユニットの配置過程にて台座に弾性変形が生じている場合であっても、当該台座はコネクタの接続が完了することで変形前の状態（初期状態）に復帰することとなる。かかる構成によれば、上記隙間を過度に大きくしなくても遊技球用の通路としての機能を担保することができる。
【０５２９】
特徴Ｃ４．前記隙間は、前記遊技ユニットが前記支持対象に取り付けられている場合に遊技球用の通路として機能することを特徴とする特徴Ｃ１乃至特徴Ｃ３のいずれか１つに記載の遊技機。
【０５３０】
台座とユニット本体との隙間が遊技球用の通路として機能している場合に上記弾性変形が生じた場合には、その隙間における遊技球の通過が妨げられやすくなると想定される。
【０５３１】
ここで、本特徴によれば、遊技ユニットを支持対象にとりつけることで初めて上記隙間が遊技球用の通路として機能することとなる。ここで、上記隙間が通路として機能していない場合に、当該隙間をコネクタ保護に利用する構成とすることで、それら両機能を好適に併存させることができる。
【０５３２】
特徴Ｃ５．前記支持対象側コネクタは、前記支持対象に対して変位不可となるようにして固定されており、
前記支持対象側コネクタと前記ユニット側コネクタとが結合されることで、それら両コネクタの結合方向と交差する方向への前記ユニット側コネクタの変位が規制されることを特徴とする特徴Ｃ１乃至特徴Ｃ４のいずれか１つに記載の遊技機。
【０５３３】
特徴Ｃ４によれば、前記ユニット側コネクタと前記支持対象側コネクタとが結合されることで、ユニット側コネクタの変位が規制されることとなる。これにより、都度のコネクタ結合時に上記隙間が大きくなったり小さくなったりすることを回避することができる。これにより、同隙間に付与された球通路としての機能を好適に担保することができる。
【０５３４】
特に、台座については、衝撃吸収等の機能を考慮した場合、ある程度強度を低く設定することが好ましい。しかしながら、単に強度を低下させた場合には、上記通路としての機能を担保することが難しくなる。そこで、コネクタ同士が結合された後は、支持対象側コネクタによって強度を補うことで、実用上好ましい構成が実現される。
【０５３５】
特徴Ｃ６．前記遊技ユニットは、前記支持対象によって回動可能に支持されており、
前記台座は、
前記ユニット本体と前記隙間を隔てて対峙するように形成されたコネクタ取付部（対向部４６２）と、
前記コネクタ取付部から前記ユニット本体へ延びる脚部（脚部４６３）と
を有し、
前記脚部は、第１脚部と当該第１脚部よりも前記遊技ユニットにおける回動基端側に位置する第２脚部とを有し、
それら第１脚部及び第２脚部によって挟まれた部分が、前記隙間となっていることを特徴とする特徴Ｃ１乃至特徴Ｃ５のいずれか１つに記載の遊技機。
【０５３６】
特徴Ｃ６によれば、遊技ユニットが回動式となっている。かかる構成においては、回動中心部がずれる等することでコネクタ同士の位置関係にずれが生じやすくなる。ここで、脚部を回動中心の放射方向に離間させて設けることで、両脚部が同じ側に倒れるようにして変形可能となり、コネクタの姿勢の変化を抑えつつ上記ずれを吸収することができる。
【０５３７】
特徴Ｃ７．前記ユニット本体は前面に遊技領域（遊技領域ＰＥ）が形成された遊技盤（遊技盤ユニット８０）、前記支持対象は当該遊技盤を着脱可能に支持する枠体（内枠１３の樹脂ベース７０）であり、
発射操作に基づいて前記遊技領域へ遊技球を発射する遊技球発射装置（遊技球発射機構１１０）と、
前記遊技盤に設けられ、遊技領域を流下する遊技球を当該遊技盤の背面側に案内する複数の案内通路部（一般入賞口８１等）と、
前記遊技盤の背面に設けられ、前記案内通路部を通じて当該遊技盤の背面側に案内された遊技球を回収して遊技機外部へと排出するための排出通路部（回収板１５０の回収通路１５１）と
を備え、
前記ユニット側コネクタは前記台座を介して前記遊技盤の背面に取り付けられており、
前記隙間は、前記排出通路部の一部を構成していることを特徴とする特徴Ｃ１乃至特徴Ｃ６のいずれか１つに記載の遊技機。
【０５３８】
特徴Ｃ７によれば、遊技者が遊技球の発射操作を行うことで、遊技領域へと遊技球が発射される。遊技領域へ到達した遊技球は案内通路部を通じて遊技盤の背面側へと案内され、排出通路部を経由して遊技機外部へと排出される。メンテナンス等を目的として遊技ユニットの着脱を行っている際には、遊技球が上記隙間に到達する機会がない。そこで、通路としての機能が不要である場合に、その隙間をコネクタ結合時の衝撃緩和に利用することで、通路部とコネクタとを遊技盤の背面側にて併設した場合であっても、配置にかかる空間的な制約を抑えることができる。
【０５３９】
上記特徴Ｃ群は以下の課題に対して適用すると効果的である。
【０５４０】
パチンコ機等の遊技機には、電気部品が搭載されてなる遊技盤等の遊技ユニットと、その遊技ユニットを着脱可能に支持する支持枠等の支持対象とを備えているものがある。遊技ユニットには電気部品に接続されたコネクタが取り付けられており、このコネクタを支持対象側のコネクタと接続することで、遊技ユニットと支持対象とが電気的に接続された状態となる。
【０５４１】
近年では、遊技ユニットを支持対象に着脱する際の遊技ユニットの変位によって両コネクタが電気的に接続／分離されるものが提案されている（例えば特許文献１：特開２００４−２６７６９５号公報参照）。かかる遊技機においては、例えば遊技ユニット装着後に手作業でコネクタの接続作業を行う必要が無く、作業性の向上等が実現される。
【０５４２】
ここで、上述したタイプの遊技機においては、遊技ユニットの取り付けに伴ってコネクタ同士が当たる可能性がある。このようにコネクタ同士が当たった際に、遊技ユニットの自重や取り付け操作の勢いがコネクタへと伝わると、同コネクタに大きな衝撃（負荷）が発生すると懸念される。また、コネクタが移動する経路と予め設定された接続経路とがずれることにより、コネクタ接続時の負荷が大きくなったり、従来のように手動で接続していた場合には生じない応力等が発生したりすると想定される。これは、コネクタ本来の接続機能を低下させる要因となり得るため好ましくない。
【０５４３】
本発明は、上記例示した事情等に鑑みてなされたものであり、接続作業の容易化を図りつつコネクタ本来の接続機能の低下を抑えることができる遊技機を提供することを目的とする。
【０５４４】
＜特徴Ｄ群＞
特徴Ｄ１．遊技に関する制御処理を行う電気部品（表示制御装置６２０や主制御装置１６２）を搭載してなる遊技ユニット（遊技盤ユニット８０）が遊技機本体（内枠１３、裏パックユニット１５等からなる本体部）に支持されており、前記遊技ユニットが前記遊技機本体に対して着脱可能となっている遊技機であって、
前記遊技ユニットに設けられたユニット側コネクタ（遊技盤側コネクタ４５１，４５２）と、
前記遊技機本体に設けられ、当該遊技機本体の装着完了位置へ向けた前記遊技ユニットの変位により前記ユニット側コネクタと接続され、前記装着完了位置から取り外し側へ向けた前記遊技ユニットの変位により前記ユニット側コネクタと分離される本体側コネクタ（内枠側コネクタ４０１，４０２）と、
前記遊技ユニット及び前記遊技機本体のうち前記遊技機本体側に設けられ、前記遊技ユニットに供給する電力を生成する電源装置（電源・発射制御装置２４３）と、
を備え、
前記ユニット側コネクタと前記本体側コネクタとは、前記遊技ユニットを前記装着完了位置から変位させる際に所定操作が行われることで、それら両コネクタの接続が解除され得る状況となるものであり、
前記ユニット側コネクタ及び前記本体側コネクタを通じて前記電源装置から前記遊技ユニットに電力が供給されるようになっており、
前記所定操作が行われたか否かを判定する判定手段（ステップＳ２０７を実行する機能）と、
前記判定手段により前記所定操作が行われたと判定された場合に、前記電気部品において所定の電断処理を実行する電断処理実行手段（ステップＳ２１１〜S２１３を実行する機能）と、
を備えていることを特徴とする遊技機。
【０５４５】
特徴Ｄ１の遊技機では、ユニット側コネクタと本体側コネクタとが、遊技機にとって前触れ無くいきなり接続解除（分離）されるのではなく、所定操作が行われることを経由して接続解除される。つまり、所定操作が行われることで両コネクタの接続が解除され得る状況となり、その状況下で、遊技ユニットの取り外しに伴い実際に両コネクタの接続解除が行われる。この場合、所定操作の有無を判定することで、メンテナンス作業等に際し、遊技機への電源供給をオンしたまま遊技ユニットを遊技機本体における装着完了位置から変位させる場合（例えば少しだけ位置をずらしたり遊技機本体から取り外したりする場合）に、ユニット側コネクタと本体側コネクタとの接続が解除され得る状況となったことを、実際の接続解除前（装着完了位置からの遊技ユニットの変位によって両コネクタが分離される前）に判定することができる。そして、その接続解除前に、前記電気部品において所定の電断処理、例えば電力供給停止の事前処理である電断処理を実行することができる。
【０５４６】
電気部品においては、その動作中（制御処理が行われている最中）に突如として電力の供給が停止すると、電気部品自身や同電気部品に接続された遊技機器等の誤作動や破損等の不都合が生じやすくなると懸念される。これは、遊技者や遊技ホールの利益担保を妨げる要因となり得るため好ましくない。
【０５４７】
この点、本特徴においては、コネクタが分離されて電源装置からの電力の供給が途絶える場合には、コネクタが分離されて電力の供給が停止する前に所定の電断処理を実行することが可能であり、その電断処理の実行により、電気部品にかかる上記各種不都合の発生を抑えることができる。例えば、電断処理として、実行中の制御の終了処理や各種情報の保存用処理を実行するとよい。
【０５４８】
なお、「所定操作」とは、例えば遊技ユニットを装着完了位置から取り外し側に変位させる際（変位前を含む）において両コネクタの分離前に行われる事前操作を示し、より具体的には、遊技ユニットの脱落を阻止するロック装置を備えている遊技機において当該ロック装置の解除操作や、遊技ユニットの前方に扉体が設けられる遊技機において当該扉体の開放操作等を含む。
【０５４９】
特徴Ｄ２．前記遊技ユニットの前記装着完了位置からの変位を許容するアンロック状態と、前記遊技ユニットの前記装着完了位置からの変位を不可とするロック状態とに切替可能なロック手段（第１ロック装置７９Ｂ、第２ロック装置５００Ｂ）と、
当該ロック手段がロック状態とアンロック状態とで切替操作されることを検出する切替操作検出手段（位置検知センサ５２０，５２１）と、
を備え、前記ロック手段のロック状態からアンロック状態への切替操作後に前記遊技ユニットが前記装着完了位置から取り外されるようになっており、
前記判定手段は、前記切替操作検出手段によりアンロック状態への切替操作が検出された場合に、前記所定操作が行われたと判定することを特徴とする特徴Ｄ１に記載の遊技機。
【０５５０】
特徴Ｄ２によれば、遊技ユニットを遊技機本体から取り外す等する場合には、その取り外しの前にロック手段（第１ロック装置７９Ｂ、第２ロック装置５００Ｂ）をロック状態からアンロック状態に切り替える必要がある。この場合、遊技ユニットの取り外し時にはロック手段の切替操作が介在することにより、両コネクタの接続が解除され得る状況となったことを、実際の接続解除前に確実に判定できる。また、作業者がアンロック操作をし、その後に遊技ユニットの取り外し作業を開始することを考えると、アンロック操作から次のユニット取り外しに移行する時間が、電気部品についての電断処理が実行される時間として利用できることとなる。したがって、同電断処理を実行する期間を確保することができる。
【０５５１】
なお、切替操作検出手段は、ロック手段のロック状態からアンロック状態への切替が完了する前に、切替操作有りと判定するものであるとよい。これにより、切替操作有りと検出されてからアンロック状態への切替完了となるまでの時間が、電気部品についての電断処理が実行される時間として利用できる。そのため、同電断処理を実行する期間を確保する上で一層有利となる。
【０５５２】
特徴Ｄ３．前記ロック手段（第２ロック装置５００Ｂ）は、前記遊技ユニット及び前記遊技機本体のうちその一方に設けられ、その他方に対して当接する当接位置と当接しない非当接位置とで、作業者の手動操作による移動が可能である当接部材（ストッパ片５０１，５０１Ｂ）を備え、その当接部材が前記非当接位置にあることで前記アンロック状態になるものであり、
前記切替操作検出手段（位置検知センサ５２０）は、前記当接部材が前記当接位置から前記非当接位置に移動することを、前記アンロック状態への切替操作として検出することを特徴とする特徴Ｄ２に記載の遊技機。
【０５５３】
特徴Ｄ３によれば、ロック手段をロック状態からアンロック状態に移行させるには、当接部材を移動させるという作業を要する。この場合、その当接部材の移動には時間を要し、その移動の作業によって、電断処理を実行する時間を確保することができる。
【０５５４】
特徴Ｄ４．前記電源装置は、遊技機に外部電源が供給されている場合に前記電気部品に対して電力を供給するものであり、
前記ロック手段は、前記電源装置からの電力供給に応じて作動するものであり、当該電源装置から電力供給されている状態では、前記ロック状態となり、かつ当該ロック状態から前記アンロック状態への切替操作が可能となっており、前記電源装置からの電力供給が遮断されている状態では、前記アンロック状態となるものであることを特徴とする特徴Ｄ２又は特徴Ｄ３に記載の遊技機。
【０５５５】
特徴Ｄ４によれば、ロック手段は、遊技機への外部電源の供給状況に応じてロック状態とアンロック状態とのいずれかとなる。この場合、電源装置からロック手段に電力供給されている状態（外部電源がオンになっている状態）では、遊技ユニットの電気部品に対しても電力供給がなされており、かかる状態下ではロック手段がロック状態にされることで、遊技ユニットの取り外し（すなわち、ユニット取り外しに伴うコネクタ接続解除）が制限されている。ただし、作業者（ホール従業員等）により所定の切替操作が行われることでロック手段がアンロック状態に切り替わるようになっている。このアンロック状態への切替操作に伴い、上記のとおり電気部品についての電断処理が実行される。
【０５５６】
また、電源装置からロック手段に電力供給されていない状態（外部電源がオフになっている状態）では、遊技ユニットの電気部品に対しても電力供給がなされておらず、遊技ユニットの取り外し（すなわち、ユニット取り外しに伴うコネクタ接続解除）を制限する必要がない。この場合、ロック手段がアンロック状態になっていることで、遊技ユニットの取り外しを制限無く実施できる。
【０５５７】
特徴Ｄ５．前記ロック手段（第１ロック装置７９Ｂ）は、作業者による遊技ユニット取り外しのための手動操作が可能な操作部（操作部１２９）と、前記操作部の手動操作が行われる場合に、前記遊技ユニットを前記装着完了位置から、その装着完了位置から離れた所定の押出位置に押し出す押出部（受け部材１２１）と、を有し、前記押出部が前記押出位置にあることで前記アンロック状態になるものであり、
前記切替操作検出手段（位置検知センサ５２１）は、前記押出部が前記押出位置に移動されることを、前記アンロック状態への切替操作として検出することを特徴とする特徴Ｄ２に記載の遊技機。
【０５５８】
特徴Ｄ５によれば、ロック手段をロック状態からアンロック状態に移行させるには、操作部を手動操作して押出部を押出位置に移動させるという作業を要する。この場合、その押出部の移動には時間を要し、その移動の作業によって、電断処理を実行する時間を確保することができる。
【０５５９】
なお、特徴Ｄ５においては、ロック手段の操作部の手動操作に伴い遊技ユニットが装着完了位置から押出位置に押し出されるまでは前記両コネクタ（ユニット側コネクタ及び本体側コネクタ）を接続状態のまま維持する接続状態維持手段（接続状態維持機構Ｘ）を備えているとよい。
【０５６０】
これにより、遊技ユニットの押出による移動に際し、両コネクタを介しての電源装置から遊技ユニットへの電力供給の状態が維持でき、所定の電断処理を好適に実施できる。
【０５６１】
特徴Ｄ６．前記電源装置から前記遊技ユニット側への電力の供給が実施されている状況下で、前記ロック手段がアンロック状態からロック状態に切替操作されたか否かを判定するロック操作判定手段と、
前記ロック操作判定手段により前記ロック状態への切替操作有りと判定されたことに基づいて、前記電気部品について前記電断処理が実行される前の状態に復帰させる状態復帰手段と、
を備えていることを特徴とする特徴Ｄ２乃至特徴Ｄ５のいずれか１つに記載の遊技機。
【０５６２】
特徴Ｄ６においては、ロック手段がアンロック状態からロック状態に切り替えられることをトリガとして、所定の復帰処理が実施される。これにより、迅速な遊技の再開が可能となる。
【０５６３】
ここで、電源装置から遊技ユニット側に電力供給されている状況下でロック手段がアンロック状態になっていることは、それ以前に、作業者がロック手段をロック状態からアンロック状態に切替操作した可能性が高いと考えられる。この場合、作業者がロック手段を一旦アンロック状態に切り替えた後、遊技ユニットの取り外し（すなわち、ユニット取り外しに伴うコネクタ接続解除）を行うことなく再びロック状態に戻したとの事態も考えられるが、かかる場合においても上記のとおり迅速な遊技の再開が可能となる。
【０５６４】
特徴Ｄ７．前記遊技ユニットを前記装着完了位置から取り外し側に変位させる際においてその装着完了位置から所定の変位位置に達するまでは両コネクタを接続状態のまま維持する接続状態維持手段（接続状態維持機構Ｘ）を備えていることを特徴とする特徴Ｄ１乃至特徴Ｄ６のいずれか１つに記載の遊技機。
【０５６５】
特徴Ｄ７によれば、遊技ユニットを取り外す際には、装着完了位置から所定の変位位置に達するまでの区間において一時的に両コネクタの接続状態が維持される。これにより、遊技ユニットの変位開始後において実際に両コネクタの接続が解除されるタイミングを遅延させることができ、ひいては上述した電気部品についての電断処理を実行する期間を確保することができる。
【０５６６】
特徴Ｄ８．前記ユニット側コネクタと前記本体側コネクタとのうち少なくともいずれかは、前記遊技ユニットが前記装着完了位置に対して変位する際の変位方向に変位可能な可動コネクタであり、
前記接続状態維持手段として、
前記遊技ユニットと前記遊技機本体との両部材のうち前記可動コネクタの設置ベースとなるベース部材（例えば遊技盤側コネクタ４５１，４５２を可動コネクタとする場合、遊技盤８０ａ）に設けられ、当該可動コネクタを、前記変位方向に定められた所定の可動範囲で変位可能に支持する支持部（台座４６１）と、
前記可動コネクタを、前記ユニット側コネクタ及び前記本体側コネクタの接続状態が維持される向きに付勢する付勢手段（コイルバネ７２１）と、
を備え、
前記遊技ユニットが前記装着完了位置に装着されている状態で、前記可動コネクタが、前記変位方向において前記ベース部材から離れる方向に変位可能な状態で設けられていることを特徴とする特徴Ｄ７に記載の遊技機。
【０５６７】
特徴Ｄ８によれば、可動コネクタが、支持部において付勢手段に付勢されている状態で、遊技ユニットの変位方向に定められた所定の可動範囲で変位可能となっている。そして、遊技ユニットの取り外しに際し、可動コネクタが、所定の可動範囲内で変位することにより、両コネクタが接続状態のまま維持され、これにより、遊技ユニットの変位開始後において実際に両コネクタの接続が解除されるタイミングを遅延させることができる。この場合、遊技ユニットが取り外し側に変位する際において両コネクタの接続状態が維持される期間は、可動コネクタの可動範囲により定まることになる。したがって、可動コネクタの可動範囲を適宜決定することで、両コネクタの接続維持期間を所望するとおりに設定できる。例えば、上記電断処理の実行期間として、比較的長めの時間を確保したい場合には、可動コネクタの可動範囲を大きめにすればよい。
【０５６８】
特徴Ｄ９．前記可動コネクタが前記変位方向において前記ベース部材から離れる方向に変位することを検出するコネクタ変位検出手段を備え、
前記判定手段は、前記コネクタ変位検出手段により前記可動コネクタの変位が検出された場合に、前記所定操作が行われたと判定することを特徴とする特徴Ｄ８に記載の遊技機。
【０５６９】
特徴Ｄ９では、遊技ユニットを遊技機本体から取り外す等する場合にその取り外し時において可動コネクタの変位が生じることを利用し、可動コネクタの変位検出によって、両コネクタの接続が解除され得る状況となったことを判定するようにしている。この場合、可動コネクタの変位期間の時間を、電気部品についての電断処理が実行される時間として利用できる。
【０５７０】
なお、コネクタ変位検出手段は、遊技ユニットが装着完了位置から取り外し側に変位することに伴い可動コネクタが変位する際に、その可動コネクタの変位当初（所定の可動範囲の前半部分）で所定操作有りと判定するものであるとよい。これにより、所定操作有りと判定されてから可動コネクタの可動範囲終わり（両コネクタの分離）までの時間が、電気部品についての電断処理が実行される時間として利用できる。そのため、同電断処理を実行する期間を確保する上で一層有利となる。
【０５７１】
特徴Ｄ１０．前記電断処理実行手段は、前記電断処理として、前記両コネクタが分離されて前記電源装置から前記遊技ユニットへの電力供給が遮断されている電断時において前記電気部品が有する電断時情報をバックアップ用のメモリに記憶する記憶処理を実行するものであることを特徴とする特徴Ｄ１乃至特徴Ｄ９のいずれか１つに記載の遊技機。
【０５７２】
特徴Ｄ１０によれば、遊技ユニットの取り外し（すなわち、ユニット取り外しに伴うコネクタ接続解除）が行われる場合には、その前に、電断時情報がバックアップ用のメモリに記憶される。これにより、遊技ユニットが再装着されて（すなわち両コネクタが再接続されて）電気部品の通常動作が再開される場合に、バックアップ用のメモリに記憶されている電断時情報を用いることで通常動作への復帰を適正に実施できる。
【０５７３】
電断時情報をバックアップ用のメモリにて記憶保持する構成としては、例えば、遊技ユニットに、両コネクタが分離されて電源装置から遊技ユニットへの電力供給が遮断されている電断状態において当該遊技ユニットに電力を供給する電断時用電力供給手段（電断時用電源部６０５ａ）を備え、その電断時用電力供給手段によりメモリの電源を供給する構成が考えられる。
【０５７４】
特徴Ｄ１１．前記遊技ユニットは、前記両コネクタが分離されて前記電源装置から前記遊技ユニット側への電力の供給が遮断されている電断状態において前記電気部品に電力を供給する電断時用電力供給手段（電断時用電源部６０５ａ）を有し、
前記電気部品は、前記電源装置からの電力の供給が停止している場合に、前記電断時用電力供給手段からの電力によって動作可能になっていることを特徴とする特徴Ｄ１乃至特徴Ｄ１０のいずれか１つに記載の遊技機。
【０５７５】
特徴Ｄ１１によれば、電断時用電力供給手段を採用することにより、両コネクタの分離に伴い電源装置から遊技ユニット側への電力供給が遮断されても、電子部品で好適に電断処理を実施できる。
【０５７６】
上記特徴Ｄ群は以下の課題に対して適用すると効果的である。
【０５７７】
パチンコ機等の遊技機には、制御装置や表示装置等の電気部品が遊技盤等のユニット本体に搭載されてなる遊技ユニット（例えば遊技盤ユニット）と、遊技ユニットを着脱可能に支持する遊技機本体とを備えているものがある。遊技機本体には電源装置が設けられており、遊技ホール等の島設備から供給された電力は電源装置を通じて遊技ユニット（詳しくは上記電気部品）に供給される。
【０５７８】
近年では、遊技ユニット側にユニット側コネクタを設けるとともに遊技機本体側に本体側コネクタを設け、遊技ユニットを遊技機本体における所定の装着完了位置に配置することで両コネクタの接続が完了し、遊技ユニットを装着完了位置から取り外し側へ移動させることで両コネクタが分離されるタイプの遊技機が考えられている。かかる遊技機においては、遊技ユニットを着脱する際の電気的な接続を行うための作業が不要となり、メンテナンス等を行う際の作業性の向上が図られている（例えば特許文献１参照）。
【０５７９】
しかしながら、この種の遊技機においては、電源装置が遊技機本体側に設けられているため、遊技ユニット電源ＯＮ時に遊技ユニットを取り外そうとした場合には、突如としてコネクタ同士が分離され、遊技ユニット（上記電気部品）への電力の供給が突如として行われなくなる可能性がある。例えば、電気部品が動作中であった場合には、突如として電力の供給が停止することにより、誤作動や故障等の不都合が生じやすくなると懸念される。これは、遊技者や遊技ホールの利益担保を妨げる要因となり得るため好ましくない。
【０５８０】
本発明は、上記例示した事情等に鑑みてなされたものであり、遊技ユニットの着脱によって同遊技ユニットと遊技機本体との電気的な接続／解除が行われる遊技機において、遊技ユニットを動かした際に電力の供給が突如停止して電気部品に不都合が生じることを抑制できる遊技機を提供することを目的とする。
【０５８１】
＜特徴Ｅ群＞
特徴Ｅ１．電気部品（図柄表示装置９６や主制御装置１６２）を搭載してなる遊技ユニット（遊技盤ユニット８０）が遊技機本体（内枠１３、裏パックユニット１５等からなる本体部）に支持されており、前記遊技ユニットが前記遊技機本体に対して着脱可能となっている遊技機であって、
前記遊技ユニットに設けられたユニット側コネクタ（遊技盤側コネクタ４５１，４５２）と、
前記遊技機本体に設けられ、当該遊技機本体の装着完了位置へ向けた前記遊技ユニットの変位により前記ユニット側コネクタと接続され、前記装着完了位置から取り外し側へ向けた前記遊技ユニットの変位により前記ユニット側コネクタと分離される本体側コネクタ（内枠側コネクタ４０１，４０２）と、
前記遊技ユニット及び前記遊技機本体のうち前記遊技機本体側に設けられ、前記遊技ユニットに供給する電力を生成する電源装置（電源・発射制御装置２４３）と、
を備え、
前記ユニット側コネクタ及び前記本体側コネクタを通じて前記電源装置から前記遊技ユニットに電力が供給されるようになっており、
前記電源装置は、電力の供給を行うオン状態と電力の供給を行わないオフ状態とのいずれかになるものであり、
前記電源装置がオン状態になっている場合に、前記遊技機本体からの前記遊技ユニットの取り外しを規制する規制状態となり、前記電源装置がオフ状態になっている場合に、前記遊技機本体からの前記遊技ユニットの取り外しを規制しない非規制状態となる取り外し規制手段（第１ロック装置７９B、第２ロック装置５００，５００Ｂ）を備えていることを特徴とする遊技機。
【０５８２】
特徴Ｅ１によれば、両コネクタが接続状態にあり、かつ電源装置がオン状態になっている場合には、電源装置から遊技ユニット側（電気部品）への電力供給が行われ、電気部品の動作が可能になっている。この場合、取り外し規制手段によって遊技ユニットの取り外し（すなわち、ユニット取り外しに伴うコネクタ接続解除）が規制されているため、突然コネクタが分離されて電力が供給されなくなることを抑制することができる。これにより、突然の電力カットに起因して電気部品に不都合が生じることを回避可能となる。
【０５８３】
また、両コネクタが接続状態にあっても、電源装置がオフ状態になっていれば、遊技ユニットの取り外し（すなわち、ユニット取り外しに伴うコネクタ接続解除）が取り外し規制手段により規制されることはなく、かかる状態下において遊技ユニットの取り外しを制限無く実施できる。これにより、メンテナンス等を実施するための遊技ユニットの取り外しを行う場合において、その作業性が良好なものとなる。
【０５８４】
特徴Ｅ２．遊技機に対する外部電源のオン／オフを切り替えるべく手動操作される電源操作手段（電源スイッチ２４７）を備え、
前記電源装置は、前記電源操作手段のオン／オフの切替操作により前記オン状態と前記オフ状態とのいずれかになるものであることを特徴とする特徴Ｅ１に記載の遊技機。
【０５８５】
特徴Ｅ２によれば、作業者の電源操作手段のオン／オフの切替操作によって、電源装置がオン状態（電力出力状態）とオフ状態（電力出力停止状態）とのいずれかとなる。この場合、メンテナンス等に際して遊技ユニットを遊技機本体から取り外す必要があれば、遊技ユニットが装着されている状態で作業者が電源操作手段をオン→オフに切替操作する。これにより、遊技ユニットを取り外し可能な状態に移行させることができる。また、遊技ユニットを再装着した後には、電源操作手段をオフ→オンに切替操作することにより、遊技ユニットを取り外し不可な状態に戻すことができる。
【０５８６】
特徴Ｅ３．前記取り外し規制手段は、
前記遊技ユニット及び前記遊技機本体のうちその一方に設けられ、その他方に対して当接する当接位置と当接しない非当接位置とで移動可能であり、前記当接位置にあることで前記遊技ユニットの取り外しを規制する当接部材（ストッパ片５０１，５０１Ｂ）と、
前記当接部材を、前記非当接位置側に付勢する付勢手段（コイルバネ５０８，５０８Ｂ）と、
前記電源装置がオン状態となる場合に駆動状態になるとともに、前記電源装置がオフ状態となる場合に非駆動状態になり、前記駆動状態では、前記当接部材を、前記付勢手段の付勢力に抗して前記当接位置に移動させる駆動手段（駆動部５０５，５０５Ｂ）と、
を備えていることを特徴とする特徴Ｅ１又は特徴Ｅ２に記載の遊技機。
【０５８７】
特徴Ｅ３によれば、電源装置がオン状態になっている場合には、例えばソレノイド等からなる駆動手段の駆動によって当接部材が当接位置に移動し、遊技ユニットの取り外し規制の状態が維持される。一方、電源装置がオフ状態になっている場合には、付勢手段の付勢力によって当接部材が非当接位置に移動し、遊技ユニットの取り外し規制の状態が解除される。したがって、電源装置がオフ状態になっている場合（例えば電源スイッチがオフになっている場合）に、電力の供給がなくても、遊技ユニットを取り外し可能状態に移行させることができる。
【０５８８】
また、遊技ユニットが遊技機本体に装着された状態で無理に遊技ユニットが取り外し側へ引っ張られる等した場合であっても、遊技ユニットの取り外し規制は、取り外し規制手段の当接部材によってなされており、コネクタによりなされているわけではない。したがって、上記構成とすることにより、遊技ユニットの取り外し時にコネクタに負荷が加わることを抑制し、コネクタの自動接続機能が上手く機能しなくなることを回避できる。
【０５８９】
特徴Ｅ４．前記取り外し規制手段（第２ロック装置５００Ｂ）は、前記駆動手段の駆動により前記当接部材が前記当接位置にある場合に、その駆動手段の駆動力に抗して、手動操作により前記当接部材を前記非当接位置に移動させることが可能なものであり、
前記手動操作による前記当接部材の前記非当接位置への移動が行われたか否かを判定する判定手段（ステップＳ２０７を実行する機能）と、
前記判定手段により前記当接部材の前記非当接位置への移動が行われたと判定された場合に、前記電気部品において所定の電断処理を実行する電断処理実行手段（ステップＳ２１１〜S２１３を実行する機能）と、
を備えていることを特徴とする特徴Ｅ３に記載の遊技機。
【０５９０】
特徴Ｅ４においては、取り外し規制手段に対する手動操作により、電源装置がオン状態になっていても遊技機本体からの遊技ユニットの取り外しが可能となる。この場合、電源オフの作業をしなくても遊技ユニットの取り外し作業が実施できるため、その利便性が向上するが、その反面、各コネクタの接続が突如として解除されることにより、以下の不都合が生じ得る。すなわち、電気部品においては、制御処理を行っている最中（動作中）に突如として電力の供給が停止すると、電気部品自身や同電気部品に接続された遊技機器等の誤作動や破損等の不都合が生じやすくなると懸念される。これは、遊技者や遊技ホールの利益担保を妨げる要因となり得るため好ましくない。
【０５９１】
この点、本特徴においては、取り外し規制手段に対する手動操作が行われた場合には、コネクタ接続解除用の電断処理、例えば電力供給停止の事前処理である電断処理が実行されるため、突然の電力カットに起因して電気部品に不都合が生じることを回避可能となる。
【０５９２】
なお、「コネクタ接続解除用の電断処理」は、電気部品にてそれまで実行されていた制御にかかる情報を保存するための処理や、各種デバイスの動作等を終了させるための処理を含む。
【０５９３】
特徴Ｅ５．前記遊技ユニットは、前記両コネクタが分離されて前記電源装置からの電力供給が遮断されている電断状態において前記電気部品に電力を供給する電断時用電力供給手段（電断時用電源部６０５ａ）を有していることを特徴とする特徴Ｅ４に記載の遊技機。
【０５９４】
特徴Ｅ５によれば、遊技ユニットが電断時用電力供給手段を有しているため、両コネクタを介しての電力供給が遮断された状態であっても、所望とする電断処理を好適に実施できる。
【０５９５】
特徴Ｅ６．前記遊技ユニットを前記装着完了位置から取り外し側に変位させる際においてその装着完了位置から所定の変位位置に達するまでは両コネクタを接続状態のまま維持する接続状態維持手段（接続状態維持機構Ｘ）を備えていることを特徴とする特徴Ｅ４に記載の遊技機。
【０５９６】
特徴Ｅ６によれば、遊技ユニットを取り外す際には、装着完了位置から所定の変位位置に達するまでの区間において一時的に両コネクタの接続状態が維持される。これにより、遊技ユニットの変位開始後において実際に両コネクタの接続が解除されるタイミングを遅延させることができ、ひいては上述した電気部品についての電断処理を実行する期間を確保することができる。
【０５９７】
特徴Ｅ７．前記ユニット側コネクタと前記本体側コネクタとのうち少なくともいずれかは、前記遊技ユニットが前記装着完了位置に対して変位する際の変位方向に変位可能な可動コネクタであり、
前記接続状態維持手段として、
前記遊技ユニットと前記遊技機本体との両部材のうち前記可動コネクタの設置ベースとなるベース部材（例えば遊技盤側コネクタ４５１，４５２を可動コネクタとする場合、遊技盤８０ａ）に設けられ、当該可動コネクタを、前記変位方向に定められた所定の可動範囲で変位可能に支持する支持部（台座４６１）と、
前記可動コネクタを、前記ユニット側コネクタ及び前記本体側コネクタの接続状態が維持される向きに付勢する付勢手段（コイルバネ７２１）と、
を備え、
前記遊技ユニットが前記装着完了位置に装着されている状態で、前記可動コネクタが、前記変位方向において前記ベース部材から離れる方向に変位可能な状態で設けられていることを特徴とする特徴Ｅ６に記載の遊技機。
【０５９８】
特徴Ｅ７によれば、可動コネクタが、支持部において付勢手段に付勢されている状態で、遊技ユニットの変位方向に定められた所定の可動範囲で変位可能となっている。そして、遊技ユニットの取り外しに際し、可動コネクタが、所定の可動範囲内で変位することにより、両コネクタが接続状態のまま維持され、これにより、遊技ユニットの変位開始後において実際に両コネクタの接続が解除されるタイミングを遅延させることができる。この場合、遊技ユニットが取り外し側に変位する際において両コネクタの接続状態が維持される期間は、可動コネクタの可動範囲により定まることになる。したがって、可動コネクタの可動範囲を適宜決定することで、両コネクタの接続維持期間を所望するとおりに設定できる。例えば、上記電断処理の実行期間として、比較的長めの時間を確保したい場合には、可動コネクタの可動範囲を大きめにすればよい。
【０５９９】
特徴Ｅ８．前記判定手段により前記当接部材の前記非当接位置への移動が行われたと判定された場合に、前記電源装置から前記取り外し規制手段への電力供給を停止する停止手段（電源・発射制御装置２４３）を備えていることを特徴とする特徴Ｅ４乃至特徴Ｅ７のいずれか１つに記載の遊技機。
【０６００】
特徴Ｅ８によれば、例えば遊技ユニットが遊技機本体から取り外される場合に、作業者の手動操作によって、取り外し規制手段が非規制状態に切り替えられることに伴い、電源装置から取り外し規制手段への電力の供給が停止されることとなる。この結果、取り外し規制手段が非規制状態のまま維持されることとなり、遊技ユニットを取り外す際に取り外し規制手段が作業の邪魔になることを抑制することができる。
【０６０１】
上記特徴Ｅ群は以下の課題に対して適用すると効果的である。
【０６０２】
パチンコ機等の遊技機には、制御装置や表示装置等の電気部品が遊技盤等のユニット本体に搭載されてなる遊技ユニット（例えば遊技盤ユニット）と、遊技ユニットを着脱可能に支持する遊技機本体とを備えているものがある。遊技機本体には電源装置が設けられており、遊技ホール等の島設備から供給された電力は電源装置を通じて遊技ユニット（詳しくは上記電気部品）に供給される。
【０６０３】
近年では、遊技ユニット側にユニット側コネクタを設けるとともに遊技機本体側に本体側コネクタを設け、遊技ユニットを遊技機本体における所定の装着完了位置に配置することで両コネクタの接続が完了し、遊技ユニットを装着完了位置から取り外し側へ移動させることで両コネクタが分離されるタイプの遊技機が考えられている。かかる遊技機においては、遊技ユニットを着脱する際の電気的な接続を行うための作業が不要となり、メンテナンス等を行う際の作業性の向上が図られている（例えば特許文献１参照）。
【０６０４】
しかしながら、この種の遊技機においては、電源装置が遊技機本体側に設けられているため、遊技ユニット電源ＯＮ時に遊技ユニットを取り外そうとした場合には、突如としてコネクタ同士が分離され、遊技ユニット（上記電気部品）への電力の供給が突如として行われなくなる可能性がある。例えば、電気部品が動作中であった場合には、突如として電力の供給が停止することにより、誤作動や故障等の不都合が生じやすくなると懸念される。これは、遊技者や遊技ホールの利益担保を妨げる要因となり得るため好ましくない。
【０６０５】
本発明は、上記例示した事情等に鑑みてなされたものであり、遊技ユニットの着脱によって同遊技ユニットと遊技機本体との電気的な接続／解除が行われる遊技機において、遊技ユニットを動かした際に電力の供給が突如停止して電気部品に不都合が生じることを抑制できる遊技機を提供することを目的とする。
【０６０６】
＜特徴Ｆ群＞
特徴Ｆ１．電気部品（図柄表示装置９６や主制御装置１６２）を搭載してなる遊技ユニット（遊技盤ユニット８０）が遊技機本体（内枠１３、裏パックユニット１５等からなる本体部）に支持されており、前記遊技ユニットが前記遊技機本体に対して着脱可能となっている遊技機であって、
前記遊技ユニットに設けられたユニット側コネクタ（遊技盤側コネクタ４５１，４５２）と、
前記遊技機本体に設けられ、当該遊技機本体の装着完了位置へ向けた前記遊技ユニットの変位により前記ユニット側コネクタと接続され、前記装着完了位置から取り外し側へ向けた前記遊技ユニットの変位により前記ユニット側コネクタと分離される本体側コネクタ（内枠側コネクタ４０１，４０２）と、
前記遊技ユニット及び前記遊技機本体のうち前記遊技機本体側に設けられ、前記遊技ユニットに供給する電力を生成する電源装置（電源・発射制御装置２４３）と、
を備え、
前記ユニット側コネクタ及び前記本体側コネクタを通じて前記電源装置から前記遊技ユニットに電力が供給されるようになっており、
前記電源装置から前記遊技ユニット側に電力が供給されている場合において、前記遊技ユニットを前記装着完了位置から取り外し側に変位させる際に両コネクタを接続状態のまま維持する接続状態維持手段（ストッパ装置７０１、接続状態維持機構Ｘ）を備えていることを特徴とする遊技機。
【０６０７】
特徴Ｆ１の遊技機では、遊技ユニットを遊技機本体に対する装着完了位置へ配置することでそれら遊技ユニット及び遊技機本体が電気的に接続され、遊技ユニットを遊技機本体から取り外すことで電気的な接続が解除される。かかる構成によれば、遊技ユニットの着脱作業時に電気的な接続／解除を行うための別途作業が不要となり、作業性の向上が実現される。
【０６０８】
しかしながら、このように遊技ユニットの着脱に応じて両コネクタの接続／解除が行われる構成では、遊技機への電源供給をオンしたまま遊技ユニットを少しの間だけ取り外したい場合や、装着完了位置から少しだけ動かしたい場合に、電気的な接続が解除されてしまう。電気部品においては、制御処理を行っている最中（動作中）に突如として電力の供給が停止すると、電気部品自身や同電気部品に接続された遊技機器等の誤作動や破損等の不都合が生じやすくなると懸念される。これは、遊技者や遊技ホールの利益担保を妨げる要因となり得るため好ましくない。
【０６０９】
この点、本特徴においては、電源装置から遊技ユニット側（電気部品）に電力が供給されている場合には、両コネクタの接続状態を維持したまま遊技ユニットを取り外し側へ変位可能とすることにより、突如として電力の供給が停止することを抑制可能となっている。
【０６１０】
また、遊技ユニット側への電力供給が停止される場合に、その電力供給の停止に対応すべく例えば電気部品（制御装置）にて開始処理や終了処理等を行う構成を想定すると、このような処理が遊技の円滑な進行を妨げる要因となり得る。この点、コネクタ接続を維持したまま遊技ユニットを変位させることが可能となれば、そのような不都合を生じにくくすることができる。
【０６１１】
特徴Ｆ２．前記ユニット側コネクタと前記本体側コネクタとのうち少なくともいずれかは、前記遊技ユニットが前記装着完了位置に対して変位する際の変位方向に変位可能な可動コネクタであり、
前記接続状態維持手段として、前記可動コネクタについて前記変位方向の変位を許可する変位許可状態と、許可しない変位非許可状態とで切替可能であるコネクタ変位規制手段（ストッパ装置７０１）を備え、
前記コネクタ変位規制手段は、前記電源装置が電力の供給を行うオン状態になっている場合に、前記可動コネクタが前記変位許可状態となり、前記電源装置が電力の供給を行わないオフ状態になっている場合に、前記可動コネクタが前記変位非許可状態となるものであることを特徴とする特徴Ｆ１に記載の遊技機。
【０６１２】
特徴Ｆ２によれば、電源装置のオン状態（電力出力状態）では、可動コネクタが遊技ユニットの変位方向に変位可能な変位許可状態となっているため、遊技ユニットの取り外しに際して、両コネクタを接続状態のまま維持することができ、電源装置から遊技ユニット側への電力供給を継続できる。
【０６１３】
また、電源装置のオフ状態（電力出力停止状態）では、可動コネクタが変位非許可状態となる。この場合、その変位非許可状態では、可動コネクタについて変位方向の変位が許可されないことにより、遊技ユニットの取り外し時には両コネクタが互いに分離されることとなる。こうしてコネクタ分離の状況も想定していることから、遊技ユニットのメンテナンス等に際して、同遊技ユニットの取り外し作業性が低下することが回避される。
【０６１４】
特徴Ｆ３．前記可動コネクタには、前記電源装置からの電力の供給経路となる電気配線（配線Ｈ３）が接続されており、当該電気配線は、前記変位方向における前記可動コネクタの変位を許容する余長分を有しており、
前記遊技ユニット及び前記遊技機本体のうち少なくともいずれかには、前記電気配線の前記可動コネクタとは反対の端部側に、前記電気配線の余長分を巻き取る巻取り手段（配線巻取り装置７０５）が設けられていることを特徴とする特徴Ｆ２に記載の遊技機。
【０６１５】
例えば、遊技機本体に可動コネクタが設けられている構成において、可動コネクタが遊技機本体から離れている状態から同可動コネクタを遊技機本体側に近づけると、電気配線の弛み（余り）が生じ、それに起因して、電気配線が遊技ユニットと遊技機本体との間に挟まる等の不都合が生じることが懸念される。具体的には、遊技ユニットを、コネクタ接続状態を維持したまま装着完了位置から変位させ、その後に再び装着完了位置に配置する場合には、電気配線に弛み等が生じ、上記不都合の発生が懸念される。
【０６１６】
この点、本特徴Ｆ３においては、遊技ユニットを装着完了位置に向けて変位させる場合（装着完了位置に復帰させる場合）には、電気配線が巻取り手段によって巻き取られることで、電気配線に生じる弛みが軽減され、ひいては上記不都合の発生を抑えることができる。
【０６１７】
特徴Ｆ４．前記巻取り手段は、前記電気配線を巻き取る巻取り軸（巻取り軸７０６）と、当該巻取り軸を配線巻取り方向に回転駆動させる駆動手段（モータ等）と、を有しており、
前記遊技ユニットが前記装着完了位置に向けて変位する場合に、前記駆動手段を駆動状態として前記電気配線を巻き取らせる巻取り制御手段を備えていることを特徴とする特徴Ｆ３に記載の遊技機。
【０６１８】
特徴Ｆ４によれば、遊技ユニットが装着完了位置に向けて変位する場合に、巻き取り制御が実施されることにより確実に電気配線の弛みが軽減される。
【０６１９】
なお、電気配線の巻取りを行わせる構成としては、上記の巻取り制御を実施する構成以外に、巻取り軸に、電気配線を巻き取り側に付勢する付勢手段（ゼンマイバネ等）を設け、その付勢手段の付勢力を利用する構成が考えられる。
【０６２０】
特徴Ｆ５．前記遊技ユニットが前記装着完了位置に配置される場合にその移動途中の遊技ユニットを減勢させる減勢機構（第１ロック装置７９）を備えていることを特徴とする特徴Ｆ３又は特徴Ｆ４に記載の遊技機。
【０６２１】
特徴Ｆ５によれば、装着完了位置に向けた遊技ユニットの移動速度を軽減することで、遊技ユニット（コネクタ）の移動速度と、巻取速度との差を小さくし、上記弛みの発生を好適に抑えることができる。
【０６２２】
特徴Ｆ６．前記接続状態維持手段（接続状態維持機構Ｘ）は、前記遊技ユニットを前記装着完了位置から取り外し側に変位させる際においてその装着完了位置から所定の変位位置に達するまでは両コネクタを接続状態のまま維持するものであることを特徴とする特徴Ｆ１に記載の遊技機。
【０６２３】
特徴Ｆ６によれば、遊技ユニットを取り外す際には、装着完了位置から所定の変位位置に達するまでの区間において両コネクタの接続状態が維持される。これにより、遊技ユニットの変位開始時からすれば、実際に両コネクタの接続が解除されるタイミングが遅延されることになる。これを利用すれば、例えば、電気部品について電断対処のための電断処理を実行する場合において、その処理実行の期間を確保することができる。
【０６２４】
特徴Ｆ７．前記ユニット側コネクタと前記本体側コネクタとのうち少なくともいずれかは、前記遊技ユニットが前記装着完了位置に対して変位する際の変位方向に変位可能な可動コネクタであり、
前記接続状態維持手段として、
前記遊技ユニットと前記遊技機本体との両部材のうち前記可動コネクタの設置ベースとなるベース部材（例えば遊技盤側コネクタ４５１，４５２を可動コネクタとする場合、遊技盤８０ａ）に設けられ、当該可動コネクタを、前記変位方向に定められた所定の可動範囲で変位可能に支持する支持部（台座４６１）と、
前記可動コネクタを、前記ユニット側コネクタ及び前記本体側コネクタの接続状態が維持される向きに付勢する付勢手段（コイルバネ７２１）と、
を備え、
前記遊技ユニットが前記装着完了位置に装着されている状態で、前記可動コネクタが、前記変位方向において前記ベース部材から離れる方向に変位可能な状態で設けられていることを特徴とする特徴Ｆ６に記載の遊技機。
【０６２５】
特徴Ｆ７によれば、可動コネクタが、支持部において付勢手段に付勢されている状態で、遊技ユニットの変位方向に定められた所定の可動範囲で変位可能となっている。そして、遊技ユニットの取り外しに際し、可動コネクタが、所定の可動範囲内で変位することにより、両コネクタが接続状態のまま維持され、これにより、遊技ユニットの変位開始後において実際に両コネクタの接続が解除されるタイミングを遅延させることができる。この場合、遊技ユニットが取り外し側に変位する際において両コネクタの接続状態が維持される期間は、可動コネクタの可動範囲により定まることになる。したがって、可動コネクタの可動範囲を適宜決定することで、両コネクタの接続維持期間を所望するとおりに設定できる。例えば、上記電断処理の実行期間として、比較的長めの時間を確保したい場合には、可動コネクタの可動範囲を大きめにすればよい。
【０６２６】
特徴Ｆ８．前記両コネクタを相互に結合させたままとする結合保持状態と、前記両コネクタの相互の結合を解除する結合解除状態とで切替可能であるコネクタ結合手段（結合装置７１１）を備え、
前記コネクタ結合手段は、前記電源装置が電力の供給を行うオン状態になっている場合に、前記両コネクタを相互に結合させたままとする結合保持状態となり、前記電源装置が電力の供給を行わないオフ状態になっている場合に、前記両コネクタの相互の結合を解除する結合解除状態となるものであることを特徴とする特徴Ｆ１乃至特徴Ｆ７のいずれか１つに記載の遊技機。
【０６２７】
特徴Ｆ８によれば、電源装置のオン状態（電力出力状態）では、遊技ユニットの取り外しに際し、両コネクタ同士の接続が意に反して解除されてしまうことを抑制できる。つまり、両コネクタを確実に接続状態（結合状態）のまま維持することができ、電源装置から遊技ユニット側への電力供給を確実に継続できる。この場合、上記の接続状態維持手段との絡みで言えば、遊技ユニットの取り外し時において、可動コネクタが遊技ユニットの変位方向に変位する際に両コネクタを確実に接続状態のまま維持できることとなる。
【０６２８】
また、電源装置のオフ状態（電力出力停止状態）では、両コネクタを接続状態（結合状態）にしておく必要がないため、その接続状態を解除することができる。
【０６２９】
ちなみに、特徴Ｆ３，Ｆ４のように巻取り手段を備える構成では、その巻き取り力が大きいと、電気配線の弛みを軽減できる点で望ましいが、その反面、可動コネクタが電気配線に過剰に引っ張られてしまい、コネクタ同士の結合が緩んで電気的な接続が切れてしまうこと等が懸念される。この点、上記のコネクタ結合手段を備える構成との組合せによれば、電気配線に生じる弛みを軽減しつつコネクタ接続状態を担保することができ、実用上好ましい構成が実現できる。
【０６３０】
特徴Ｆ９．前記電気部品は、遊技にかかる制御を実行する制御装置であり、
前記ユニット側コネクタと前記本体側コネクタとは、前記遊技ユニットを前記装着完了位置から変位させる際に所定操作が行われることで、それら両コネクタの接続が解除され得る状況となるものであり、
前記所定操作が行われたか否かを判定する判定手段（ステップＳ２０７を実行する機能）と、
前記判定手段により前記所定操作が行われたと判定された場合に、前記電気部品において所定の電断処理を実行する電断処理実行手段（ステップＳ２１１〜S２１３を実行する機能）と、
を備え、
前記接続状態維持手段は、前記遊技ユニットを前記装着完了位置から取り外し側に変位させる際においてその装着完了位置から所定の変位位置に達するまでは前記両コネクタを接続状態のまま維持するものであることを特徴とする特徴Ｆ１乃至特徴Ｆ８のいずれか１つに記載の遊技機。
【０６３１】
特徴Ｆ９の遊技機では、ユニット側コネクタと本体側コネクタとが、遊技機にとって前触れ無くいきなり接続解除（分離）されるのではなく、所定操作が行われることを経由して接続解除される。つまり、所定操作が行われることで両コネクタの接続が解除され得る状況となり、その状況下で、遊技ユニットの取り外しに伴い実際に両コネクタの接続解除が行われる。この場合、所定操作の有無を判定することで、メンテナンス作業等に際し、遊技機への電源供給をオンしたまま遊技ユニットを遊技機本体における装着完了位置から変位させる場合（例えば少しだけ位置をずらしたり遊技機本体から取り外したりする場合）に、ユニット側コネクタと本体側コネクタとの接続が解除され得る状況となったことを、実際の接続解除前（装着完了位置からの遊技ユニットの変位によって両コネクタが分離される前）に判定することができる。そして、その接続解除前に、前記電気部品において所定の電断処理、例えば電力供給停止の事前処理である電断処理を実行することができる。
【０６３２】
電気部品においては、その動作中（制御処理が行われている最中）に突如として電力の供給が停止すると、電気部品自身や同電気部品に接続された遊技機器等の誤作動や破損等の不都合が生じやすくなると懸念される。これは、遊技者や遊技ホールの利益担保を妨げる要因となり得るため好ましくない。
【０６３３】
この点、本特徴においては、コネクタが分離される場合には、そのコネクタ分離前に所定の電断処理を実行することが可能であり、その電断処理の実行により、電気部品にかかる上記各種不都合の発生を抑えることができる。例えば、電断処理として、実行中の制御の終了処理や各種情報の保存用処理を実行するとよい。
【０６３４】
なお、「所定操作」とは、例えば遊技ユニットを装着完了位置から取り外し側に変位させる際（変位前を含む）において両コネクタの分離前に行われる事前操作を示し、より具体的には、遊技ユニットの脱落を阻止するロック装置を備えている遊技機において当該ロック装置の解除操作や、遊技ユニットの前方に扉体が設けられる遊技機において当該扉体の開放操作等を含む。
【０６３５】
また、上記構成によれば、遊技ユニットを取り外す際には、装着完了位置から所定の変位位置に達するまでの区間において両コネクタの接続状態が維持される。これにより、遊技ユニットの変位開始後において実際に両コネクタの接続が解除されるタイミングを遅延させることができ、ひいては上述した電気部品についての電断処理を実行する期間を確保することができる。
【０６３６】
特徴Ｆ１０．前記遊技機本体には、前記遊技ユニットの取り外しを阻止又は許容するロック手段（第１ロック装置７９）を備え、
前記ロック手段は、
作業者による遊技ユニット取り外しのための手動操作が可能な操作部（操作部１２９）と、
前記操作部の手動操作が行われる場合に、前記遊技ユニットを前記装着完了位置から、その装着完了位置から離れた所定の押出位置に押し出す押出部（受け部材１２１）と、
を有し、
前記接続状態維持手段は、少なくとも前記操作部の手動操作に伴い前記遊技ユニットが前記装着完了位置から前記押出位置に押し出されるまでは、前記両コネクタを接続状態のまま維持するものであることを特徴とする特徴Ｆ９に記載の遊技機。
【０６３７】
特徴Ｆ１０によれば、遊技ユニットを遊技機本体の装着完了位置から動かす場合には、ロック手段の操作部を手動操作することで、遊技ユニットが所定の押出位置に押し出されることとなる。この場合、遊技ユニットの取り外しに際し、その変位開始当初においては、遊技ユニットが所定の押出位置に押し出される期間で両コネクタの接続状態が維持されるため、上記電断処理を好適に実施できる。
【０６３８】
特徴Ｆ１１．前記遊技ユニットは、前面に遊技領域（遊技領域ＰＥ）が形成されたユニット本体としての遊技盤（遊技盤８０ａ）に前記電気部品が搭載されてなる遊技盤ユニット（遊技盤ユニット８０）であり、前記遊技機本体に対して遊技機前方から取り付けられており、
前記遊技盤には、前記遊技領域を流下した遊技球を前記遊技盤の背面側に誘導する誘導通路が形成されるとともに、その背面側に、前記誘導通路を通じて前記遊技盤の背面側に誘導された遊技球を案内する案内通路が形成されており、
前記遊技機本体の背面側には、前記遊技盤側の案内通路から流出した遊技球を回収する回収通路が形成されていることを特徴とする特徴Ｆ１乃至特徴Ｆ１０のいずれか１つに記載の遊技機。
【０６３９】
特徴Ｆ１１に示すように、遊技盤の背後に案内通路を有し、案内通路から流出した遊技球が遊技機本体に設けられた回収通路で回収される構成においては、遊技中において、それら各通路や、両通路の間にて球詰まりが発生する可能性がある。このような不都合が発生した場合には、遊技盤を装着完了位置から移動させることで球詰まりの発生箇所に容易にアクセスすることができる。このような対応をした場合に、毎度コネクタの接続が解除されることは、作業後の円滑な遊技進行を妨げる要因となるため好ましくない。
【０６４０】
この点、上記各特徴に示した構成によれば、接続を維持したまま上記確認作業や球詰まりの解消作業等を行うことができる。これらの作業を行うにあたり、遊技機の背面を全て露出させる必要も無い。遊技機の背面には制御装置等の利益にかかる構成が配置されているので、このような構成が遊技者等の目にとまる機会を減らすことで、防犯機能を好適に向上させることができる。
【０６４１】
上記特徴Ｆ群は以下の課題に対して適用すると効果的である。
【０６４２】
パチンコ機等の遊技機には、制御装置や表示装置等の電気部品が遊技盤等のユニット本体に搭載されてなる遊技ユニット（例えば遊技盤ユニット）と、遊技ユニットを着脱可能に支持する遊技機本体とを備えているものがある。遊技機本体には電源装置が設けられており、遊技ホール等の島設備から供給された電力は電源装置を通じて遊技ユニット（詳しくは上記電気部品）に供給される。
【０６４３】
近年では、遊技ユニット側にユニット側コネクタを設けるとともに遊技機本体側に本体側コネクタを設け、遊技ユニットを遊技機本体における所定の装着完了位置に配置することで両コネクタの接続が完了し、遊技ユニットを装着完了位置から取り外し側へ移動させることで両コネクタが分離されるタイプの遊技機が考えられている。かかる遊技機においては、遊技ユニットを着脱する際の電気的な接続を行うための作業が不要となり、メンテナンス等を行う際の作業性の向上が図られている（例えば特許文献１参照）。
【０６４４】
しかしながら、この種の遊技機においては、電源装置が遊技機本体側に設けられているため、遊技ユニット電源ＯＮ時に遊技ユニットを取り外そうとした場合には、突如としてコネクタ同士が分離され、遊技ユニット（上記電気部品）への電力の供給が突如として行われなくなる可能性がある。例えば、電気部品が動作中であった場合には、突如として電力の供給が停止することにより、誤作動や故障等の不都合が生じやすくなると懸念される。これは、遊技者や遊技ホールの利益担保を妨げる要因となり得るため好ましくない。
【０６４５】
本発明は、上記例示した事情等に鑑みてなされたものであり、遊技ユニットの着脱によって同遊技ユニットと遊技機本体との電気的な接続／解除が行われる遊技機において、遊技ユニットを動かした際に電力の供給が突如停止して電気部品に不都合が生じることを抑制できる遊技機を提供することを目的とする。
【０６４６】
以下に、以上の各特徴を適用し得る遊技機の基本構成を示す。
【０６４７】
パチンコ遊技機：遊技者が操作する操作手段（遊技球発射ハンドル４１）と、その操作手段の操作に基づいて遊技球を発射する遊技球発射手段（遊技球発射機構１１０のソレノイド１１１）と、その発射された遊技球を所定の遊技領域に導く球通路（誘導レール１００）と、遊技領域内に配置された各遊技部品（釘９０等）とを備え、それら各遊技部品のうち所定の通過部（作動口８４，８５等）を遊技球が通過した場合に遊技者に特典を付与する遊技機。
【０６４８】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０６４９】
球使用回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０６５０】
１０…遊技機としてのパチンコ機、１１…外枠、１３…遊技機本体（支持対象）としての内枠、１４…前扉枠、１５…遊技機本体としての裏パックユニット、７０…遊技機本体（支持対象）としての樹脂ベース、７９，７９Ｂ…減勢機構及びロック手段としての第１ロック装置、８０…遊技ユニットとしての遊技盤ユニット、８０ａ…ユニット本体としての遊技盤、９６…電気部品としての図柄表示装置、１２１…押出部としての受け部材、１２２…押え部材、１２９…操作部、１６２…電気部品としての主制御装置、２４３…電源装置及び停止手段としての電源・発射制御装置、２４７…電源操作手段としての電源スイッチ、４０１，４０２…本体側コネクタとしての内枠側コネクタ、４１１，４１２…コネクタ用基板、４５１，４５２…ユニット側コネクタとしての遊技盤側コネクタ、４６１…支持部としての台座、５００，５００B…ロック手段及び取り外し規制手段としての第２ロック装置、５０１，５０１Ｂ…当接部材としてのストッパ片、５０５，５０５Ｂ…駆動手段としての駆動部、５０８，５０８Ｂ…付勢手段としてのコイルバネ、５２０…切替操作検出手段としての位置検知センサ、６０５ａ…電断時用電力供給手段としての電断時用電源部、６２０…電気部品としての表示制御装置、７０１…接続状態維持手段及びコネクタ変位規制手段としてのストッパ装置、７０５…巻取り手段としての配線巻取り装置、７０６…巻取り軸、７１１…コネクタ結合手段としての結合装置、７２１…付勢手段としてのコイルバネ、Ｈ３…電気配線としての配線、ＰＥ…遊技領域、X…接続状態維持手段としての接続状態維持機構。
【図１】
0005867025.tif 000002
【図２】
0005867025.tif 000003
【図３】
0005867025.tif 000004
【図４】
0005867025.tif 000005
【図５】
0005867025.tif 000006
【図６】
0005867025.tif 000007
【図７】
0005867025.tif 000008
【図８】
0005867025.tif 000009
【図９】
0005867025.tif 000010
【図１０】
0005867025.tif 000011
【図１１】
0005867025.tif 000012
【図１２】
0005867025.tif 000013
【図１３】
0005867025.tif 000014
【図１４】
0005867025.tif 000015
【図１５】
0005867025.tif 000016
【図１６】
0005867025.tif 000017
【図１７】
0005867025.tif 000018
【図１８】
0005867025.tif 000019
【図１９】
0005867025.tif 000020
【図２０】
0005867025.tif 000021
【図２１】
0005867025.tif 000022
【図２２】
0005867025.tif 000023
【図２３】
0005867025.tif 000024
【図２４】
0005867025.tif 000025
【図２５】
0005867025.tif 000026
【図２６】
0005867025.tif 000027
【図２７】
0005867025.tif 000028
【図２８】
0005867025.tif 000029
【図２９】
0005867025.tif 000030
【図３０】
0005867025.tif 000031
【図３１】
0005867025.tif 000032
【図３２】
0005867025.tif 000033
【図３３】
0005867025.tif 000034
【図３４】
0005867025.tif 000035
【図３５】
0005867025.tif 000036
【図３６】
0005867025.tif 000037